(57)【要約】  通信装置は、複数のビームを記述するL1データを生成するためにトランシーバを介して受信された複数のビームからダウンリンク（DL）基準信号を測定するように構成された、レベル1（L1）処理要素を含む。装置はまた、事前構成パラメータと一致する第1セル内の複数のビームのうちの1つ以上に対応するL2データを生成するために、L1データに応答して複数のビームを集約、選択、またはフィルタリングするように構成されたレベル2（L2）処理要素も含む。さらに、装置は、L1およびL2処理要素に結合され、第1セルおよび第2セルの各々の複数のビームのうちの1つ以上に対応するL3データを生成するように構成された、レベル3（L3）処理要素を含む。装置はまた、L1、L2、およびL3処理要素に結合され、モビリティイベント用の報告を生成するように構成された、報告ジェネレータも含む。
2020505821.tif 000002
【特許請求の範囲】
【請求項１】
ユーザ機器（UE）であって、
トランシーバと
前記トランシーバに結合され、複数のビームを記述するL1データを生成するために前記トランシーバを介して受信された前記複数のビームからダウンリンク（DL）基準信号を測定するように構成された、レベル1（L1）処理要素と、
事前構成パラメータと一致する第1セル内の前記複数のビームのうちの1つ以上に対応するL2データを生成するために、前記L1データに応答して前記複数のビームを結合または集約するように、ならびに選択またはフィルタリングするように構成されたレベル2（L2）処理要素と、
前記L1およびL2処理要素に結合され、前記第1セルおよび第2セルの各々の前記複数のビームのうちの1つ以上に対応するL3データを生成するように構成された、レベル3（L3）処理要素と、
前記L1、L2、およびL3処理要素に結合され、モビリティイベント用の報告を生成するように構成された、報告ジェネレータと、
を備える、ユーザ機器（UE）。
【請求項２】
前記モビリティイベントは、送受信点（TRP）の第1ビームから前記TRPの第2ビームに前記UEを切り替えることを含み、前記第1および第2ビームは前記複数のビームのうちのビームであり、
前記UEは、前記L2処理要素の機能性を前記L3処理要素に統合するために、または前記L2処理要素の前記機能性を前記L1処理要素に統合するために、前記L2およびL3処理要素を無効化するように構成されており、
前記報告ジェネレータは、アクティブ処理ユニットの対応する層におけるデータに基づく前記報告として積層報告を生成するように構成されている、
請求項1に記載のUE。
【請求項３】
前記モビリティイベントは、前記第1セル内の1つの送受信点（TRP）に関連する第1ビームから前記第1セル内の別のTRPに関連する第2ビームに前記UEを切り替えることを含み、前記第1および第2ビームは前記複数のビームのうちのビームであり、
前記UEは前記L3処理要素を無効化するように構成されており、
前記報告ジェネレータは、前記L1およびL2データに基づいて前記報告を生成するように構成されている、
請求項1に記載のUE。
【請求項４】
前記第1および第2セルは単一の次世代ノードB（gNB）に関連付けられ、前記モビリティイベントは、前記第1セルの送受信点（TRP）に関連する第1ビームから前記gNBに関連する前記第2セルに関連する第2ビームに前記UEを渡すことを含み、前記第1および第2ビームは前記複数のビームのうちのビームであり、
前記報告ジェネレータは、前記L2およびL3データに基づいて前記報告を生成するように構成されている、
請求項1に記載のUE。
【請求項５】
前記第1および第2セルはそれぞれの第1および第2次世代ノードB（gNB）に関連付けられており、
前記モビリティイベントは、前記第1セルの第1送受信点（TRP）に関連する第1ビームから前記第2セルの第2TRPに関連する第2ビームに前記UEを渡すことを含み、前記第1および第2ビームは前記複数のビームのうちのビームであり、
前記UEは前記L2処理要素を無効化するように構成されており、
前記報告ジェネレータは、前記L1およびL3データを使用して前記報告を生成するように構成されている、
請求項1に記載のUE。
【請求項６】
前記モビリティイベントは、前記複数のビームの第1対の送信（Tx）および受信（Rx）ビームから複数のビームの第2対のTxおよびRxビームに切り替えることを含み、前記L1処理要素は整列ビーム対を記述する前記L1データを生成するように構成されている、請求項1に記載のUE。
【請求項７】
前記モビリティイベントは、前記複数のビームのうちの第1多周波ビームから第2多周波ビームに切り替えることを含み、前記L2処理要素は、前記L1データに基づいて前記第2多周波ビームで使用するために前記複数のビームのうちのビームを選択および結合するように構成されている、請求項1に記載のUE。
【請求項８】
前記DL基準信号は、少なくとも1つのxRSまたはxSS基準信号を含む、請求項1に記載のUE。
【請求項９】
前記L2処理要素は、論理AND演算子、論理OR演算子、最大演算子、最大N演算子、および平均化演算子のうちの少なくとも1つ、閾値比較演算子、または相対比較演算子を前記L1データに適用することによって、前記複数のビームを集約、選択、またはフィルタリングするように構成されている、請求項1に記載のUE。
【請求項１０】
ネットワーク装置であって、
トランシーバと、
前記トランシーバに結合され、複数のビームを記述するL1データを生成するために前記トランシーバを介して受信された前記複数のビームからアップリンク（UL）基準信号を測定するように構成された、レベル1（L1）処理要素と、
所定のパラメータと一致する第1セル内の前記複数のビームのうちの1つ以上に対応するL2データを生成するために、前記L1データに応答して前記複数のビームを集約、選択、またはフィルタリングするように構成されたレベル2（L2）処理要素と、
前記L1およびL2処理要素に結合され、前記第1セルおよび第2セルの各々の前記複数のビームのうちの1つ以上に対応するL3データを生成するように構成された、レベル3（L3）処理要素と、
前記L1、L2、およびL3処理要素に結合され、モビリティイベント用の報告を生成するように構成された、報告ジェネレータと、
前記ULおよびDL基準信号もしくは前記L2処理ユニットまたは前記L3処理ユニットのうちの少なくとも1つからの前記ULおよびDL基準信号のハイブリッド測定値を組み込むように構成された決定ユニットと、
ハイブリッドモビリティ決定を容易にするために、他のネットワーク装置またはユーザ機器（UE）とメッセージを交換するように構成されたシグナリングメッセージジェネレータと、
を備えるネットワーク装置。
【請求項１１】
前記モビリティイベントは、ユーザ機器（UE）の第1ビームから前記UEの第2ビームに前記TRPを切り替えることを含み、前記第1および第2ビームは前記複数のビームのうちのビームであり、
前記TRPは前記L2およびL3処理要素を無効化するように構成されており、
前記報告ジェネレータは前記L1データに基づいて前記報告を生成するように構成されている、
請求項10に記載のネットワーク装置。
【請求項１２】
前記モビリティイベントは、前記複数のビームの第1対の送信（Tx）および受信（Rx）ビームから前記複数のビームの第2対のTxおよびRxビームに切り替えることを含み、前記L1処理要素は整列ビーム対を記述する前記L1データを生成するように構成されている、請求項10に記載のネットワーク装置。
【請求項１３】
前記モビリティイベントは、前記複数のビームのうちの第1多周波ビームから前記複数のビームのうちの第2多周波ビームに切り替えることを含み、前記L2処理要素は、前記L1データに基づいて前記第2多周波ビームで使用するために前記複数のビームのうちのビームを選択および結合するように構成されている、請求項10に記載のネットワーク装置。
【請求項１４】
前記L2処理要素は、論理AND演算子、論理OR演算子、最大演算子、最大N演算子、および平均化演算子のうちの少なくとも1つ、閾値比較演算子、または相対比較演算子を前記L1データに適用することによって、前記複数のビームを集約、選択、またはフィルタリングするように構成されている、請求項10に記載のネットワーク装置。
【請求項１５】
UE装置のためのモビリティ管理方法であって、
複数のビームを記述するL1データを生成するために受信した複数からのダウンリンク（DL）基準信号を処理するステップと、
事前構成パラメータと一致する第1セル内の前記複数のビームのうちの1つ以上に対応するL2データを生成するために、前記L1データに応答して前記複数のビームを集約、選択、またはフィルタリングするステップと、
L3データを生成するために、前記第1セルおよび第2セルの各々のビームに対応するデータを処理するステップと、
ネットワーク構成にしたがってUL信号を生成するステップと、
ネットワーク構成、モビリティイベント、またはUEの優先度に応じて、前記L1、L2、またはL3データのいずれかを生成する処理を選択的に無効化するか、または前記L1、L2、またはL3データのうちのいずれか2つを組み合わせられた処理に統合するステップと、
前記生成されたデータからモビリティイベント用の報告を生成するステップと、
を備えるモビリティ管理方法。
【請求項１６】
前記モビリティイベントは、送受信点（TRP）の第1ビームから前記TRPの第2ビームに前記UEを切り替えることを含み、前記第1および第2ビームは前記複数のビームのうちのビームであり、
前記方法は、
前記L2およびL3処理を無効化するステップと、
前記L1データに基づいて前記報告を生成するステップと、
をさらに含む、
請求項15に記載の方法。
【請求項１７】
前記モビリティイベントは、前記第1セル内の1つの送受信点（TRP）に関連する第1ビームから前記第1セル内の別のTRPに関連する第2ビームに前記UEを切り替えることを含み、前記第1および第2ビームは前記複数のビームのうちのビームであり、
前記方法は、
前記L3処理を無効化するステップと、
前記L1およびL2データに基づいて前記報告を生成するステップと、
をさらに含む、
請求項15に記載の方法。
【請求項１８】
前記第1および第2セルはそれぞれの第1および第2次世代ノードB（gNB）に関連付けられており、
前記モビリティイベントは、前記第1セルの第1送受信点（TRP）に関連する第1ビームから前記第2セルの第2TRPに関連する第2ビームに前記UEを渡すことを含み、前記第1および第2ビームは前記複数のビームのうちのビームであり、
前記方法は、
ネットワーク構成、モビリティイベント、またはUEの優先度に基づいて、前記L2データを生成する前記処理を、前記L1またはL3データを生成する前記処理のうちの1つに統合するステップと、
前記L1データ、前記L3データ、または前記L1およびL3両方のデータを使用して前記報告を生成するステップと、
をさらに含む、
請求項15に記載の方法。
【請求項１９】
前記モビリティイベントは、前記複数のビームの第1対の送信（Tx）および受信（Rx）ビームから前記複数のビームの第2対のTxおよびRxビームに切り替えることを含み、前記方法は、整列ビーム対を記述する前記L1データを生成するステップを含む、請求項15に記載の方法。
【請求項２０】
前記モビリティイベントは、前記複数のビームのうちの第1多周波ビームから第2多周波ビームに切り替えることを含み、前記方法は、前記L1データに基づいて前記第2多周波ビームで使用するために前記複数のビームのうちのビームを選択および結合することによって前記L2データを生成するステップを含む、請求項15に記載の方法。
【請求項２１】
前記方法は、前記L1データから前記L2データを生成するために、論理AND演算子、論理OR演算子、最大演算子、最大N演算子、加重関数演算子、および平均化演算子、閾値比較演算子、または相対比較演算子のうちの少なくとも1つを適用することによって前記複数のビームを集約、選択、またはフィルタリングするステップのうちの少なくとも1つを含む、請求項15に記載の方法。
【発明の詳細な説明】
【技術分野】
【０００１】
関連出願の相互参照
本出願は、いずれもその全体が再現されたかのように参照により本明細書に組み込まれる、2017年1月6日に出願された「ハイブリッドモビリティ機構」というタイトルの米国特許借り出願第62／443，586号明細書の優先権を主張する、2017年5月4日に出願された「ハイブリッドモビリティおよび無線リソース管理機構」というタイトルの米国非仮特許出願第15／587，309号明細書の優先権を主張する。
【０００２】
本発明はモビリティ機構に関し、具体的には、ビーム形成セルラーおよびその他のビーム形成無線システムのためのハイブリッドモビリティおよび無線リソース管理（RRM）機構に関する。
【背景技術】
【０００３】
無線リソース管理（RRM）およびモビリティ機構は、互いに緊密に関係している。モビリティおよびRRMは、たとえばセルラーネットワーク、無線ネットワーク、および放送システムなど、無線通信システムにおける無線チャネルおよび同一チャネル干渉ならびにその他の無線伝送特性の無線レベル制御および測定のためのシステムである。RRMは、送信電力、ユーザリソース割り当て、ビーム形成、データレート、ハンドオーバ関連基準、変調方式、誤り符号化方式などなどのパラメータを測定および制御するための戦略およびアルゴリズムを伴う。目的は、限られた無線周波数スペクトルリソースおよび無線ネットワークインフラストラクチャを可能な限り有効に利用することである。ロングタームエボリューション（LTE）向け無線リソース管理（RRM）モデルは、全方向セルラーシステムに対して十分に確立されている。これらのシステムは、ネットワーク層メッセージング、たとえば開放システム相互接続（OSI）層3またはL3における無線リソース制御（RRC）メッセージングを使用する。
【０００４】
一般的に言えば、RRMは、ユーザ機器（UE）装置および／またはネットワークノード（たとえば、進化型ノードBまたはeNB）の両方における無線を介したエンドツーエンド動作、ならびにサービスエリア内で動作しているUE装置およびネットワークノードの間の相互作用を、伴う。RRMは、層1またはL1としても知られる物理層から、層2またはL2としても知られるメディアアクセス制御（MAC）RLC／PDCP層、および／またはRRC層、層3またはL3としても知られるネットワーク層にわたる、複数の層に存在する。異なる層において、RRMは、異なるタイムスケールで無線リソースを操作し、異なる機構を使用する。
【０００５】
たとえば、L1において、ネットワークノードは、UEによって作成されるダウンリンク（DL）基準信号（RS）（たとえば、LTEにおけるCRSまたはCSI−RS）の測定値に基づいてチャネル状態インジケータ（CSI）を使用してRRMを実施する。CSI要求に応答して、UEは、物理アップリンク制御チャネル（PUCCH）または物理アップリンク共有チャネル（PUSCH）フィードバック制御を使用して、測定値（たとえば基準信号受信電力（RSRP）および基準信号受信品質（RSRQ））をネットワークノードに送信する。これらの値は、ハイブリッド自動再送要求（HARQ）および／または電力制御に使用され得る。
【０００６】
L2において、スケジューリング要求（SR）に応答してPUSCHでMAC制御要素（MAC CE）を使用するLTEシステム内のバッファ状態報告（BSR）および電力ヘッドルーム報告（PHR）などのCSI関連フィードバック。L2 RRMはまた、ULおよびDLスケジューリング、ならびにリンク適応のためにPUCCHを使用してもよい。
【０００７】
L3において、RRMは、3GPP規格TS36．300によって定義された、L1フィルタリングされたRSRQ／RSRQ測定値、次いでL3フィルタリングされたRSRQ／RSRQ測定値を得るために、イベント駆動型または周期的トリガを使用する。L3 RRMは、モビリティ関連チャネル品質測定のためにUEから得られたDL RS（たとえば、セル固有RSまたはCRS）をフィルタリングし、UEからネットワークへのL3無線リソース制御（RRC）シグナリングメッセージを通じて得られた測定報告、および関連するHOトリガ（たとえば、3GPP TS36．331／TS36．133などによって定義されるA3、A2、A4、A6イベント）を使用する。L3 RRMは通常、RRC＿ACTIVE状態のネットワークによって、またはRRC＿IDLE状態のUEによって、制御される。
【発明の概要】
【課題を解決するための手段】
【０００８】
例示的実施形態は、トランシーバと、トランシーバに結合され、複数のビームを記述するL1データを生成するためにトランシーバを介して受信された複数のビームからダウンリンク（DL）基準信号を測定するように構成された、レベル1（L1）処理要素と、事前構成パラメータと一致する第1セル内の複数のビームのうちの1つ以上に対応するL2データを生成するために、L1データに応答して複数のビームを結合または集約するように、ならびに選択またはフィルタリングするように構成されたレベル2（L2）処理要素と、L1およびL2処理要素に結合され、第1セルおよび第2セルの各々の複数のビームのうちの1つ以上に対応するL3データを生成するように構成された、レベル3（L3）処理要素と、L1、L2、およびL3処理要素に結合され、モビリティイベント用の報告を生成するように構成された、報告ジェネレータと、を備えるユーザ機器（UE）を含む。
【０００９】
任意選択的に、上記実施形態の一態様において、モビリティイベントは、送受信点（TRP）の第1ビームからTRPの第2ビームにUEを切り替えることを含み、第1および第2ビームは複数のビームのうちのビームであり、UEは、L2処理要素の機能性をL3処理要素に統合するために、またはL2処理要素の機能性をL1処理要素に統合するために、L2およびL3処理要素を無効化するように構成されており、報告ジェネレータは、アクティブ処理ユニットの対応する層におけるデータに基づく報告として積層報告を生成するように構成されている。
【００１０】
任意選択的に、上記実施形態または態様の一態様において、モビリティイベントは、第1セル内の1つの送受信点（TRP）に関連する第1ビームから第1セル内の別のTRPに関連する第2ビームにUEを切り替えることを含み、第1および第2ビームは複数のビームのうちのビームであり、UEはL3処理要素を無効化するように構成されており、報告ジェネレータは、L1およびL2データに基づいて報告を生成するように構成されている。
【００１１】
任意選択的に、上記実施形態または態様の一態様において、第1および第2セルは単一の次世代ノードB（gNB）に関連付けられ、モビリティイベントは、第1セルの送受信点（TRP）に関連する第1ビームからgNBに関連する第2セルに関連する第2ビームにUEを渡すことを含み、第1および第2ビームは複数のビームのうちのビームであり、報告ジェネレータは、L2およびL3データに基づいて報告を生成するように構成されている。
【００１２】
任意選択的に、上記実施形態または態様の一態様において、第1および第2セルはそれぞれの第1および第2次世代ノードB（gNB）に関連付けられており、モビリティイベントは、第1セルの第1送受信点（TRP）に関連する第1ビームから第2セルの第2TRPに関連する第2ビームにUEを渡すことを含み、第1および第2ビームは複数のビームのうちのビームであり、UEはL2処理要素を無効化するように構成されており、報告ジェネレータは、L1およびL3データを使用して報告を生成するように構成されている。
【００１３】
任意選択的に、上記実施形態または態様の一態様において、モビリティイベントは、複数のビームの第1対の送信（Tx）および受信（Rx）ビームから複数のビームの第2対のTxおよびRxビームに切り替えることを含み、L1処理要素は整列ビーム対を記述するL1データを生成するように構成されている。
【００１４】
任意選択的に、上記実施形態または態様の一態様において、モビリティイベントは、複数のビームのうちの第1多周波ビームから第2多周波ビームに切り替えることを含み、L2処理要素は、L1データに基づいて第2多周波ビームで使用するために複数のビームのうちのビームを選択および結合するように構成されている。
【００１５】
任意選択的に、上記実施形態または態様の一態様において、DL基準信号は、少なくとも1つのxRSまたはxSS基準信号を含む。
【００１６】
任意選択的に、上記実施形態または態様の一態様において、L2処理要素は、論理AND演算子、論理OR演算子、最大演算子、最大N演算子、および平均化演算子のうちの少なくとも1つ、閾値比較演算子、または相対比較演算子をL1データに適用することによって、複数のビームを集約、選択、またはフィルタリングするように構成されている。
【００１７】
別の例示的実施形態は、トランシーバと、複数のビームを記述するL1データを生成するためにトランシーバを介して受信された複数のビームからアップリンク（UL）基準信号を測定するように構成された、レベル1（L1）処理要素と、所定のパラメータと一致する第1セル内の複数のビームのうちの1つ以上に対応するL2データを生成するために、L1データに応答して複数のビームを集約、選択、またはフィルタリングするように構成されたレベル2（L2）処理要素と、L1およびL2処理要素に結合され、第1セルおよび第2セルの各々の複数のビームのうちの1つ以上に対応するL3データを生成するように構成された、レベル3（L3）処理要素と、L1、L2、およびL3処理要素に結合され、モビリティイベント用の報告を生成するように構成された、報告ジェネレータと、ULおよびDL基準信号もしくはL2処理ユニットまたはL3処理ユニットのうちの少なくとも1つからのULおよびDL基準信号のハイブリッド測定値を組み込むように構成された決定ユニットと、ハイブリッドモビリティ決定を容易にするために、他のネットワーク装置またはユーザ機器（UE）とメッセージを交換するように構成されたシグナリングメッセージジェネレータと、を備えるネットワーク装置を含む。
【００１８】
任意選択的に、上記実施形態または態様の一態様において、モビリティイベントは、ユーザ機器（UE）の第1ビームからUEの第2ビームにTRPを切り替えることを含み、第1および第2ビームは複数のビームのうちのビームであり、TRPはL2およびL3処理要素を無効化するように構成されており、報告ジェネレータはL1データに基づいて報告を生成するように構成されている。
【００１９】
任意選択的に、上記実施形態または態様の一態様において、モビリティイベントは、複数のビームの第1対の送信（Tx）および受信（Rx）ビームから複数のビームの第2対のTxおよびRxビームに切り替えることを含み、L1処理要素は、整列ビーム対を記述するL1データを生成するように構成されている。
【００２０】
任意選択的に、上記実施形態または態様の一態様において、モビリティイベントは、複数のビームの第1多周波ビームから複数のビームの第2多周波ビームに切り替えることを含み、L2処理要素は、L1データに基づいて第2多周波ビームで使用するために複数のビームのうちのビームを選択および結合するように構成されている。
【００２１】
任意選択的に、上記実施形態または態様の一態様において、L2処理要素は、論理AND演算子、論理OR演算子、最大演算子、最大N演算子、および平均化演算子のうちの少なくとも1つ、閾値比較演算子、または相対比較演算子をL1データに適用することによって、複数のビームを集約、選択、またはフィルタリングするように構成されている。
【００２２】
別の例示的実施形態は、UE装置のためのモビリティ管理方法であって、複数のビームを記述するL1データを生成するために受信した複数からのダウンリンク（DL）基準信号を処理するステップと、事前構成パラメータと一致する第1セル内の複数のビームのうちの1つ以上に対応するL2データを生成するために、L1データに応答して複数のビームを集約、選択、またはフィルタリングするステップと、L3データを生成するために、第1セルおよび第2セルの各々のビームに対応するデータを処理するステップと、ネットワーク構成にしたがってUL信号を生成するステップと、ネットワーク構成、モビリティイベント、またはUEの優先度に応じて、L1、L2、またはL3データのいずれかを生成する処理を選択的に無効化するか、またはL1、L2、またはL3データのうちのいずれか2つを組み合わせられた処理に統合するステップと、生成されたデータからモビリティイベント用の報告を生成するステップと、を備える方法を含む。
【００２３】
任意選択的に、上記実施形態または態様の一態様において、モビリティイベントは、送受信点（TRP）の第1ビームからTRPの第2ビームにUEを切り替えることを含み、第1および第2ビームは複数のビームのうちのビームであり、方法は、L2およびL3処理を無効化するステップと、L1データに基づいて報告を生成するステップと、をさらに含む。
【００２４】
任意選択的に、上記実施形態または態様の一態様において、モビリティイベントは、第1セル内の1つの送受信点（TRP）に関連する第1ビームから第1セル内の別のTRPに関連する第2ビームにUEを切り替えることを含み、第1および第2ビームは複数のビームのうちのビームであり、方法は、L3処理を無効化するステップと、L1およびL2データに基づいて報告を生成するステップと、をさらに含む。
【００２５】
任意選択的に、上記実施形態または態様の一態様において、第1および第2セルはそれぞれの第1および第2次世代ノードB（gNB）に関連付けられており、モビリティイベントは、第1セルの第1送受信点（TRP）に関連する第1ビームから第2セルの第2TRPに関連する第2ビームにUEを渡すことを含み、第1および第2ビームは複数のビームのうちのビームであり、方法は、ネットワーク構成、モビリティイベント、またはUEの優先度に基づいて、L2データを生成する処理を、L1またはL3データを生成する処理のうちの1つに統合するステップと、L1データ、L3データ、またはL1およびL3両方のデータを使用して報告を生成するステップと、をさらに含む。
【００２６】
任意選択的に、上記実施形態または態様の一態様において、モビリティイベントは、複数のビームの第1対の送信（Tx）および受信（Rx）ビームから複数のビームの第2対のTxおよびRxビームに切り替えることを含み、方法は、整列ビーム対を記述するL1データを生成するステップを含む。
【００２７】
任意選択的に、上記実施形態または態様の一態様において、モビリティイベントは、複数のビームのうちの第1多周波ビームから第2多周波ビームに切り替えることを含み、方法は、L1データに基づいて第2多周波ビームで使用するために複数のビームのうちのビームを選択および結合することによってL2データを生成するステップを含む。
【００２８】
任意選択的に、上記実施形態または態様の一態様において、方法は、L1データからL2データを生成するために、論理AND演算子、論理OR演算子、最大演算子、最大N演算子、加重関数演算子、平均化演算子、閾値比較演算子、または相対比較演算子のうちの少なくとも1つを適用することによって複数のビームを集約、選択、またはフィルタリングするステップのうちの少なくとも1つを含む。
【図面の簡単な説明】
【００２９】
【図１】RRCの関与を伴う、標準化された全方向LTE L3モデルを示すブロック図である。
【図２】例示的実施形態による、1つのUEと1つまたは複数のTRP（Transmission and Reception Points、送受信点）との間に高周波（HF）整列ビームを有するセル内モビリティシナリオを示すブロック図である。
【図３Ａ】例示的実施形態による、モビリティ管理機能からビーム管理機能を論理的に分離して（ハイブリッド）モビリティ管理のためにDL、UL、およびハイブリッドRRM測定値を統合するための共通フレームワークを有する、例示的モデルのブロック図である。
【図３Ｂ】例示的実施形態による、モビリティ管理機能からビーム管理機能を論理的に分離して（ハイブリッド）モビリティ管理のためにDL、UL、およびハイブリッドRRM測定値を統合するための共通フレームワークを有する、例示的モデルのブロック図である。
【図３Ｃ】例示的実施形態による、モビリティ管理機能からビーム管理機能を論理的に分離して（ハイブリッド）モビリティ管理のためにDL、UL、およびハイブリッドRRM測定値を統合するための共通フレームワークを有する、例示的モデルのブロック図である。
【図４】例示的実施形態による、異なるシナリオに対する階層編成（TRP／セル内）ビーム管理および（TRP／セル間）モビリティ管理を示すチャートである。
【図５】例示的実施形態による、図4の階層ビーム／モビリティ管理シナリオのグラフィック図である。
【図６】例示的実施形態による、1つのUEと1つのTRPとの間の初期ビームアライメントを示すブロック図である。
【図７】例示的実施形態による、セル内またはTRP内ビーム切り替え／追跡を示すブロック図である。
【図８】例示的実施形態による、セル内TRP間モビリティを示すブロック図である。
【図９】例示的実施形態による、セル間TRP間モビリティを示すブロック図である。
【図１０】例示的実施形態による、ハイブリッドモビリティおよびRRMシステムフレームワークの提案されたさらなる実施形態を示すブロック図である。
【図１１Ａ】例示的実施形態による、提案されたハイブリッドマルチビームRRMモデルを使用するハイブリッドUL／DLモビリティフレームワークの制御フローを示す、提案されたタイミング図である。
【図１１Ｂ】例示的実施形態による、提案されたハイブリッドマルチビームRRMモデルを使用するハイブリッドUL／DLモビリティフレームワークの制御フローを示す、提案されたタイミング図である。
【図１２】例示的実施形態による、RFユニットを介したマルチビーム通信のための論理的に分離したビーム管理およびモビリティ管理方法ならびにアルゴリズムを実施するためのユーザ装置またはネットワークノードの回路を示すブロック図である。
【発明を実施するための形態】
【００３０】
以下の説明では、本明細書の一部を形成し、実践され得る特定の実施形態の説明によって示される、添付図面が参照される。これらの実施形態は、当業者を可能にするのに十分なほど詳細に説明されており、他の実施形態も利用されてもよいこと、ならびに本開示の範囲から逸脱することなく構造的、論理的、および電気的な変更がなされてもよいことは、理解されるべきである。したがって、以下の例示的実施形態の説明は限定的な意味で解釈されるべきではなく、本実施形態の範囲は添付請求項によって定義される。
【００３１】
本明細書に記載される機能またはアルゴリズムは、一実施形態においてソフトウェアで実装されてもよい。ソフトウェアは、ローカルまたはネットワーク接続のいずれかの、1つ以上の非一時的メモリまたは他の種類のハードウェアベースの記憶装置などのコンピュータ可読媒体またはコンピュータ可読記憶装置に記憶されたコンピュータ実行可能命令からなってもよい。さらに、このような機能は処理要素またはモジュールに対応し、これらはソフトウェア、ハードウェア、ファームウェア、またはこれらの任意の組み合わせであってもよい。必要に応じて1つ以上の処理要素内で複数の機能が実行されてもよく、説明される実施形態は単なる例である。処理要素は、パーソナルコンピュータ、サーバ、またはその他のコンピュータシステムなどのコンピュータシステム上で動作するデジタル信号プロセッサ、ASIC、マイクロプロセッサ、またはその他の種類のプロセッサ上で実行されて、このようなコンピュータシステムを特別にプログラムされた機械に変える、ソフトウェアを含み得る。
【００３２】
新無線（NR）と称される新興の第5世代（5G）無線システムでは、空間分割多元接続（SDMA）などの技術および単一周波数または多周波数の展開（たとえば、キャリアアグリゲーション（CA）およびデュアルコネクティビティ（DC）を含む、HF（高周波）およびLF（低周波）の両チャネル）を通じて無線リンクを実施するために、ビーム形成が使用される。既存の全方向（6GHz未満のLTE LF）実装と比較して指向性送受信が狭いため、ビーム形成システム用のRRMは、ビーム決定（たとえば、アライメント、選択、切り替え、調整、および追跡など）、ビーム測定、ビーム報告、およびビーム掃引などのような、ビーム管理（BM）機能を含む。これらの機能は通常、少なくともL1およびL2において実行される。BM関連の無線測定およびRRCは、新無線RRMの一部と見なされることが可能である。この新しいRRMは、アップリンク（UL）およびダウンリンク（DL）の両方において、セル固有およびユーザ固有信号の両方で、新しい基準信号を使用し得る。NR内の全ての類似のRRMおよびモビリティシナリオで均一なフレームワークを有することが望ましい。同様に、RRMおよびモビリティは、UE装置およびネットワークノード（たとえば、gNBまたは送受信点（TRP））ならびにこれらお相互作用を伴う無線によるエンドツーエンド動作である。
【００３３】
ビーム形成に加えて、5G無線システムは、同じ周波数帯域または異なる周波数帯域のいずれかにおいて全二重または半二重モードで動作し得る。送信機および受信機はいずれも、安定したまたは使用可能なビーム対リンク（BPL）を形成する整列した送信機（Tx）−受信機（Rx）ビーム対を定義するために、デジタル、アナログ、またはハイブリッドビーム形成技術を採用し得る。整列した対では、受信機のアンテナは、送信機からの対応するビームとほぼ同じビーム「軸」を有するビームを形成するように構成されている。アナログビーム形成は、それぞれのTxおよびRxビームの軸を揃える。デジタルビーム形成は、TxおよびRxビームの固有値／ベクトル計算を伴う数学的なものである。全二重モードでは、TRPおよびUEはいずれもビーム形成を採用することができ、その場合、UEとTRPとの間に2つのビーム対があり得る。1対のTxおよびRxビームは通常同じ周波数帯域を使用するが、しかしたとえばTRPおよび／またはUEがキャリアアグリゲーション向けに構成されているときには、異なる周波数を有する複数対のビームが同じUE−TRPによって同時に使用されることが可能である。本明細書で使用されるとき、ビーム対という用語は、Tx−Rx対のビームのみを指す。いくつかの例では、TRPまたはUEのいずれかはビーム形成を採用しなくてもよい。これらの例はまた、ビーム形成のために1つのビームが全方向性であって他方のビームが指向性であるビーム対を採用してもよい。本明細書で使用されるとき、ビームという用語は、1つの装置の複数のアンテナを使用して形成された単一のビーム、またはRx−Txビーム対を指すことができる。
【００３４】
5Gシステムが動作し得る異なるモードの数は、ハンドオーバ、ビーム切り替えなどのモビリティイベントの実装を複雑にする。現在のシステムでは、ハンドオーバは通常、eNB間である。上述のような5Gシステムでは、図4および図5を参照して以下に説明されるように、複数のハンドオーバシナリオがあり得る。5Gシステムにモビリティイベントを実装するための管理の役割を理解するためには、既存のシステム内でハンドオーバがどのように行われるかを理解することが役立つ。
【００３５】
3GPP TS36．842およびTS36．300規格は、HetNetデュアルコネクティビティ（DC）モビリティおよびDLモビリティRRMのためのRRMを定義する。このRRMは、イベントトリガ条件、小さいセルがL1でオンまたはオフになり得る、またはL3で接続を変更する、スレーブツーマスター（S2M）およびマスターツースレーブ（M2S）ハンドオーバなどのモビリティシナリオ向けの閾値との相対比較または比較を含む、RSRPまたはRSRQの測定値のメトリックのような基準を導入する。以下に説明されるように、5G RRMは、ビーム管理とモビリティ管理とを区別し、3GPP無線アクセスネットワークワーキンググループ2（RAN WG2またはRAN2）協定で定義された、異なるモビリティシナリオに対してRRMおよびモビリティの均一なフレームワークを提供する。さらに、以下に説明される例示的な5G RRMシナリオは、新しいモビリティシナリオ、ならびに同じTRP／セルからまたは異なるTRP／セルにわたる複数のビーム対の結合の操作に、適応可能である。これらの例の考察は、単一のビーム対または異なるビーム対によって定義されたチャネルの測定値を経時的にどのように平均化するか否かを含む。以下に説明される例は、ビームアライメント状態（アライメントの前または後）の知識のない、UEによる複数のビームの受信品質の時間平均のような一般的なRRM基準に限定されない。これらは、たとえばUL対DLモビリティ、セル内TRP間対セル間／gNB間モビリティなど、特定のシナリオ向けの具体的な測定基準を定義し、（たとえば、セル内TRP間（ULおよびDL）モビリティ（本明細書ではL2モビリティと呼ばれる）がない）多くのNRモビリティシナリオに適応するための適応型または均一なハイブリッドフレームワークを提供し、より高額で低速のL3モビリティの代わりにまたは濃度において新しいRRMフィルタおよび報告トリガを有する新しいL2モジュールを実装する。L2モジュールは、RRCの関与のないモビリティまたはL2ビーム管理のためにL3モジュール（たとえば、L3 RRMフィルタおよびL3 RRM報告）を交換してもよく、またはL2モジュールは、RRCの関与を伴うモビリティのためにL3モジュールと連結または統合してもよい。これらの例はまた、従来の（たとえば、DL測定ベース）または将来の（たとえば、DLおよびUL測定ベース）モビリティシナリオに同様に適合するハイブリッドRRM構成可能フレームワークも定義する。たとえば、ハイブリッドULおよびDLベースRSでは、LTEよりもNRにおいてあまりタイムリーではないDL RS（たとえば、DL RSの低頻度の送信）のためのDL RRMおよびモビリティを補償するため、したがってより良い消費電力制御を達成するために、以下に説明されるフレームワークの例におけるUL RRMおよびモビリティが使用され得る。
【００３６】
1つのeNBから別のeNBへの従来のハンドオーバに加えて、NRの階層アーキテクチャで動作する以下に説明される例示的なモビリティ管理フレームワークは、単なるビーム管理（BM）以外のモビリティ管理（MM）挙動として、「ビーム切り替え」（たとえば、TRP間、セル間、および／またはgNB間）などの他の種類のモビリティイベントを検討する。ビーム管理は、同じUEおよび異なるTRP／セル／gNBを有する対の間でのビーム切り替えが上層でまたはコアネットワークの内部での低速シグナリングを伴わずに機能できるとき、モビリティ管理にとって十分である。しかしながらこれは、ほとんどの場合、TRP／gNBが厳密に同期しているときにのみ起こるだろう。
【００３７】
図4は、RAN2協定によって定義された階層的編成においてTRP／セルレベルのMMおよびビームレベルビームの管理がどのように実施され得るかを示す例示的なシナリオを示すチャートである。システム400は、2つの物理的に隣接して部分的に重なり合うセル410および415を含む一例である。セル410は、TRP420および422を含む。TRP420は、ビーム424、425、426、および427を含む。TRP422は、ビーム430、431、432、および433を含む。セル415は、TRP440および450を含む。TRP440は、ビーム441、442、443、および444を含む。TRP450は、ビーム451、452、453、および454を含む。各TRPについて示されるビームの数は、簡素化された図解のためであり、TRPは図示されるよりもはるかに多くのビームを有してもよい。
【００３８】
図4に示されるものと類似のシステムが、セル501および502ならびにTRP503、504、505、506、および507と共に図5に500で図式的に示されている。なお、図4および図5の両方が、複数のビームおよび複数のTRP、ならびに510、511、512、513、および514で示される複数の位置の間を移動するUEを含むことに、留意されたい。セル501は、TRP503および504を含む。TRP503は、524、525、526、および527で示されるビーム1−4を含む。TRP504は、ビーム530および531を含む。セル502は、ビーム541、542を有するTRP505を含む。セル502は、セル551、552を有するTRP506も含む。なお、全てのビームがグラフィック描写500に示されているわけではないことに、留意されたい。
【００３９】
図4に示されるシナリオは、UEが異なる位置に移動する際にUEの複数のリンクが動的にどのように動くか（たとえば、同じまたは異なるTRPまたはセルで）に応じて、ビーム管理、モビリティ、またはビーム管理およびモビリティの両方を伴う。TRP内またはセル内ビーム管理およびTRPまたはセルレベルのモビリティ管理を伴ういくつかのケースが示されている。セル内またはTRP内ビーム管理の一例が、ケース1〜3によって示されている。ケース1では460において、UEは、ビーム425からビーム426にビームを切り替える。この切り替えは、ケース2の462で示されるようにTRP420で、ならびにケース3の464で示されるようにセル401で、行われる。ケース3は、TRP420がセル410とは異なって（たとえば、物理的に別個のgNB内に）固定された場合、L3モビリティ管理に関連付けられ得る。そうでなければケース3は、L2ビーム管理に関連付けられる。たとえば、ケース3は、TRP420に固定された狭帯域幅ビームからセル410に固定された全方向ビームへのフォールバックを表すことができる。同様に、ケース2は、L1のみ、またはL1およびL2の両方を伴うTRP内ビーム管理のケースと見なされることが可能である。ケース4は466において、UEがTRP420のビーム427からTRP422のビーム430に切り替える、セル内TRP間ビーム切り替えを示す。ケース5は、TRP422のビーム433からTRP440の全方向ビームへのビーム切り替えを示し、ここでセル410および415の両方が、gNB／CU／DUなどの単一のネットワーク装置に実装されている  ケース6は470において、TRP440および450の全方向ビームの間での切り替えを示す。ケース7は、セル410からセル415へのハンドオーバを示す。図5に示されるシステム500は、566、568、および570で示されるのと類似のケースを含む。図4に示されるケースは、図5および図7を参照して、以下により詳細に説明される。
【００４０】
たとえばCA（carrier aggregation、キャリアアグリゲーション）ベースのマルチ接続では、どのキャリアがどのTRPから発生するかに依存する。たとえば、両方のキャリアが1つのTRPから発生するとき、MMはビーム管理のみによって操作されてもよい。しかしながら、二次コンポーネントキャリア（CC）が別のTRPまたはセルから発生するとき、L2（異なるTRP）またはL3（異なるセル）モビリティが考慮され得る。
【００４１】
図3A、図3B、および図3Cは、図10に示されるシステム1000のようなシステム内で使用するためのマルチビーム無線リソース管理（RRM）用の共通フレームワークの例である。図3A、図3B、および図3Cに示される例示的実施形態は、様々なビーム形成ビームを使用するネットワークにおいてハイブリッドモビリティを実施する。共通フレームワークは、ユーザ機器（UE）および／またはTRPを介して、単一のビーム対または複数の整列ビーム対にわたるモビリティ管理（MM）のためにDLおよびUL両方の基準信号を測定する、分離可能なビーム管理（BM）プロセスを含み得る。装置（たとえばUEおよび／またはTRP）は、基準信号を測定し、次いで他の装置（たとえばTRPおよび／またはUE）に測定値を報告する。
【００４２】
一般に、同じかまたは異なるセル内のUEとTRPとの間の複数のビーム対が測定され、結果が組み合わせられてもよい。層2（L2）および層3（L3）のRRM測定基準およびフィルタ機能が定義され、シナリオ固有の設定のために報告トリガがチェックされる。TRP間またはセル／gNB間（次世代ノードB、5G、または他のシステム内の任意の等価ノード）のハイブリッド。本明細書に記載されるMMシナリオは、適応的かつ構成可能に操作される。新しい構成フローおよび制御メッセージは、無線を介してまたはネットワーク内で送信され得る。
【００４３】
以下に説明される例では、ビーム管理（BM）機能は、NRセルの定義内のビーム形成プロセスの一部として実行される。BMは、セル内のUEとTRPとの間のセル内ビーム切り替えを実施するために使用される。セル間ビーム切り替えおよび／またはセル内および／またはセル間サービスノード切り替えをもたらすより高レベル（たとえばL2またはL3）のモビリティ管理（MM）機能は、NRセル定義に基づいてL2またはL3で無線リソース管理（RRM）機能を実行すること、最良の安定したビーム対またはセルレベルチャネル品質を得るためにビーム（対）結合（たとえば集約／選択）を実行することを伴い、これはマルチビーム（対）測定、またはBMモジュールがUEと1つまたは複数のTRPとの間の安定した整列ビーム対を識別した後のセル固有測定を伴う。以下に説明される例では、BMおよびMM機能は互いに論理的に分離可能であり、論理RRM機能はBMとMMとの間に分散している。
【００４４】
以下の例の各々は、以下の特徴を有し得る、マルチビームRRMおよびハイブリッドモビリティのためのフレームワークを含む。UEおよびTRPの各々は、TRPとUEとの間の単一または複数の整列ビーム対を介して、MMのために互いの他方のTRPおよびUEからの基準信号（RS）を測定する。これらの測定値は、分離可能なBMプロセスで報告される。同じセル内または異なるセル内のUEとTRPとの間の複数のビーム対が測定され、MM目的のためのセルレベルまたはTRPレベルのRRM測定値を得るために、L2（同じセル）および／またはL3（異なるセル）で結果が組み合わせられる。フレームワークの特定の実施は、L2およびL3 RRM測定基準、結合方法（たとえばマルチビーム集約、選択、およびフィルタリング）、および報告トリガを定義する。
【００４５】
TRP間またはセル／gNB間のハイブリッドであるMMシナリオと共にフレームワークが使用されるとき、以下のMMシナリオは適応的に操作され、フレームワークは、以下を含む構成プロトコルフローを使用して構成される：ハイブリッドUL／DLモビリティ、純粋にDLまたはULモビリティ；セルあたり1つまたは複数のTRP、gNBあたり1つまたは複数のセルなど；LFおよび／またはHF、シングルキャリアまたはマルチキャリア、もしくはシングルバンドまたはマルチバンド；DCまたはCAによるシングル接続またはマルチ接続；BMおよびMMの、およびそこでの明確な分離があるまたはない、異なるネットワークノードにおけるL2のみ、L3のみ、またはL2およびL3両方のフィルタリングエンティティ；具体的なL3および／またはL2（フィルタリング）機能、ならびにネットワークノードを有するL2およびL3エンティティの位置、もしくはこれらのハイブリッド結合のいずれか；任意の直交的に定義されたL2／L3シグナリング（たとえば、LFアンカーノードからのデュアルコネクティビティRRCシグナリングによる、またはMAC層制御要（CE）、MAC層アップリンク制御情報（UCI）、MACダウンリンク制御情報（DCI）などによる）；および／または加重関数または任意の列挙された構成可能関数および／または連結サブモジュールによる上記の任意の組み合わせ。
【００４６】
例示的フレームワーク300、350、および370（図3A、図3B、および図3Cに示される）におけるL2の概念に関する様々な実施形態では、異なる仮定は定義に影響を及ぼす可能性があるが、フレームワークの一般性には影響しない。マルチビームハイブリッドモビリティ動作のためのモビリティ管理（MM）対ビーム管理（BM）では、ビームレベルBMプロセス（たとえば、UEと同じTRPとの間のビームアライメント、ビーム対選択、ビーム切り替え、およびビーム追跡）は、TRPまたはセルレベルでMMに関連付けられるかまたはMMから独立することができる。なお、L2 BMは、RRCの関与のないMMと見なされてもよいことに留意されたい。これらの実施形態では、L2 BMはL2 MMとしても知られている。彼の種類のビーム切り替えのMMは、あまり厳密ではなく同期したノード（TRP／セル／DU／CU／gNB）の変更によって特徴付けられてもよい。BMのためのRRMは、RRMプロセスによって、使用したRS（たとえば、CSR0RSを含むxSS／xRS、復調RSまたはDMRS、SSブロック、PSS／SSS）によって、ならびに測定、フィルタリング、および報告基準などによって、MMのためのRRMから分離可能であると想定される。図3Cの実施形態によって示されるように、BMおよびMM RRMプロセス（374から376／378、または374から380および382／384）における違いは構成可能であり得、プロセス374、376、380、および382の各々は、選択的に無効化され（たとえばオンまたはオフになる）、もしくはモビリティイベントに応じて独立してまたは同時に他のプロセスと適応的に統合されることが可能である。一実施形態では、L1プロセス372によって提供されたデータがモビリティイベントはTRP内ビーム切り替えであることを示すとき、L1プロセス372はL2およびL3プロセス374、376、380、および382を無効化し得る。同様に、モビリティイベントがgNB／CU間ハンドオーバであるとき、L1プロセス372および／またはL3プロセス380および382はL2プロセス376を選択的に無効化し得る。あるいは、フレームワーク350は、特定のモビリティイベントに応答して上述のようにL2および／またはL3プロセスを選択的に無効化する制御プロセッサによって制御されてもよい。
【００４７】
しかしながら、測定プロセス、フィルタリング、および報告プロセスは、図3Aに示される同じ均一なRRMフレームワークならびに図3Bおよび図3Cに示されるその派生的な実施形態において、可能な限り2つの間で共有され得る。以下に説明される例は、無線アクセスネットワーク（RAN）構造および展開シナリオの特定の実施形態を用いてセルおよびL2 MMおよびBMを定義する。これらのシナリオは非限定的であり、フレームワークの例300、350、および370において他のシナリオが実施されてもよい。
【００４８】
図3A、図3B、および図3Cに示されるフレームワークの例300、350、および370は、各々複数のブロックを含む。これらのブロックは、プログラムされたプロセッサ、特殊用途のプロセッサ（たとえば特定用途向け集積回路（ASIC）、フィールドプログラマブルゲートアレイ（FPGA）、プログラマブルロジックアレイ（PLA）など）として、および／または単一のプロセッサまたはプロセッサのグループ（たとえばマルチコアプロセッサ）上で動作するプログラムモジュールとして実装される処理要素を表す。例示的なプロセッサは、図12を参照して以下に説明される。
【００４９】
「セル」の概念は、5Gではまだ完全には定義されていない。「セル」は、対応する「L2」の定義の実施形態につながる1つ以上の実施形態について、以下のように定義される。セルの例示的な定義は、各セルが一意の「セル」IDおよび1つまたは複数の同期したTRPを有する、gNB、CU、および／またはDUベースの定義を想定する。1つのgNBまたはCUは1つまたは複数のDUを操作でき、各DUは別個のセルに対応し得る。定義はまた、RRCがL3「セル」レベルにある、すなわちgNB／CUに固定されていることも想定している。以下の資料では、gNBへの言及はCUも指すことがある。さらに、定義は、1つのセル内または異なるセル内の単一のUEと異なるTRPとの間のビーム対が、何らかの物理ID、RS定義によって、またはこれらの構成などによって区別可能であることを想定している。この事例では、セル内TRP間またはCU内DU間／TRP間「ビーム切り替え」は、L1 BMのみではなく、DU／TRP間コンテキストまたはデータ転送を伴うL2 TRPレベルのMM挙動と見なされる。異なる実施形態または仮定にかかわらず、本明細書で使用されるとき、L2は無線リソース制御（RRC）を伴わない。本明細書で使用されるとき、L3はRRCを伴う。
【００５０】
一般に、MMのためのRRMは、gNB内およびセル間切り替えではL2（たとえばgNBが複数のセルを含むとき）、またはgNB間ノード切り替えではL3であってもよい。以下に説明される実施形態では、TRPは1つのセル内で区別不可能である。この例では、TRPは（たとえば、協調マルチポイントTx／Rxを使用して）単一の仮想TRPに効果的に組み込まれるので、L2セル内TRP間切り替え（すなわちL2 MM）は純粋にL1 BMに後退する。以下の実施形態は、ビーム結合（たとえば、集約／選択、フィルタリング）のための新しいL2モジュール（図3Aの330、335、340、図3Bの354、図3Cの374）に示されるように、L2で操作されるBMに関し、ネットワーク側ノード間コンテキストまたはデータ転送を伴うMM（L2またはL3 MM）の一部、もしくはこのようなコンテキストまたはデータ転送のない純粋なL2 BMと見なされることが可能である。
【００５１】
したがって、L2 MM手順は、セルおよびTRPが特定のRANアーキテクチャ内でどのように実装されるかに応じて、セル内TRP間またはセル間となり得る。L2 MM手順はまた、RAN内で使用されるTRP固有またはセル固有の基準信号にも依存し得る。異なる実施形態では、L2 RRMはMAC層またはMAC／RLC／PDCP層にあってもよく、もしくは消失するかまたは純粋なL1またはPHY層に後退してもよい。
【００５２】
簡潔にするために、以下に提供される例の説明は頭字語を使用する。表1は、これらの頭字語の意味を示す。
【００５３】
【表１Ａ】
2020505821.tif 000003
【表１Ｂ】
2020505821.tif 000004
【００５４】
図1は、100におけるL3 RRC構成およびL3 RRC測定報告を有する全方向（すなわちビーム形成なし）LTE RRMモデルを示すブロック図である。モデル100は、L1フィルタ要素110、L3フィルタ要素115、および報告基準の評価要素120を含む。L3フィルタ要素115および報告基準要素120は、リソースを管理するために、各それぞれの層（たとえばL1および／またはL3）でネットワークからのDL基準信号を操作（受信、測定、および報告）するためのネットワーク構成パラメータを利用する。
【００５５】
以下の例は、いくつかの異なる種類の基準信号を使用する。3GPP規格は、セル固有RS（CRS）、マルチキャスト放送単一周波数ネットワークRS（MBSFN RS）、UE固有復調RS（DMRS）、UE固有RS、位置決めRS、チャネル状態情報（CSI）RSなどを含むいくつかの物理層基準信号を記載しており、これらはまとめてxRSと称される。例示的な基準信号はまた、一次同期信号（PSS）、二次同期信号（SSS）、拡張同期信号（ESS）、SSブロック、SSバースト、SSバーストセットなども含み、これらはまとめてxSSと称される。さらなるL1基準信号は、物理放送チャネル（xPBCH）、ビーム基準信号（BRS）、ビーム調整基準信号（BRRS）などを含んでもよい。このリストは網羅的であるように意図されない。3GPP規格または新興5G規格の下で知られる他の基準信号もまた使用され得る。
【００５６】
NRでは、RRMは、LFおよびHFの両方またはこれらのハイブリッド、および／またはULおよびDL両方のモビリティまたはハイブリッドについて、1つ以上のビーム形成リンクのL1−L3特性を考慮に入れるべきである。RRMは、ビーム固有の無線品質に基づいてTRPレベルまたはセルレベルの無線品質を提供するために、各ビーム内の基準信号を分析する。RRMは、TRP内ビーム切り替え、TRP間ビーム切り替え、gNB内および／またはgNB間ハンドオーバをトリガするために、フィルタリングモデル、測定構成と共にこの情報を使用する。
【００５７】
上述のように、「セル」の概念は、新興5G NR RANではまだ定義されていない。したがって、5Gセルは、中央ユニット（CU）および1つまたは複数の分散ユニット（DU）を有するように論理的に分割され得るgNB内の1つまたは複数のTRPを含んでもよく、これらの各々がgNB内のTRPのうちの1つ以上を制御する。さらに、5Gで発展しているCN（コアネットワーク）があると、少なくともセル間／gNB間（RRCの関与を伴う）、セル内TRP間（RRCの関与なし）、およびまだ定義されていないセル間gNB間（RRCありまたはなし）などを含む多くの異なるモビリティシナリオが存在する。これらのモビリティシナリオの各々は、スタンドアロンNR（LTEに関する）、非スタンドアロン（NSA）NR、スタンドアロンHF UDN（超高密度ネットワーク）、および／またはLF支援HFなどのシナリオ依存ネットワーク展開に適用できる。要するに、新しいRRMおよびモビリティ方式は、（基礎となる）ビーム管理、新しいRAN／CNアーキテクチャ、および具体的な展開シナリオに適合または適応する。
【００５８】
NRモビリティシナリオ内のL1におけるビーム形成チャネル（CH）および基準信号（RS）の使用、ならびに図2に示されるシステム200に示されるような層2（L2）モビリティ（支援TRPのグループを有する単一のgNBカバレッジによって具現化されるように、セル内）、ULモビリティ、デュアルコネクティビティ／キャリアアグリゲーション（DC／CA）などによるNR HFおよびLFマルチ接続の必要性のため、例示的フレームワークは、RRMを操作するように、ならびにハイブリッド（たとえば、UL＋DL、HF＋LF、L2＋L3）モビリティのために、設計される。ここでのL2は、大まかにはメディアアクセス制御（MAC）に関するが、これに限定されない。
【００５９】
図2に示されるNRシナリオ200は、示される斜視図において楕円（上面図では円）として示されるカバレッジエリアを有するHF TRPとして示される複数のTRP215と通信しているgNB210を含む。UEは、220および225によって示されるように、ある場所から別の場所に移動する。HFビームもまた、UEおよびTRPからのHFビームと整列して示されている。たとえば、220におけるUEからのTxまたはRxビーム230は、TRP240からの対応するRxまたはTxビーム235と同じ方向に（たとえばほぼ同じビーム軸に沿って）配向されている。ビーム230および235は、整列ビームまたは整列ビーム対と称される。整列ビームの他のいくつかの事例もまた、図2に示されている。なお、この例では、220におけるUEは、可能であれば同時に、3つの異なるTRPを用いて、5G NRのいわゆる「複数接続またはマルチ接続」シナリオを反映する、3つの整列ビームを有することに留意されたい。一実施形態の225におけるUEは、矢印245で表されるように、220におけるUEの異なる位置へのシフトとして示されている。図示されるように、このシフトは、同じ（たとえばビーム切り替え）または異なる（たとえばモビリティ発生）TRPを有する、異なるセットの整列ビームをもたらす。
【００６０】
LTEにおける現在の比較的高いオーバヘッド（サブフレームあたり）セル固有RS（CRS）は、より低いオーバヘッドのRSに置き換えられ得ると考えられる。進行中の5G開発は、RANまたはCNでのシグナリングを含む、新しいNR RSアーキテクチャをもたらすだろう。同じUEだが異なるサービングTRP、セル、またはgNB／DU／CUを有するNRのTRPレベルモビリティまたはセルレベルモビリティのためのRRMアーキテクチャは、複数のビーム形成セル向けのRRMおよびモビリティを効率的に操作するために、新しいLTEベースのフレームワークを使用する。
【００６１】
様々な実施形態では、5G NRビーム形成は、RRMおよびモビリティがまだ明確に定義されていない、新しいモビリティシナリオをもたらす。実施形態は、CA（シングルキャリアまたは複数キャリア）またはDCによって集約された共存LFおよびHF、動的設定またはモビリティ修正中に関与する複数のTRPまたは複数のセルとの同じUEのマルチ接続、新興ULモビリティ、ならびにハイブリッドULおよびDLモビリティなどを利用する。
【００６２】
各「セル」または各TRPは、図2に示されるように、その滞留時間（TOS）の間、UEに対する複数の（サービスまたは実現可能な）ビーム対を有してもよい。UEにとって、セルまたはTRPの全体的なチャネル品質は、既存のLTE実装のように単一の全方向無線リンクではなく、複数のTx−Rxビーム対に依存することが多い。
【００６３】
例示的フレームワークを実施するために、一方向LTEモデルと類似のモデルをサンプリングするL1マルチビーム基準信号を利用して、L2−L3 RRM測定トリガ、メトリック、構成、測定モデル、および報告プロセスが再定義されてもよい。ビーム管理とモビリティとを一緒に混合することは、高モビリティHOF／ピンポンおよびシグナリングオーバヘッドを含む性能上の不利益をもたらし得ることに留意されたい。
【００６４】
例示的フレームワークは、各レベル（L1−L3）について論理的に別個の機能を定義する。これらの機能は、図3Aの300でブロックフロー図に示されるように、全方向LTEモデルに対する拡張として、マルチビームNR RRMおよびハイブリッドモビリティのために共通フレームワークを利用して、論理的に分離されている。アップリンクおよびダウンリンクRRMおよびモビリティ処理は、各々が複数のビーム対を操作する、2つの経路310および315にそれぞれ分割される。アップリンクブロック310は、UEから送信される基準信号に基づいて、ネットワーク側でL1 RSサンプリングを実行する。ダウンリンクブロック315は、ネットワークから送信された基準信号のためにUE側でL1 RSサンプリングを実行する。両方の経路は、通常のBM動作（決定、アライメント、調整、回復、およびビーム切り替えなどを含む）、ならびにセル内またはTRP内L1／L2 RRMのための新しい（L2 RRM）フィルタリングモジュールを使用するL1／L2ビーム管理ブロック330による使用のために測定結果を提供するため、325および326において全てのビーム対にビーム毎のL1フィルタリングを提供する。
【００６５】
本明細書で使用されるとき、用語「フィルタリング」は、それによって複数の接続のチャネル品質が閾値または互いに対して比較され、および／または要約または平均化される、分析および選択プロセスを示す。フィルタリングの結果は、使用に適しているであろう1つ以上の接続を示すモビリティ報告である。選択されたビームおよび／または品質測定値は、ビームまたはビーム対が切り替えまたはハンドオーバを実施するように構成されているネットワーク側に、報告において送信される。報告は、接続選択プロセスを完了するために、他の装置に提供されてもよい。たとえば、UEによって生成された報告がTRPに送信されてもよく、その逆でもよい。
【００６６】
モビリティ管理およびRRM機能は、ビーム管理向けのものとは論理的に分離され得る。ブロック335、337、および338では、L2／L3機能は、セル内TRP間ビーム切り替え、セル間gNB間ハンドオーバ、および／またはgNB間ハンドオーバに適応し得る、UL RRM／モビリティ関連L2／L3構成パラメータによって制御されてもよい。図3Aに示されるフレームワークでは、ブロック335は、マルチビームL2フィルタリング335（個々のビーム対に対するチャネル品質のフィルタリング、またはより一般的には、MM目的のために最良の使用可能なビームを見出すためのマルチビーム集約／選択を含む、マルチビーム結合のためのマルチビーム「フィルタリング」動作）を実行する。ブロック337はマルチビームL3フィルタリングを実行し、ブロック338は評価およびネットワーク側L2／L3報告生成を実行する。
【００６７】
DL L2／L3モビリティ管理およびRRMは、ブロック340、342、および344を使用して実施される。ブロック340は、ブロック335と類似の機能を有する、マルチビームL2フィルタリングを実施し、ブロック343はマルチビームL3フィルタリングを実施し、ブロック344は、L2／L3データの評価および報告生成を実施する。ブロック340、342、および344は、セル内TRP間ビーム切り替え、セル間gNB内ハンドオーバ、および／またはgNB間ハンドオーバのケースに適応可能である。
【００６８】
ブロック335および340で実行されるL2フィルタリングは、L2マルチビームおよびモビリティ管理に対処する。フレームワークアーキテクチャは、L2／L3モビリティ管理（MM）のためにTRPレベルまたはセルレベルRRMから、ビームレベルRRM L1／L2ビーム管理（BM）を論理的に分離する。L2フィルタリングは、RRCの関与を伴わずに、しかし可能であればRRC構成を使用して、TRP／セル／gNBの変更を操作する。
【００６９】
一実施形態では、ブロック335および340によって実行されるフィルタリングは、整列ビーム対のみを考慮している。「セル」が1つのTRPを有する場合、これらのブロックは、選択的に無効化される可能性があり、またはこれらはそれぞれのセルレベルL3フィルタリング337および342と適応的に統合されてもよい。図3Aのプロセスの無効化および／または統合は、図3Cを参照して上述したのと同じ方法で行われてもよい。セルがUEによって区別不可能な複数のTRPを有する場合、たとえば、ブロック335および340は、ブロック330でのBMのL2フィルタリングと統合されてもよい。他の実施形態では、L2フィルタリング機能はL3フィルタリング機能と統合されてもよい（たとえば、ブロック335とブロック337、ブロック340とブロック342、ブロック330とブロック335およびブロック337、またはブロック330とブロック340およびブロック342）。L2（およびL3）フィルタリング基準は、従来のL1またはL3フィルタリングと類似であってもよい。あるいは、複数のビーム対およびハイブリッド（たとえばULまたはDL）メトリックの新しい機能が定義されてもよい。BMは、全方向LTE MMモジュールの場合と同じかまたは異なる（RS）入力、L2フィルタリング機能、ならびに測定報告および評価基準を有することができる。異なる実施形態では、BM用およびMM用のL2 RRMは、相間、連結（図3Aに示されるように）、または独立、分離、または並列であってもよい。
【００７０】
図3Bは、別の例示的フレームワーク350のブロック図である。この実施形態では、全ての検出可能なビーム対の各ビーム対は専用のL1フィルタ352を有するが、L3フィルタリング356は、L2結合処理354の後に結合された単一または複数のビームに適用される。処理354は、L1フィルタリング352の後だがL3フィルタリング356の前に実行される。結合処理354は、L1フィルタリング352によって提供されたビーム対の少なくともビーム集約／選択を実行する。図3Bに示されるように、この選択肢では、各ビーム（対）の層1フィルタ352の結果は、ビームレベルの測定結果を得るために結合処理354に入力される。結合の後、1つの集約ビームまたはセル品質結果が、L3フィルタ356に入力される。例示的な結合処理354は、たとえばビーム切り替えおよびビーム追跡など、L1／L2ビーム管理の一部であり得るが、これはまた、たとえばRRM目的のためのマルチビーム集約および選択などのビーム結合のような、新たに追加された動作を実行してもよい。L1フィルタ352、L2結合モジュール354、および／またはL3フィルタ356によって生成されたデータは、モビリティ報告を提供するために報告ジェネレータ358によって処理される。
【００７１】
あるいは、DLまたはULベースのRRM測定のために機能する、図3Bに示される例示的フレームワークにおいて。各ビーム対は、専用のL1フィルタを有する。しかしながら、L3フィルタリングは、L1フィルタリングの前だがL3フィルタリングの前に構成され、ビーム集約／選択を少なくとも実行する新しい（L2）結合モジュールの後に、結合ビームに適用される。L2結合処理354は、N個の（最良の）ビーム対のみを処理し得る（たとえば、処理354は、最も高いRSRP／RSRQを有するN個のビームを整列、切り替え、および追跡し、1つの仮想ビームをL3フィルタ356に提供する代わりにこれらN個のビームに関する情報を提供してもよい）。フレームワーク350のこの構成は、たとえば高周波システムにおいて有利であり得る。これらのシステムでは、TRPとUEとの間の経路内で1つ以上の障害物によって断続的に発生し得るビーム遮断のため、チャネル変動が比較的大きく、個々のビームはUEによって一貫して検出されないことがある。これらの状況では、L3フィルタリング356は、遮断されたビームによって引き起こされる断続的なL1フィルタリング結果のため、うまく機能しない可能性がある。加えて、検出およびL1フィルタリングされたビーム対は過渡的CHダイナミクスのため振動する可能性があり、これは、個別にフィルタリングされたビームまたはビーム対がモビリティ決定のために直接使用された場合に、ビーム間でピンポンを引き起こす可能性がある。図3Bに示されるフレームワークは、UE装置内、またはTRP、eNB、gNB／CUなどのネットワークノード装置内に実装されてもよい。
【００７２】
図3Cは、各ビーム対が専用のL1フィルタを有する、DLまたはULベースのRRM測定のためのさらに別の例示的フレームワーク370のブロック図である。L1フィルタリングの後、新しい（L2）結合モジュールは、たとえばRRCの関与を伴わずにモビリティ（報告）のために独立して、または他のモビリティシナリオのためのL3フィルタリングを伴ってコヒーレントに、ビームを集約／選択／フィルタリングするために適用され得る。このフレームワークでは、たとえばDL RRMを使用して、各ビーム対は専用のL1フィルタ372を有する。ビーム毎のL1フィルタリングの後、ブロック374においてL2結合処理が適用されてもよい。ブロック374によって適用された結合処理は、ターゲットモビリティがgNB／CU内であるかgNB／CU間であるかに依存する。gNB／CU内モビリティでは、ブロック374は、L1フィルタ372によって出力されたビームを集約、選択、および／またはフィルタリングしてもよい。ブロック374によって実行されるフィルタリングは、RRCの関与を伴わないモビリティ報告ジェネレータ378のために、独立して機能することができる。L2処理374はまた、ブロック380および382を参照して以下に説明されるL3フィルタリングおよび報告生成とコヒーレントに動作してもよい。図3Cに示されるフレームワークは、UE装置内、またはTRP、eNB、gNB／CUなどのネットワークノード装置内に実装されてもよい。
【００７３】
上述のように、図3Cに示されるRRMフレームワークは構成可能な入力信号、測定パラメータ、測定プロセス、および測定報告形式を有するので、UE側の測定プロセスは、対応する入力基準信号（たとえばxRS／xSS）を有するBMまたはMMのために使用されてもよい。いくつかの実施形態では、このモデルは、ハンドオーバ／ビーム切り替えの安定性を向上させるために、広く採用されているLTE RRMモデルを強化することができる。
【００７４】
図3Aから図3Cのフレームワークを用いて、少なくとも以下の特徴の新しい均一なRRMモジュールを得る。
新しい（L2）RRMモジュールは、RRCの関与を伴わずにモビリティ（測定および報告）のために独立して、または他のモビリティシナリオのためのL3フィルタリングを伴ってコヒーレントに、ビームを結合するためにL1フィルタリングとL3フィルタリングとの間に採用される。
（L2）RRMビーム結合モジュールは、ビーム集約／選択のみならず、少なくともRRCの関与を伴わないモビリティのためのビーム測定の（L2）フィルタリングのための機能性も含む。
RRCの関与がないかまたはある異なるモビリティシナリオでは、構成可能なxRS／xSS入力、フィルタリングパラメータ、および報告プロセスと共に、均一なRRMモデルが採用され得る。
【００７５】
図3Cに示される例示的フレームワーク370は、UEにおいて複数のビームを受信し得る。L1フィルタ372への入力は、複数のTx／Rxビーム対のxRS／xSS測定値（サンプル）であり得る。展開シナリオ、UE状態、および対応する構成に基づいて、L2処理ブロック374は、L2のより高レベルの機能を実装することができる（たとえばgNB内ビーム切り替え／モビリティのためのビーム対の評価）。ブロック380は、L3の低レベル機能（たとえばフィルタリング）を実装することができる。ブロック374およびブロック380は両方とも、入力データとしてL1フィルタ372の出力データを有する。例示的フレームワークは、RRCの関与を伴わずにgNB内モビリティを実装するための機構を提供する。ブロック374は、RRC処理よりも高速であり得るL2フィルタリングおよび報告を使用する。RAN2協定に述べられているように、具体的なBM動作（ビーム切り替えなど）はこのモデルではRRMに対して透過的であるが、これらは、たとえばブロック374によって実行される（L2）マルチビームフィルタリングおよび結合（統合／選択）など、この新しいモジュールの新しいRRM機能の基礎である。
【００７６】
例示的フレームワーク370はまた、L3フィルタリングを実行し、RRCの関与を伴わずにgNB間モビリティを実装するための報告を生成する。図3Cに示されるフレームワークでは、ブロック380はL3フィルタリングを実行し、ブロック382は、報告384のためのデータを生成するために、フィルタリングされたビームおよびL3報告基準を評価する。したがって、図3Cに示されるRRMモデルフレームワークの下部は、gNB間ハンドオフに適用され得る。
【００７７】
L2結合モジュール374は、通常のBM挙動（たとえば、ビームアライメント、ビーム切り替え、およびビーム回復など）を超えてモビリティ目的のため安定したセルレベル品質を得るために、マルチビーム結合（たとえば、ビーム統合／選択）の一般的に使用される平均化／フィルタリングに後退するか、またはマルチビーム結合を実施してもよい。報告ジェネレータ378によって提供されるL2報告および／または報告ジェネレータ384によって提供されるL3報告は、ネットワーク側へのDL RRM報告を生成するために、相応に使用されることが可能である。
【００７８】
図3Cのインターフェース「B」から「D」、「E」、「F」までのデータパスの数の減少は、ビームまたはビーム対をフィルタリングした結果である。このフィルタリングは、ビーム切り替えまたはハンドオーバのために「N」個の最良のビームを識別および選択するなどの結合機能を含んでもよく、もしくは合計または時間平均などによって全ての認識されたビームからセルレベル品質を得ることを含んでもよい。選択されたビームおよび／または品質測定値は、ビームまたはビーム対が切り替えまたはハンドオーバを実施するように構成されているネットワーク側に、報告において送信される。
【００７９】
一構成では、図3Cの点「D」において、セルレベル品質に基づいて使用すべきN個の最良のビームを表す、L3フィルタ308へのN個の入力データパスがあってもよい。
【００８０】
一構成では、図3Cの点「E」におけるビームまたはビーム対の各々は、得られたセルレベル品質のための事前構成された数のビームに対応する。あるいは、点「E」におけるビームまたはビーム対は、特定の相対的または絶対的閾値より上のフィルタリングされたビームを表し得る。いずれの場合も、点「E」におけるビームは、ネットワーク側に報告すべきビームである。図示されないものの、点「E」におけるインターフェースは、全方向LTE向けに定義されたCおよびC’イベントのような異なる入力イベントに適合することができる。
【００８１】
図3Aから図3Cに示されるフレームワークの異なる実施形態では、L2結合／統合／選択処理354および／または374へのMM基準信号入力は、上述の、L1フィルタリングブロック352および372によって使用されるのと同じ基準信号である。あるいは、L2処理は、全方向LTE MMに使用される基準信号と同じようにまたは異なるように定義された基準信号を使用してもよく、および／または全方向LTE MMに使用されるフィルタリングとは異なるL1フィルタリングを使用してもよい。一実施形態では、新しいマルチビーム（L3／L2）RRMモデルおよびNR TRP／セルレベルモビリティ用のハイブリッドモビリティフレームワークの例300、350、および370は、NRセル構造、層分離BMおよびMM、共存ULおよび／またはDLモビリティ、シングル接続、およびマルチ接続の異なるシナリオに適応する。ハイブリッドモビリティモジュール339およびそのRRM機能は、ハンドオーバまたはTRP選択の目的のため、（報告されたDLおよび収集されたUL）測定値を組み合わせてもよい。例示的フレームワーク350の報告ジェネレータ358からの報告、または例示的フレームワーク370の報告ジェネレータ378および384からの報告を受信するために、ブロック339と類似のブロックが結合されてもよい。図3Bおよび図3Cに示される例示的実施形態のためにブロック339、または類似のブロックに提供された報告は、たとえばPUCCHまたはPUSCHを使用して、ネットワーク側に配置された1つ以上のハイブリッド決定ユニット（たとえばTRP／gNB／CU）に送信されてもよい。ハイブリッド決定ユニットは、均一なセル品質を得るため、対応する層でモビリティアクションをトリガするために、L1、L2、および／またはL3処理要素から報告されたデータを処理する。
【００８２】
いくつかの実施形態では、MMから独立してBMを操作することで、選択的に無効化され得る新たに定義されたL2フィルタの使用を可能にできる。RRMは（L2／L3）セル内TRP選択またはセル間ハンドオーバのために使用されてもよく、ビームレベルまたはサブセルレベルまたはTRP内（L1／L2）ビーム管理のために使用されるRRMから論理的に分離することができる。この分離は、タイムスケール、ビームアライメント状態、ビーム形勢RRM測定信号、ビームメトリック、ビーム構成、および使用フローの違いのため、有益であり得る。たとえば、L3処理はRRCを使用するので、L1／L2処理は通常、L3処理よりも高速である。
【００８３】
様々な実施形態において、図3A、図3B、および図3Cを参照して上述されたように、マルチビームRRMモデルおよびハイブリッドモビリティフレームワークは、各UEおよび／またはTRPの複数の整列（同期および管理）ビーム対の信頼できる測定および組み合わせを提供する。しかしながら、フレームワークのこれらの例は、BMプロセス中に整列／訓練／調整されるビーム対を使用することに限定されない。フレームワークのモデルおよび例300、350、および370は、TRPまたはセルレベル品質を得るために複数の認定および整列された候補ビーム対のRRM測定に焦点を合わせ、行われているビーム切り替え／ハンドオーバの種類（たとえば、ULのみ、DLのみ、ハイブリッド；LFのみ、LFおよびHF；L2のみ、L3のみ、またはL2およびL3フィルタリングおよび報告）に応じて、ならびにビーム切り替え／ハンドオーバが行われるシステム環境（たとえば、セル内TRP間またはセル間）に応じて、特定のモジュールが選択的に無効化または統合されることを可能にする。
【００８４】
一実施形態では、RRMは、フレームワークの例300、350、および370によって使用されるL2／L3機能（たとえば、報告トリガ、フィルタリング規則、ハイブリッドメトリック、加重規則のためのマルチビーム測定）を同様に定義する、MMの測定基準を定義する。
【００８５】
TRP選択またはTRP間／セル内モビリティでは、たとえば、MMのRRM測定基準は、トリガ条件をチェックするL2機能、加重結合を生成する機能、および／またはUEと単一のTRPとの間または同じセル内の異なるTRP間の複数対のTx／Rxビームを結合する機能を含み得る。セル間またはgNB／eNB間ハンドオーバでは、フレームワークの例300、350、および370は、セル内のUEと1つまたは複数の（マルチ接続）TRPとの間のビーム切り替え／ハンドオーバの候補を識別するための、複数の整列ビーム対の類似のL2＋L3機能を含む。
【００８６】
一実施形態では、上述のフレームワークの例300、350、および370など、ハイブリッドモビリティのためのハイブリッドRRMフレームワークは、1つのネットワークノード（たとえばTRP、gNB、CU、DUなど）または異なるネットワークノードにおいて、ハイブリッドL2−L3 RRM基準およびエンティティを分散および統合する。たとえば、L1−L3 UL RRM信号測定はネットワーク側で行われてもよく、L1−L3 DL RRM信号測定はUE側で行われてもよい。フレームワークの例は、たとえばマルチ接続（CA、DCなど）、複数の周波数帯域（LFおよび／またはHF）、異なる層（L2対L3）などの、異なるモビリティシナリオをも操作する。これらのシナリオを実施するために使用される基準信号および構成パラメータは、柔軟で効率的なRRMを実装するために組み合わせられて適応される。
【００８７】
適応マルチビームRRMおよびハイブリッドモビリティのための例示的な構成可能フレームワーク300、350、および370はまた、マルチビーム形成された、ハイブリッドモビリティプロセスを可能にするL1−L3シグナリングフローを、無線を介して、またはネットワーク内で、提供してもよい。たとえば、フレームワークの例は動的にハイブリッドなモビリティシナリオに適応するために、UEの優先度の有無にかかわらず、ネットワークからL2、L3、または両方の構成パラメータを取得する。たとえば、UEは、（L2 OR L3）または（L2 AND L3）の、またはビーム、TRP、またはセルレベルフィルタリングの報告を、自動的に生成し得る。UEは、マルチビームRRMモデルで動作しながら、特定のサブモジュールをオンまたはオフにすることができる。構成可能フレームワークの例300、350、および370はまた、たとえばL2処理およびUL処理を無効化することによって、従来のシングルキャリア全方向DLモビリティ実装との前方および後方互換性を維持することもできる。フレームワークのこれらの例はまた、たとえばULおよびDL両方のモビリティ処理を可能にすることによって、将来開発されるであろうマルチビームハイブリッドモビリティ方式とも互換性がある。
【００８８】
例示的な構成可能フレームワーク300、350、および370、ならびに図10を参照して以下に説明される構成は、少なくとも以下の特徴を有する。
BMまたはMMまたは両方の目的のためのULまたはDLまたは両方の異なる測定対象（たとえば、xRS／xSS信号）の採用、ならびに測定対象、ビーム結合、フィルタリング基準、トリガ基準、報告、およびMMプロセスを含む構成可能な動作を、全てが可能にする。
均一なRRMおよびモビリティフレームワークにおけるこの柔軟な測定およびモビリティ構成可能性によって、以下が実現可能になる。gNB／TRPは、柔軟で構成可能な方法を通じて異なる目的（すなわちBM対MM）のために共通の対象（xSS／xRS）のUE側測定値を再利用することができる。
UE測定の構成は、RRCの関与を伴うMMではL3に、もしくはたとえばL2／MACまたはL1など、それ以外ではより低い層にあり得る。
同じ測定対象が与えられた場合、隣接するgNB／TRPは、RRMフィルタリング基準、制御またはデータビーム、報告トリガ、および（RX／TX）ビームパターンなどの構成を含む、これらのMM測定構成において整合および整列することができる。
BMのRRM測定報告はL1／L2にあってビームレベル品質を含むことができ、その一方でMMのためのRRM測定報告はL3（RRCの関与あり）またはL2（RRCの関与なし）にあってサービングおよび隣接セルからのセルレベルまたは結合ビーム品質のみを含むことができる。
【００８９】
なお、ハイブリッドモビリティを有するマルチビームRRMならびに分離したビーム管理およびハイブリッドモビリティを実施する、上述の構成可能フレームワークの例300、350、および370は、他の実施形態に適用可能であることに留意されたい。たとえば、フレームワークのこれらの例は、ビーム形成を採用し得る非5G／NRセルラー無線システムに、もしくは全方向Wi−Fiシステム、または4G＋5G、4G＋Wi−Fiなどのその他いずれかの組み合わせに、適用され得る。なお、類似の概念は、マルチビーム無線リンク測定（RLM）および無線リンク障害（RLF）を含むがこれらに限定されない、NRシステム設計の他の実施形態または領域にまで拡張され得ることに、留意されたい。
【００９０】
（ULまたはDL）MMおよびBMのためのRRM基準信号（RS）は、測定すべきビームで搬送され得る。例示的なRSは、ビーム固有、UE固有、TRP固有、またはセル固有であり得る。MMおよびBMのためのRRM RSは、異なる実施形態、定義、または構成などによって、同じでも異なってもよい。
【００９１】
さらに、L1 RRMメトリックのL1サンプリングまたはフィルタリングは、測定されたRS品質に基づいてもよく、ベンダー固有であってもよい。サンプリングまたはフィルタリングは、TRPレベルMM RRMまたはセルレベルMM RRMと見なされてビームレベルBM RRMを含む入力を提供する。RS設計の実施形態に応じて、RRM RSの同じかまたは異なるL1フィルタリングがMMおよびBMに使用され得る。
【００９２】
フレームワークの例300、350、および370に示される実施形態では、UL信号ベースのRRMが採用され、ここでULモビリティのために提案された（ビーム形成）UL信号がネットワークによって測定され得る。したがって、ハイブリッドULおよびDL RRM／MM処理が説明される。別の実施形態においてULモビリティが採用されない場合には、本明細書に記載されるハイブリッド実施形態は、不要な処理を選択的に無効化することによって、DL MMおよびRRMのみを適切に低減することができる。
【００９３】
フレームワークの第3の実施形態は、マルチビームハイブリッドRRM測定基準を定義および利用する。RRM測定基準は、TRP選択またはTRP間／セル内モビリティシナリオに関する以下の例による新たなハイライトと共に、（測定および報告トリガ、フィルタリング規則、測定のメトリック、マルチビームまたはUL−DL結合／比較／加重方法）を定義し、ここで新たに定義されたL2フィルタが使用される。基準は、モビリティ決定のために、報告生成、トリガチェック、または整列ビーム対と（同じセル内であってもなくても）他のTRPからのものとの比較に使用される。
【００９４】
L2フィルタリング機能は、TS38．133またはTS38．331などのNR RRMのために提案された他のL1／L3フィルタリングと類似であり得る。しかしながら、記載された実施形態では、フィルタリングは同じTRPまたはセルの整列ビーム対を有する新しいL2入力に適用され得る。L2フィルタはたとえば、そのサービス時間にわたる、またはL2においてFDM／TDM／CDMによって整列および多重化された複数のビーム対にわたる、同じビーム対のメトリック（たとえば、チャネル品質またはRSRQ／RSRQ）の平均であり得る。あるいは、これは、ビーム対の品質と閾値（たとえばdBmまたはdBでのRSRP／RSPQの絶対値、または同じセルまたは隣接するセル間の相互の相対値）との比較を含み得る。L2フィルタリング機能はまた、クロスビーム（対）結合、最大ビーム対の選択、または選択された1つまたは複数のメトリックについて最大値を有するN個のビーム対の選択を含む、ビーンペアの間の比較も含み得る。サービス準備中または既にサービス中のビーム対は、整列され／または多重化（たとえばFDM／TDM／CDM）され得る。
【００９５】
セル間またはgNB／eNB間ハンドオーバシナリオでは、L3フィルタが使用され得る。L3フィルタリングは、3GPP TS38．133、TS38．331提案などの既存のNR RMM提案と類似であり得る。しかしながら、記載された実施形態は、たとえば1つのUEから1つまたは複数のTRPへの複数の整列ビーム対（サービス準備中または既にサービス中）など、新しい入力を適用する。そしてTRPは、異なるセルまたはgNB（CU、DU）／eNBに属し得る。
【００９６】
ハイブリッドRRMシナリオでは、フレームワークの例300、350、および370は、異なるシナリオに適応可能なL2および／またはL3フィルタリングを採用し得る。本明細書で使用されるとき、特定のシナリオは、フィルタへの入力パラメータでもあり得る。たとえばシナリオがハイブリッドULおよびDLモビリティを伴い、セル内のTRPはUEからの1つ以上のUL基準信号を監視し、および／またはDL基準信号をUEに送信するとき、ハイブリッド基準は、UL／DLメトリックに従来のおよび／または新しいフィルタリング機能を採用し、次いでこれらのメトリックを動作させることができる。メトリックに対する例示的な動作は、フィルタリングされたULまたはDL RRMメトリックの選択的な使用（たとえばAND／OR論理演算による）を含む。たとえば、ULビーム切り替え／ハンドオーバは、新しいビーム対のUL RSRPが閾値よりも大きい場合に限って起こり得る。ビーム切り替え／ハンドオーバ決定はまた、たとえばDLビーム対とULビーム対の（たとえば、DLよりも加重されたULを用いた加重合計平均による）フィルタリングされたメトリックに基づいてもよく、または干渉比に対する最大チャネルの比例比較（MAX−C／I）、または最大−最小公平性基準によってもよい。フィルタリングされたRRMメトリックの使用の代わりに、またはこれに加えて、上記のいずれもがULおよびDLモビリティ決定を使用または組み合わせるために適用され得る。
【００９７】
DLモビリティ／RRMのための単一のビーム対および複数のビーム対のメトリックの従来基準およびL1／L3フィルタの例は、以下を含む。
（a）AND、OR、最大、最大−N｛｝などの論理演算を含む選択的なもの、
（b）時間履歴における（整列または非整列）ビーム対の平均、
（c）互いに対する相対比較、
（d）たとえばS2M A2またはM2S A4など、アルファベースのLTE従来L3フィルタリングおよびHetNetトリガと類似の、特定の期間にわたる閾値に対する絶対比較（たとえば、LTE TTTまたはT＿再選択）、
（e）従来セル／gNBレベルの測定または報告トリガ、ただし同じセル内のUEおよび全てのTRPを用いて検出されるかまたはサービスしている全てのビーム対にわたって適用される、および／または
（f）従来測定または報告機構、ただしTRPレベルで（すなわち、同じTRPを用いて検出されるかまたはサービスしている全てのビーム対にわたって）適用される。
【００９８】
ハイブリッドUL／DLと同様に、類似のL2／L3ハイブリッド基準が他のシナリオに適用されてもよい（たとえば、選択的または加重公平性）。たとえば、
（a）CA（キャリア）またはDC（LFおよびHF）によって統合された異なる周波数からのメトリックを有するマルチ接続モビリティ／RRM、
（b）セルあたり単一のTRP、またはセルあたり複数のTRP、または異なるセル／gNBからの複数の整列ビーム対、
（c）L2およびL3からの直列連結または並列結合、および／または
（d）同じRAT内または異なるRAT間のアグリゲーション。
【００９９】
上述のように、L2および／またはL3フィルタリングは、非ハイブリッドまたはハイブリッドRRMのための新しい基準（たとえば、上述の加重結合関数）を適用し得る。これらの基準は、式（1）によって説明されるようなTRPレベルまたはセルレベル品質関数を使用するL2および／またはL3フィルタを含み得る。
Func（t）＝Func＿｛i，j｝［ビーム対メトリック＿｛i，j｝（t）｜｛i，j｝（t）いくつかの入力基準を満たす］．．．（1）
ここでi（t）およびj（t）は、UEと可能であれば1つのTRP（L2）もしくは同じまたは異なるセル／gNBを有する異なるTRP（L3）との間の時間tにおけるBMフィルタリングによって整列／選択される候補またはサービングRx−Txビーム対のインデックスである。関数およびフィルタの異なる実施形態は、同じフレームワーク内で以下に存在し得る。
【０１００】
例示的なL2フィルタへの入力は、式（2）によって与えられ得る。
L2＿フィルタ入力｛i，j｝（t）＝arg＿｛i，j｝BM＿出力［｛i，j｝（t）］．．．（2）
ここでBM＿出力［］は、経時的な｛i，j｝対がビームレベルBM基準によって選択されるように、たとえばUE側ビーム識別子iおよびTRP側ビーム識別子jの組み合わせが時間tにおける整列ビーム対を定義し、特定の閾値よりも大きいチャネルメトリック（たとえば、RSRP、RSPQ）を有するように、BMレベルRRM関数を含む。
【０１０１】
L3フィルタへの入力は、式（3）または（4）のいずれかによって与えられ得る。
L3フィルタ入力｛i，j｝（t）＝arg＿｛i，j｝BM＿出力［｛i，j｝（t）］．．．（3）
L3フィルタ入力｛i，j｝（t）＝arg＿｛i，j｝L2＿フィルタリング［｛i，j｝（t）］．．．（4）
【０１０２】
以下は、式（1）で使用され得るFunc＿｛i，j｝［］の例である。
Func＿｛i，j｝［］＝ビーム対メトリック＿｛i，j｝（t），｜｛i，j｝．．．（5）
これは（L2またはL3）RSの直接測定を意味する。
Func＿｛i，j｝［］＝従来基準関数のいずれか、たとえばmax＿｛i，j｝またはmax＿N＿｛i，j｝、またはビーム対メトリック＿｛i，j｝（t），｜｛i，j｝、閾値よりも大きいビーム対メトリックを有する．．．（6）
Func＿｛i，j｝［］＝加重＿公平性＿｛i，j｝［ビーム対メトリック＿｛i，j｝（t）］．．．（7）
関数（6）および（7）では、BM（L2フィルタリング用）を使用して、またはL2（またはL3フィルタリング）用のMMフィルタリングを使用して（たとえば、比例または最大−最小公平性の効用関数を使用して）、複数のビーム対が選択／整列され得る。
Func＿｛i，j｝［］＝加重合計平均＿｛i，j｝［ビーム対メトリック＿｛i，j｝（t）］．．．（8）
ここで、たとえばmax［RSRP＿｛i，j｝（t）］により、ビーム対メトリック＝BM＿出力＝全候補ビーム対の最大値である場合には、Func［］は、経時的に集約されたピーク特性を有する整列ビーム対をいつも必ず選択するL2マルチビームダイバーシティを提供する。これはマルチユーザMAX−C／Iスケジューリングと似ている。
【０１０３】
チャネルの｛i，j｝（TRPおよびUEのID）が経時的に変化しない場合には、L2フィルタは、単一のビーム対によるチャネル履歴の時間平均を提供する。ある特殊なケースは、全方向LTE RRMで定義されるようなアルファベースの移動平均である。
【０１０４】
なお、基準関数またはフィルタの上記実施形態の全てについて、整列ビームはサービス中、サービス準備中、または確実に確立した状態であり得ることに留意されたい。（何も整列せず確実に受信される信号がない）ヌルビーム対は、基準において0または「さらに悪い」メトリックと見なされる。
【０１０５】
フレームワークの例300、350、および370は、ハイブリッドUL／DLモビリティシナリオを使用するハイブリッドRRM基準を有するL2／L3においてハイブリッドフィルタも使用し得る。このようなハイブリッドフィルタの例が、以下に記載される。
Func（t）＝Func＿｛i，j｝［ビーム対メトリック＿｛i，j｝（t），｜｛i，j｝（t）、（L2／L3において）ULまたはDLの入力基準を満たす］．．．（9）
Func（t）＝加重合計平均＿func｛Func＿｛i，j｝［ビーム対メトリック＿｛i，j｝（t），｜｛i，j｝（t）UL用］．．．（10）
Func（t）＝Func＿｛i，j｝［ビーム対メトリック＿｛i，j｝（t），｜｛i，j｝（t）DL用］（加重結合用）．．．（11）
Func（t）＝加重＿公平性＿func｛Func＿｛i，j｝［ビーム対メトリック＿｛i，j｝（t），｜｛i，j｝（t）UL用］．．．（12）
Func（t）＝Func＿｛i，j｝［ビーム対メトリック＿｛i，j｝（t），｜｛i，j｝（t）DL用］（加重公平性用）．．．（13）
【０１０６】
このように、ハイブリッドRRMモジュールのハイブリッドフィルタリング関数は、既存のL2／L3またはUL／DLフィルタリング関数およびモジュールを繰り返し統合することができ、またはAND／OR選択によってこれらを組み合わせることができる。他のハイブリッドシナリオを組み込むためにここで類似の考えを使用するその他いずれの関数も採用され得る。
【０１０７】
なお、L2、L3、および／またはハイブリッドフィルタリング関数を用いる実施形態の基準と比較すると、既存の基準はビーム管理とモビリティ管理とを文字通り混合することに留意されたい。
【０１０８】
フレームワークの例示的実施形態300、350、および／または370におけるビーム管理（BM）は、他のNR提案で定義されたようなセルまたはビームレベルでの混合または不可分のビーム切り替えとは異なる。フレームワークの例300、350、および／または370のBMは、TRP610がビームをUE620に揃えようとしているように示される図6の600に示されるような初期ビームアライメントと、図7の700に示されるようなビーム切り替え／追跡とを伴う。図6では、640で示されるような（1つまたは複数の）整列ビーム対を識別するために、630によって示されるようなDLビーム掃引（たとえば、TRP側ビームが1から4まで規則的に変化する）、および635によって示されるようなULビーム掃引（たとえば、UE側ビームが1から3まで規則的に変化する）が実行される。この例では、整列ビーム対は、UE620からの645における1と、TRP610からの650におけるビーム2とを含む。
【０１０９】
フレームワークの例300、350、および／または370のBMは、通常はL1、L2、または両方において定義される。これらの例では、L1ビーム管理は、DLまたはUL RS送信、受信、構成、測定、ビーム掃引、ペアリング、および場合により既存の全方向LTEと類似のベンダー固有のL1フィルタリングを含む、ビーム固有の動作を指すフレームワークの例300、350、および／または370のL2におけるビーム管理は、TRP内ビーム決定、アライメント／取得、ビーム切り替え、調整（ビームレベルおよびビーム幅調整）、およびUEと単一のTRPとの間の追跡に関するいずれかのシグナリングまたは制御動作を指す。L2におけるビーム管理は具体的に特定のTRPの複数のビーム（対）に対する動作を指し、実施形態におけるL1は、単一のビーム（対）に対する動作を指す。L1／L2ビーム管理は共に、図6の600および図7の700で示されるようなUE／TRPのためのセル内TRP内ビーム関連のPHY／MAC動作を指す。図6のTRPは610として、UEは620として記されている。700では、TRPおよびUEからの異なるビーム対の間のビーム切り替えが、矢印710および715を介して示されている。このようなビーム切り替えは、たとえば信号強度、品質測定値、またはUE620の動きの結果であり得る。
【０１１０】
例示的実施形態では、L1／L2 BMは、少なくとも実行されるRRM測定に関してL2／L3（またはTRP／セルレベル）MMと区別される。BMのL1／L2 RRM測定は、TRP／セル変更および隣接するTRP／セル測定および／または選択を伴わないビーム動作の目的のため、同じセルまたは同じTRPからの同じかまたは異なるレベルのビーム幅の測定および比較である。しかしながら、L2／L3におけるRRMモビリティ管理は、TRP／セル変更および隣接TRP／セル測定および／または選択を伴ってもよい。L1／L2 RRMビーム管理処理は、ビームアライメントおよび（初期）セル選択など（たとえば非モビリティ動作）を直接支援する。加えて、L1／L2 RRM BM処理は、ハンドオーバまたはセル再選択（すなわち、モビリティ）に寄与し得る。
【０１１１】
図8および図9は、セル内の隣接するTRPの間または隣接するgNB／セルの間のノード切り替えのための階層的に編成されたセルおよびそのモビリティ管理におけるモビリティ管理シナリオの実施形態を示す。これらの実施形態では、「セル」はgNB、CU、またはDUに基づいて定義され、各セルは1つまたは複数の同期TRPを有し、一意の「セルID」を有する。セルあたり1つのRRC制御エンティティ（たとえば、gNB／CU）のみを想定して、L2モビリティは図8に800で示されている。3つのTRP810、812、814が、各々セル817内に複数のビームを有して示されている。UEは、セル817内の3つの位置820、822、および824の間で移動するように示されている。図8の830および835における矢印は、図4を参照して上記で説明されたケース4またはケース6を示す。図8に示されるようなセル内TRP間モビリティは、UEが移動するときにそれによってサービングTRP（セット）が変化するL2モビリティとして知られている。L2モビリティは、RRCの関与なしにL2測定および報告のみを伴う。
【０１１２】
図9は900において、別の例示的なMMシナリオ、セル間TRP間またはL3モビリティを示す。2つの隣接するNRセル910および920は、925および930においてそれぞれのTRPを含む。UEは、セル910内の位置935からセル920内の位置940に移動する。ここでのセル間またはgNB間モビリティは、基礎となるL2およびL3測定および報告と共に、RRCシグナリングを伴う隣接するセル910および920間のハンドオーバまたはTRP選択である。UEが935から940までNRセルを横切って移動するとき、UEによって送信されたアップリンク基準信号は、それぞれのセル910および920のTRP925および930によって受信および測定される。TRP925および930は、同期および／またはID割り当てに使用されるリソースアクセスチャネル（RACH）のようなプロセスを使用して、UEを一意に識別することができる。UEがNRセルを横切って移動するとき、隣接するセルのTRPから送信され得るダウンリンク基準信号は、UEによって受信および測定される。TRPが同期されなくても、TRPはUEによって一意に識別され得る。TRP925と930との間の矢印によって示されるように、図9は、図4を参照して上記で説明されたケース5およびケース7を示す。
【０１１３】
フレームワークの例示的実施形態300、350、および370では、ビーム管理（BM）およびモビリティ管理（MM）は、タイムスケールおよび機能性によって論理的に分離されている。セル内TRP選択またはセル間ハンドオーバを伴う、L2／L3 TRP／セルレベルモビリティおよびRRMは、より過渡的な、（サブセルレベル）（L2／L1）TRP内BMのための動作およびRRM測定から分離されている。この分離は、タイムスケール、ビームアライメント状態、測定信号、メトリック、および使用モデルの観点からである。モビリティ管理はより長期的なTRP／セルレベルダイナミクスに基づくので、モビリティ管理はビーム管理とは異なる。モビリティ管理は、たとえば、さらなるフィルタリングのための入力として、RRM測定およびビーム対選択など、BMの結果を採用してもしなくてもよい。モビリティ管理は、モビリティ目的のため、ビーム管理動作によってペアリング、整列、および選択されてきた、安定したUE−TRPビーム対に基づく。
【０１１４】
異なるタイムスケールおよびダイナミクスのため、チャネルおよびビームは、特にUEがTxビームまたはRxビームのためのHFリンクを遮断する傾向がある環境で使用されるとき、急速に変動する可能性がある。これらの環境では、UEは、過渡的チャネル変動に迅速に反応するために、リアルタイムでTRPによるビーム管理を実行する。分離可能なBM処理のため、失敗したビーム（対）は上層を透過するようにBMによって回復され得るので、いずれかの単一のビーム（対）の障害は、必ずしもUEへの全体的なTRPリンクの障害もTRP／セルレベル信号品質全体の障害も意味しない。フレームワークの例示的実施形態300、350、および370は、過渡的な個々のビーム対障害に基づくRLFおよびRLM報告を回避する。これらの報告は誤ったハンドオーバをトリガし、ビーム（対）間のHOFおよびピンポンを引き起こし、さらなるUE−ネットワークオーバヘッドをもたらす。例示的実施形態は、L3シグナリングを低減し、ひいてはビームレベルの高速ダイナミクスによるRLF／RLM報告を低減することによって、この追加のオーバヘッドを回避する。
【０１１５】
MMからのBMの分離は、揮発性の過渡的なチャネル／ビームレベルダイナミクスを安定した上層から覆い隠し、モビリティ設計を無駄なく安定したものにする。例示的フレームワークを使用すると、高速チャネル／ビームレベルダイナミクスは、L1またはL1／L2において局所的に迅速に操作されることが可能であり、上層（L2またはL2／L3）において実行される処理および／または隣接するTRP／セルによって実行される処理に対する影響を低減する。より大きいタイムスケールでのTRP／セルレベルダイナミクスのみが、複数のTRP、したがってL2／L3におけるはるかに多いシグナリングオーバヘッド、および潜在的により大きいサービス割り込みを伴う、一連の低速モビリティ／ハンドオーバ挙動をトリガできる。分離はまた、BMおよびMMのためのRSおよびRRMの相関または独立した定義を可能にする。
【０１１６】
上述のタイムスケールの分離は、L2において行われ得る。BMおよびMM動作は、各々が独自のL2 RRMを有し得る。BMおよびMM L2 RRMは、たとえば共有RSを有して、またはMM RRMへの入力として使用されているBM RRMの出力によって、互いに関連付けられてもよい。あるいは、BMおよびMM RRMは、たとえば異なるRSまたは異なるL2フィルタリング方法を使用して、比較的独立していてもよい。たとえば、同じセル内のL2 MMまたはTRP選択は、1つのセル内のL2／L1 BMに減少し得る。これは、セル内のTRPの全てが区別されないとき、たとえばセル内の全てのTRPが一意のPCI、同じ最小SIを有し、単一の共有MACエンティティ（理想的バックホール）と、または厳密に整合されたMACエンティティ（非理想的バックホール）と厳密に同期しているときに、起こり得る。さらに、TxおよびRxビームは、全てのTRPの間で厳密に整合される。
【０１１７】
L2 RRM測定は、L1／L2ビーム管理のためのRRMをL2／L3モビリティ管理のためのRRMから分離するために新たに導入されたL2フィルタリングを伴うことができる。L2測定は、両方のBMのため、L2処理（たとえば、セル内またはTRP間）のため、およびL3処理（たとえば、セル間またはgNB間）MMのために行われ得る。L2測定は、別個の測定信号、信号使用モデル、フィルタリングパラメータ、メトリック（たとえば、CH品質、予想スループット、ブロック誤り率（BLER）など）を含み得る。これらの別個の測定は、たとえば、サービングTRPまたはセルの変更中に、使用され得る。
【０１１８】
例示的実施形態におけるレベル2のBMは、UEを意識したサービングノード変更を伴わないビーム固有の動作を指す。セル内のTRPのうちの1つについて、L2 RRM測定は、TRP内のRS測定またはビーム固有のビームアライメント／取得、ビーム切り替え、ビーム幅を含むビームレベル調整、およびUEとTRPとの間のビーム調整を含むBMを指す。
【０１１９】
例示的実施形態は、TRPレベルまたはセルレベルモビリティのためのマルチビームL2（およびL3）RRMを実行するように構成されてもよい。MMのためのL2 RRMは、複数の整列ビームを使用する。ここでのマルチビームは、UEと（1つ以上の）TRPとの間のBMによって整列された複数のTx／Rxビーム対を指す。L2 RRMおよびモビリティは、たとえばセル内TRP間モビリティなど、セル内のTRPレベル動作を指し、厳密に同期して時間オフセットを補償されたTRPの集合は、同じ物理的「ID」を共有する。これらのTRPは、単一の「セル」として振る舞うことができる。
【０１２０】
例示的実施形態では、L3 RRMおよびモビリティは、セルレベル動作を指す。L3モビリティはセル間またはgNB間（またはCU／DU間）モビリティを指し、各セルは、同期しているが異なるセル間で必ずしも厳密には同期していないTRPの集合を有する。通常、L3（RRC）シグナリングはL3モビリティに包含されている。
【０１２１】
他の例示的実施形態では、マルチビームRRMおよびハイブリッドモビリティモデルは、図3A、図3B、および図3Cに示されるような、論理的に分離可能なBMおよびMMを提供する。これらの実施形態は、UE1と称される特定のUEを前提としたハイブリッドMMの全てのシナリオについて共通のマルチビームRRMモデルを提供する。図3Aを参照すると、L1フィルタリング325、326は、依然として実装固有のものであってもよく、主にビーム固有のL1 RRMまたはリアルタイムBMのために使用され得る。所与のUEおよびそのサービング／候補TRPでは、モデルは、整列（同期＆選択）されたTx／Rxビーム対を測定することによって確実なTRP（L2）またはセル（L2／L3）レベル品質メトリックを提供するが、BMプロセス中に整列／訓練／調整されたビーム対は提供しない。（BMおよび）MMのためのL2モジュールは、異なる設定に応じて論理的に分離され、一緒に統合され、またはL3に統合されてもよい。ブロック372ではビーム（対）が個別にフィルタリングされるので、図3Cに示される実施形態はこの区別をさらに協調している。
【０１２２】
共通マルチビームRRMおよびハイブリッドMMモデルは、異なるモビリティシナリオに合わせて自動的に構成または適応され得る。L1 BMは別個であるので、RRM／MMモデルは、L2処理のみを実行するようにシステムを再構成するために、L2処理またはL3処理、L2＋L3処理、またはL3処理のみを選択的に無効化することができる。特定のシナリオでは、モデルは、セル内TPR間MMのためのRRMを実装するために、L2フィルタリングおよび報告のみを採用することができる。このMMは、単一のセル内に1つまたは複数の候補TRPを有する複数のビーム対を使用する。
【０１２３】
モデルは、L1／L2 BMによって使用されるのと同じ（DLまたはUL）RSを使用してもよく、またはRAN1によって定義されたものなど、異なるRSを使用してもよい。フレームワークの例300、350、および／または370は、実装されたBMに基づいて、L2処理への入力として整列Tx／Rxビーム対のみを使用し得る。異なるシナリオでは、例示的フレームワークはL3フィルタリングおよび報告のみを採用し得る（すなわち、MMのためのL2フィルタリングは無効化されてもよい）。たとえば、セルのビーム対が同じセル内のTRPによって区別され得ないとき（したがってL2動作はセル内BMのみに限定され得る）、または「セル」が1つのTRPのみを有し、したがってRRCの関与の有無にかかわらずセル間またはgNB間モビリティのみを有するとき、L2処理は無効化され得る。当然ながら、図3A、図3B、および図3Cに示されるように、L2およびL3フィルタリングおよび報告の両方は、RRM構成に応じて同時にオンにされ得る。
【０１２４】
いくつかの実施形態では、加重結合または比較基準によるマルチビーム動作は、BMからMMへ、L2 MMからL3 MMへの次元控除、またはハイブリッドメトリックの統合をもたらし得る。図3Aにおいて大文字A、B、C、D、E、およびFで識別されるモジュール間インターフェースは、ビーム（対）の数、または処理によってなされた特定の結合の後のメトリックの数など、メトリックの次元が減少している場合がある。ネットワークアーキテクチャの物理ノードへの論理モジュールのローカライゼーションに応じて、インターフェースは内蔵（装置またはネットワークノードに対して）、無線、またはネットワークの内部にあってもよい。
【０１２５】
RANアーキテクチャに応じて、たとえばセルあたり1つのTRPがあるとき、例示的実施形態は、単一ビーム動作、単一周波数（全方向LFのみ）、および具体的なBM／MM基準（たとえば、最良のビームのみを選択および使用する）に縮小され得る。例示的実施形態はまた、チャネル、付加、およびスループット情報などの異なる入力およびハイブリッドメトリックを、フレームワークの例300、350、および370に示されるMMモジュールのシーケンスに組み込むこともできる。ULおよびDL RRMメトリック（または決定）は、加重され、一意の結果を得るために互いにまたは特定の閾値と比較され得る。フレームワークの例300、350、および370はまた、異なる報告構造を有することもできる。MMのためのL2／L3メトリックの報告は、ビーム固有であり得るか、またはたとえばビームあたりのRSRP／RSRQまたはTRPまたはセル内の複数のビーム対にわたるRSRP／RSRQの集約であり得る。通常、CSI（LTEの場合など）およびUCIのようなL1／L2メトリックのBM報告は、ビーム（対）固有のメトリックを含んでいる。
【０１２６】
MM／RRMの例示的実施形態では、図10のハイブリッドRRMおよびモビリティシステムレベルアーキテクチャ／フレームワーク1000は、論理的に分離したBMおよびMM機能を提供する。たとえばエンドツーエンドモビリティシステム内のハイブリッドULおよびDL RRMを前提とすると、ネットワーク側（たとえば、gNB1010）に配置されたハイブリッドRRMモジュールは、モビリティ決定のために図3A（またはここでは1010）のハイブリッドMM／RRMモジュール内に統一された入力を提供するために、ネットワーク（内の異なるTRP）によって行われるUL信号測定とUEから報告されるDL RS測定とを組み合わせる。
【０１２７】
フレームワーク1000は、RRM機能の論理エンティティをネットワーク内の物理エンティティ（ノード）に分散または統合する。RRMモデル（図3A）内のL1、L2、L3フィルタリングモジュールの論理エンティティ、およびこれらの位置または存在は、実施形態によって異なる可能性がある。フレームワーク1000は、論理アンテナ1030を有するセル1025内の1つ以上のTRP1020と通信しているUE1015に、RRCエンティティおよびマルチビームDL RRM（L1−L3に）を含む。
【０１２８】
特定の層、モジュール、もしくはULまたはDL機能は、構成およびシナリオに基づいて、このフレームワーク1000内ではオフにされてもよい。
【０１２９】
UE1015、TRP1020、および／またはネットワークgNB1010での基準関数は、ULおよびDLメトリックの任意の合意された従来のまたは提案された基準関数または異なる層（L1、L2、L3、または両方）での入力による決定であり得る。
【０１３０】
TRP1020またはUE1015によるL1 xRS／xSS測定は、L1−L3 RRM結果を生成し、たとえば、全方向LFチャネルを介して直接的に、または最初にTRPへの指向性HFリンクを通じて、または、MAC CEピギーバック、物理アップリンク制御チャネル（PUCCH）または物理アップリンク共有チャネル（PUSCH）のようなCHを介したダウンリンク制御情報（DCI）およびアップリンク制御情報（UCI）の何らかの形式を含むがこれらに限定されないいずれかのL2−L3シグナリングによって、これらを1つの中央ユニット（たとえば、gNB1010、またはCU／DU、またはソースTRP）に報告し得る。
【０１３１】
第4の実施形態では、ハイブリッドRRM／モビリティは、従来の非ハイブリッドモビリティまたは純粋なDLモビリティ／RRMよりも多くの利点を提供し得る。たとえば、LF＋HFとDL＋ULのハイブリッドモビリティシナリオを考えると、HF無線リンクは根本的に信頼できず、潜在的により多くの電力を消費するという事実による。たとえば、少なくともHFまたはLF高速列における従来のDLモビリティはUEにとって非常に電力集約的であり、したがってUE中心のULモビリティは、おそらくDLモビリティよりも有利である。DLまたはULモビリティが各々その利点を有することができる異なるシナリオに対処するために、実際のシステムは両方のハイブリッド展開を含むことができ、類似の概念は、LFカバレッジ下のHF UDNおよびD2D、またはLFセルを保護するためのHFスループットの上昇を含む、他のハイブリッドシステムにまで拡張され得る。
【０１３２】
ビーム掃引またはスケジューリング間隔におおよそ揃えられたTX間隔を有するTRPからのビーム形成DL xRS／xSSのため、ならびにNR内のCRSの除去の可能性を前提とすると、RRMのためのNR DL RSは、LTE CRSよりもはるかに頻繁であり、場合によっては不規則であり得る。その結果、RLF／RRMはCH変化にあまり反応せず、したがってDLモビリティおよび測定は、これを補償するためのUL信号（およびRRM／モビリティ）を必要とする。ハイブリッド設計によって、UL信号は、場合により除去されるかまたはあまり頻繁ではないDL CRSまたはその相当物に適合するために、またはDL測定のための電力を節約するために、ならびにULおよびDLの無線チャネルまたはトラフィック負荷非対称にかかわらずにより信頼できる統一された結果を提供するために、使用されることが可能である。
【０１３３】
3GPPのLF＋HFのHetNetモビリティのための既存のDCと類似の、異なる層（タイムスケール）および／または異なる周波数でのインタラクティブなBMおよびMMを使用する例示的な実施では、DCは、例示的実施形態のためのLF支援HFに適用可能である。フレームワークの例300、350、および370では、DCは、LFマクロセルおよびHFスモールセル（マイクロセル、ピコセル、またはフェムトセル）と共に使用され得る。この構成は、（LFを使用する）カバレッジおよび（HFを使用する）より高速なマルチポイントデータリンクのより良い制御を提供し得る。
【０１３４】
さらに、例示的な実施では、混合DL（LF）およびUL（HF）RRMのハイブリッドモビリティを可能にするために、LF（DLおよびULシグナリング）支援UL（HF）モビリティRRMが使用され得る。ULおよびDLの組み合わせの異なる実施形態は、DLおよびULモビリティ切り替え、または同時のULおよびDLモビリティを伴う。
【０１３５】
また、例示的な実施では、信号を組み合わせるためにハイブリッドRRM／モビリティ基準が使用されてもよく、たとえばHFおよびLFは、UL／DL RSに基づいて、L2またはL3のいずれか、またはL2およびL3の両方で組み合わせられることが可能である。これらの実施は、ビーム形成HF L3／L2／L1リンク形成（BM）のための基準規則を構成するために、LFにおける低速L3制御を提供してもよく、UE中心のセル形成（モビリティ）を提供してもよい。その結果、これらの実施は、セル間DLおよびUL MM（たとえば、クロスセル／gNB／eNB HO）、ならびにRRCシグナリングありまたはなしのマルチビームRRM基準の使用を可能にする。これらの実施は、ULおよびDL RRM内のメッセージフローを柔軟に設定するために、HFまたはLFまたは両方において高速のL2および／またはL1制御およびデータを提示し得る。したがって、これらの実施形態は、低速タイムスケールのセル内TRP選択、セル内MM RRM／RLMまたはセル間MMおよびRRM／RLMによるCSI／UCI／ULビーコンシグナリング、同期、およびリンク適応と調和的にリアルタイムBMを統合する。これらの実施形態は、ULモビリティのための省電力RRM（たとえばCRSなし）を用いたUE中心の設計または「仮想セル」形成を可能にし、これはハイブリッドUL−DL RRM／RLMおよびモビリティ機構に発展する。
【０１３６】
図11Aおよび図11Bは、1100における例示的な通信活動タイミング図を示す。このタイミング図によって説明されるシステムの制御フローは、たとえば、ハイブリッドUL／DLモビリティを使用し得る。図示される通信は、UE1110、ソースノード（たとえばTRP／gNB）1115、およびターゲットノード（たとえばTRP／gNB）1120の間のものである。図3AのRRMブロック、または図11Aの1044および図11Bの1046の対応するブロック；報告ジェネレータ（図3A／3B／3Cの報告モジュール）は、図11Aの項目1054および1056ならびに図11Bの項目1048に対応する。ハイブリッドモビリティ決定ユニットはネットワーク側に分散している。これらは、ネットワーク側の図11Aの項目1058（ハイブリッドMM意思決定者）または図11Bの項目1062（受付制御）で言及されるRRMとは異なっており、L2、L3、または両方におけるハイブリッド意思決定のためのRRMの（DL測定フィードバック）報告またはローカル（UL）測定を考慮している。ハイブリッドモビリティ決定ユニットは、シグナリングサポート（たとえば、図11Aおよび図11BのTRPs／gNBの間、またはUEとネットワークとの間のメッセージ交換）を前提として、L2および／またはL3測定にしたがって意思決定するために、UL、DL、または両方を考慮する。
【０１３７】
制御フロー1100は、1つの例示的実施形態のみを表す。図示されるように、他の例示的実施形態は、ステップ0（項目1025）で示されるように、UE1110とソースノード1115との間のULまたはDLモビリティオン／オフ要求応答メッセージを使用する。オン／オフ要求応答メッセージは、たとえば、シナリオパラメータ、ネットワーク構成パラメータ、ネットワークポリシー、および／またはユーザ優先度情報によってトリガされてもよく、これらを搬送してもよい。異なる実施形態では、ステップ0の1025は、デフォルト構成、事前定義構成、放送（たとえば、SIB／MIB）、専用一方向シグナリング、または要求応答（REQ−RSP）交換などであり得る。
【０１３８】
1028のステップ1は、ソースノード1115からUE1110へのRRC接続再構成メッセージであり、ULおよび／またはDL RSならびにRRM構成情報をUE1110に搬送している。異なる実施形態では、ステップ1は、代案として、L3（RRC）メッセージを使用する代わりにL1またはL2シグナリングを使用して、よりリアルタイムで行われることが可能である。1030のステップ1（図11Bに示される）は、ソースノード1115からターゲットノード1120へのものであり、UL RSおよびRRM構成メッセージを伴い、UL RRM測定および報告構成情報をソースノード1115からターゲットノード1120に搬送する。
【０１３９】
ステップ2は、UE1110、ソースノード1115、およびターゲットノード1120の間に1032、1034、1036、1038、1040、および1042で示されるUL基準信号を伴い、ここで3つの別個の線は、複数のUL RSを送信する例示的実施形態のみを表し、RSの数は3より少なくても多くてもよい。ステップ3では、1044および1045において、UL RS検出、RRM測定、および基準チェックが実行され、UL測定報告はステップ4で1048においてターゲットノード1120からソースノード1115に提供される。
【０１４０】
異なる実施形態では、ULモビリティがオフになっているとき、ステップ2〜4およびUL RS測定に関するものは何も存在し得ない。
【０１４１】
ステップ5では1050および1052において、DL基準信号がソースノード1115およびターゲットノード1120によってUE1110に提供される。UE1110は、ステップ6で1054においてDLマルチビームRRM測定を実行し、モビリティ管理基準をチェックし、ステップ7で1056においてソースノード1115に結果を報告する。異なる実施形態では、L1、L2、および／またはL3シグナリングメッセージを使用して報告が実施され得る。ステップ8で1058において、ULおよび／またはDL RRM結果に基づいて、ソースノード1115によってハイブリッドMM決定がなされる。ステップ9で1060では、ソースノード1115からターゲットノード1120へのハンドオーバまたはノード追加／削除要求がなされてもよい。
【０１４２】
ステップ10では1062において、ターゲットノード1120は受付制御処理を実行し、ステップ9の1060での要求に応答して受付（たとえば、追加またはハンドオーバの）が認められた場合、ステップ11で1064においてターゲットノード1120によってハンドオーバまたは要求の確認応答が送信される。この後に、モビリティ制御情報を含むUE1110とソースノード1115との間のRRC接続再構成メッセージを伴うステップ12の1066が続いてもよい。ステップ13で1068において、データパスは、マルチ接続の有無にかかわらず、関連するコンテキスト転送と共に、ハンドオーバの結果として追加されたターゲットノード1120にソースノード1115から分割または転送されてもよい。これは、バッファリングされた／転送中のデータおよびコンテキスト1072と共に、1070で示されている。
【０１４３】
ステップ14で1073において、UE1110は、古いセル（ソースノード1115）から分離し、UE1110からソースノード1115を通じてターゲットノード1120へのRACHおよび／またはUL基準信号通信を使用して、ステップ15で1074、1076、および1078において示されるように、新たに追加された新しいノード（ターゲットノード1120）と同期および整列してもよく、ここで3つの線は複数のRACHおよび／またはUL RS信号の例示的実施形態に過ぎず、この数は3より多くても少なくてもよい。
【０１４４】
図11Aおよび図11Bに示される順序は例示的なものに過ぎない。ステップ1〜3（UL部）およびステップ4〜7（DL部）は、時間的にシャッフルされて並べ替えられてもよい。RRM測定用のL1／L2／L3フィルタの論理エンティティは、たとえば（UEのL1−L3プラスTRPのL1／L2プラスgNBのL3）、または（UEのL1−L3プラスTRP  のL1プラスgNB  のL2／L3）、または（全てUE、TRP、およびgNBのL1／L2／L3）など、異なる物理ネットワークエンティティに配置されてもよい。これらの論理エンティティの存在、正確な位置、およびL1−L3の分離は、「セル」定義、具体的な構成、および展開に基づくことができる。
【０１４５】
例示的実施形態の異なる実施は、図11Aおよび図11Bに示されるフローに記載されるように構成され得る異なるRRM基準を使用してもよい。ソースおよびターゲットノードは、具体的なモビリティシナリオ（セル内TRP間、またはセル間gNB内、またはgNB間など）、およびネットワークアーキテクチャに応じて、たとえばTRP（たとえば、L1ベースバンドおよびL2 MACありまたはなしのリモートラジオヘッド（RRH））、CUまたはDUまたはgNBなど、異なる装置タイプであってもよい。
【０１４６】
例示的実施形態では、例示的な実施において異なるハイブリッドシナリオがある。（プロセスおよび構成内容について）異なる可能性のある実施形態を用いる類似の論理、測定シグナリング、および構成フローは、ハイブリッドUL／DLモビリティ、純粋なDLまたはULモビリティ、セルあたり1つまたは複数のTRPを有するシステム、またはgNBあたり1つまたは複数のセルを有するシステムなどにも依然として機能する。
【０１４７】
実施のためのさらなるハイブリッドシナリオは、ハイブリッドLFおよび／またはHF、シングルキャリアまたはマルチキャリアまたはハイブリッド、またはシングルバンドまたはマルチバンド、DCまたはCAによるシングル接続またはマルチ接続、BMおよびMMの、およびそこでの明確な分離があるまたはない、異なるネットワークノードにおけるL2またはL3のみまたはL2およびL3両方のフィルタリングエンティティ、具体的なL3および／またはL2フィルタリング機能の異なる形式、および異なる物理ネットワークノードにおけるL2およびL3論理RRMエンティティの異なる位置、またはこれらのハイブリッド組み合わせのいずれか、または任意の直交的に定義されたL2／L3シグナリング（たとえば、LFアンカーノードからのデュアルコネクティビティRRCシグナリングによる、またはMAC層CE／UCI／DCI．．．などによる）、または上記シナリオのいずれかの組み合わせを含む。
【０１４８】
上記の組み合わせはたとえば、ULおよびDLの結果を組み合わせるためのRRM基準における機能を含み、任意の方向で、方向を超えて（たとえば、候補TRPを有するULおよびDL両方の結果は特定の閾値を超えなければならない）、（セル内モビリティについて）同じUE−TRP対から、または同じ所与のUEについて（たとえば、各セルがカバレッジ内に異なるセットのTRPを有するセル間ハンドオーバについて）UE−TRP対を超えて、（同じ）周波数内または（LFおよびHFにわたる）周波数間として構成され得る。
【０１４９】
たとえば、DLおよびUL結果のUL RRMおよびハイブリッド組み合わせがなされ得るネットワーク側へのDL測定のUEフィードバック報告によって、DL RRMおよびUL RRM測定結果をまとめてプールするアプローチもまた構成可能である。ネットワーク側が異なるTRPによる同じUE UL信号のUL RRM測定値をプールし、これらを後処理し、および／または統一されたMM決定のためにこれらを交換する方法および場所の異なるケースは、たとえば新たに導入されたインターフェースによって、またはサービングノードへのXnによって、または中央ノードへのS2のようなインターフェースによって、またはその他いずれかの公的または独自のインターフェースによって、構成可能である。
【０１５０】
RRM信号、L1−L3 Tx／Rxおよび測定およびフィルタリング、またはチャネルメトリックの報告周波数は、ネットワークによって構成可能であり得る。たとえば、以下の例示的なシナリオのために、モビリティのL2 RRMは、BMのL2 RRMと一緒に統合されてもよく、またはMMのL3 RRMに統合されてもよい。たとえば、DL（またはUL）信号または測定周波数が0のとき、ハイブリッドRRMは純粋なUL（またはDL）RRMとなる。たとえば、HF（またはLF）信号または測定周波数が0のとき、ハイブリッドRRMは純粋なLF（またはHF）RRMとなる。たとえば、LF支援HF、UL支援DL、またはこれらの逆を使用するとき、またはUEに特定のRRMを決定させるために、自律的に構成する。
【０１５１】
図12は、ビーム管理をモビリティ管理から分離するフレームワークを実施するための1つ以上の実施形態を実施し、例示的実施形態による方法を実行するための回路を示すブロック図である。様々な実施形態において全ての構成要素が使用される必要はない。たとえば、UE、TRP、およびgNBは、異なる構成要素のセットを各々使用することができる。
【０１５２】
コンピュータ1200の形態の1つの例示的な計算装置は、処理ユニット1202、メモリ1203、リムーバブル記憶装置1210、および非リムーバブル記憶装置1212を含み得る。例示的な計算装置はコンピュータ1200として図示および説明されているが、計算装置は、異なる実施形態では異なる形態であってもよい。たとえば、計算装置は代わりに、スマートフォン、タブレット、スマートウォッチ、基地局（eNBまたはgNBまたはCUまたはDU）、TRP、リモートラジオヘッド（RRH）、または図12に関連して図示および説明されるものと同じかまたは類似の要素を含むその他の計算装置であってもよい。スマートフォン、タブレット、およびスマートウォッチなどの装置は、一般的にまとめてモバイル装置またはユーザ機器と称される。基地局（eNBまたはgNBまたはCUまたはDU）、TRP、リモートラジオヘッド（RRH）などのその他の装置は、一般的にまとめてTRP、またはネットワークノード、またはネットワーク機器と称される。さらに、様々なデータ記憶要素がコンピュータ1200の一部として示されているが、記憶装置はさらにまたは代わりに、インターネットまたはサーバベースの記憶装置など、ネットワーク経由でアクセス可能なクラウドベースの記憶装置を含んでもよい。
【０１５３】
メモリ1203は、揮発性メモリ1214および不揮発性メモリ1208を含み得る。コンピュータ1200は、揮発性メモリ1214および不揮発性メモリ1208、リムーバブル記憶装置1210および非リムーバブル記憶装置1212などの様々なコンピュータ可読媒体を含んでもよく、またはこれらを含む計算環境を有してもよい。コンピュータ記憶装置は、ランダムアクセスメモリ（RAM）、読み出し専用メモリ（ROM）、消去可能プログラマブル読み出し専用メモリ（EPROM）および電気的消去可能プログラマブル読み出し専用メモリ（EEPROM）、フラッシュメモリまたはその他のメモリ技術、コンパクトディスク読み出し専用メモリ（CD ROM）、デジタル多用途ディスク（DVD）、またはその他の光ディスク記憶装置、磁気カセット、磁気テープ、磁気ディスク記憶装置またはその他の磁気記憶装置、またはコンピュータ可読命令を記憶することができるその他の媒体を含む。
【０１５４】
コンピュータ1200は、入力1206、出力1204、および通信接続1216を含む計算環境を含むか、またはこれへのアクセスを有することができる。出力1204は、入力装置としても機能し得る、タッチスクリーンなどの表示装置を含み得る。入力1206は、タッチスクリーン、タッチパッド、マウス、キーボード、カメラ、1つ以上のデバイス特有のボタン、コンピュータ1200に組み込まれるかまたは有線または無線接続を介してこれに結合された1つ以上のセンサ、およびその他の入力装置のうちの1つ以上を含み得る。コンピュータは、データベースサーバまたは基地局など1つ以上の遠隔コンピュータに接続するために通信接続を使用して、ネットワーク接続環境で動作し得る。遠隔コンピュータは、パーソナルコンピュータ（PC）、サーバ、ルータ、ネットワークPC、基地局、ピアデバイスまたはその他の一般的なネットワークノードなどを含み得る。通信インターフェースおよび接続は、ローカルエリアネットワーク（LAN）、広域ネットワーク（WAN）、セルラー、Wi−Fi、Bluetooth（登録商標）、またはその他のネットワークとのインターフェースまたはこれらによる接続を含み得る。
【０１５５】
コンピュータ可読媒体に記憶されたコンピュータ可読命令は、コンピュータ1200の処理ユニット1202によって実行可能である。ハードドライブ、CD−ROM、およびRAMは、記憶装置などの非一時的なコンピュータ可読媒体を含む物品のいくつかの例である。コンピュータ可読媒体および記憶装置という用語は、搬送波が一時的すぎると見なされる程度にまで搬送波を含まない。記憶装置はまた、1220で示されるストレージエリアネットワーク（SAN）などのネットワーク接続された記憶装置も含むことができる。
【０１５６】
請求項または概念は、ビーム形成を伴う4GシステムであれWi−Fiシステムであれ4G＋5G、4G＋Wi−Fiなどのその他いずれかの組み合わせであれ、NRにおけるマルチビームRLM／RLFなどの他のNR設計問題と同様に、非5G／NRセルラー無線システムなどのその他の実施形態にも同様に適用され得る。
【０１５７】
実施例：
【０１５８】
第1の実施例は、トランシーバと、トランシーバに結合され、複数のビームを記述するL1データを生成するためにトランシーバを介して受信された複数のビームからダウンリンク（DL）基準信号を測定するように構成された、レベル1（L1）処理要素と、事前構成パラメータと一致する第1セル内の複数のビームのうちの1つ以上に対応するL2データを生成するために、L1データに応答して複数のビームを集約、選択、またはフィルタリングするように構成されたレベル2（L2）処理要素と、L1およびL2処理要素に結合され、第1セルおよび第2セルの各々の複数のビームのうちの1つ以上に対応するL3データを生成するように構成された、レベル3（L3）処理要素と、L1、L2、およびL3処理要素に結合され、モビリティイベント用の報告を生成するように構成された、報告ジェネレータと、を含むユーザ機器（UE）に関する。
【０１５９】
第2の実施例では、モビリティイベントは、送受信点（TRP）の第1ビームからTRPの第2ビームにUEを切り替えることを含み、第1および第2ビームは複数のビームのうちのビームであり、UEはL2およびL3処理要素を無効化するように構成されており、報告ジェネレータはL1データに基づいて報告を生成するように構成されている。
【０１６０】
第3の実施例では、モビリティイベントは、第1セル内の1つの送受信点（TRP）に関連する第1ビームから第1セル内の別のTRPに関連する第2ビームにUEを切り替えることを含み、第1および第2ビームは複数のビームのうちのビームであり、UEはL3処理要素を無効化するように構成されており、報告ジェネレータは、L1およびL2データに基づいて報告を生成するように構成されている。
【０１６１】
第4の実施例では、第1および第2セルは単一の次世代ノードB（gNB）に関連付けられ、モビリティイベントは、第1セルの送受信点（TRP）に関連する第1ビームからgNBに関連する第2セルに関連する第2ビームにUEを渡すことを含み、第1および第2ビームは複数のビームのうちのビームであり、報告ジェネレータは、L2およびL3データに基づいて報告を生成するように構成されている。
【０１６２】
第5の実施例では、第1および第2セルはそれぞれの第1および第2次世代ノードB（gNB）に関連付けられており、モビリティイベントは、第1セルの第1送受信点（TRP）に関連する第1ビームから第2セルの第2TRPに関連する第2ビームにUEを渡すことを含み、第1および第2ビームは複数のビームのうちのビームであり、UEはL2処理要素を無効化するように構成されており、報告ジェネレータは、L1およびL3データを使用して報告を生成するように構成されている。
【０１６３】
第6の実施例では、モビリティイベントは、複数のビームの第1対の送信（Tx）および受信（Rx）ビームから複数のビームの第2対のTxおよびRxビームに切り替えることを含み、L1処理要素は整列ビーム対を記述するL1データを生成するように構成されている。
【０１６４】
第7の実施例では、モビリティイベントは、複数のビームのうちの第1多周波ビームから第2多周波ビームに切り替えることを含み、L2処理要素は、L1データに基づいて第2多周波ビームで使用するために複数のビームのうちのビームを選択および結合するように構成されている。
【０１６５】
第8の実施例では、DL基準信号は、少なくとも1つのxRSまたはxSS基準信号を含む。
【０１６６】
第9の実施例では、L2処理要素は、論理AND演算子、論理OR演算子、最大演算子、最大N演算子、および平均化演算子のうちの少なくとも1つ、閾値比較演算子、または相対比較演算子をL1データに適用することによって、複数のビームを集約、選択、またはフィルタリングするように構成されている。
【０１６７】
第10の実施例は、トランシーバと、トランシーバに結合され、複数のビームを記述するL1データを生成するためにトランシーバを介して受信された複数のビームからアップリンク（UL）基準信号を測定するように構成された、レベル1（L1）処理要素と、所定のパラメータと一致する第1セル内の複数のビームのうちの1つ以上に対応するL2データを生成するために、L1データに応答して複数のビームを集約、選択、またはフィルタリングするように構成されたレベル2（L2）処理要素と、L1およびL2処理要素に結合され、第1セルおよび第2セルの各々の複数のビームのうちの1つ以上に対応するL3データを生成するように構成された、レベル3（L3）処理要素と、L1、L2、およびL3処理要素に結合され、モビリティイベント用の報告を生成するように構成された、報告ジェネレータと、を含む送受信点（TRP）に関する。
【０１６８】
第11の実施例は、TRPであって、モビリティイベントは、ユーザ機器（UE）の第1ビームからUEの第2ビームにTRPを切り替えることを含み、第1および第2ビームは複数のビームのうちのビームであり、TRPはL2およびL3処理要素を無効化するように構成されており、報告ジェネレータはL1データに基づいて報告を生成するように構成されている、TRPに関する。
【０１６９】
第12の実施例は、TRPであって、モビリティイベントは、複数のビームの第1対の送信（Tx）および受信（Rx）ビームから複数のビームの第2対のTxおよびRxビームに切り替えることを含み、L1処理要素は整列ビーム対を記述するL1データを生成するように構成されている、TRPに関する。
【０１７０】
第13の実施例は、TRPであって、モビリティイベントは、複数のビームのうちの第1多周波ビームから複数のビームのうちの第2多周波ビームに切り替えることを含み、L2処理要素は、L1データに基づいて第2多周波ビームで使用するために複数のビームのうちのビームを選択および結合するように構成されている、TRPに関する。
【０１７１】
第14の実施例は、TRPであって、L2処理要素は、論理AND演算子、論理OR演算子、最大演算子、最大N演算子、および平均化演算子のうちの少なくとも1つ、閾値比較演算子、または相対比較演算子をL1データに適用することによって、複数のビームを集約、選択、またはフィルタリングするように構成されている、TRPに関する。
【０１７２】
第15の実施例は、UE装置のためのモビリティ管理方法であって、複数のビームを記述するL1データを生成するために受信した複数からのダウンリンク（DL）基準信号を処理するステップと、事前構成パラメータと一致する第1セル内の複数のビームのうちの1つ以上に対応するL2データを生成するために、L1データに応答して複数のビームを集約、選択、またはフィルタリングするステップと、L3データを生成するために、第1セルおよび第2セルの各々のビームに対応するデータを処理するステップと、L1、L2、およびL3データからモビリティイベント用の報告を生成するステップと、を含むモビリティ管理方法に関する。
【０１７３】
第16の実施例では、モビリティイベントは、送受信点（TRP）の第1ビームからTRPの第2ビームにUEを切り替えることを含み、第1および第2ビームは複数のビームのうちのビームであり、方法は、L2およびL3処理を無効化するステップと、L1データに基づいて報告を生成するステップと、をさらに含む。
【０１７４】
第17の実施例では、モビリティイベントは、第1セル内の1つの送受信点（TRP）に関連する第1ビームから第1セル内の別のTRPに関連する第2ビームにUEを切り替えることを含み、第1および第2ビームは複数のビームのうちのビームであり、方法は、L3処理を無効化するステップと、L1およびL2データに基づいて報告を生成するステップと、をさらに含む。
【０１７５】
第18の実施例では、第1および第2セルはそれぞれの第1および第2次世代ノードB（gNB）に関連付けられており、モビリティイベントは、第1セルの第1送受信点（TRP）に関連する第1ビームから第2セルの第2TRPに関連する第2ビームにUEを渡すことを含み、第1および第2ビームは複数のビームのうちのビームであり、方法は、L2処理要素を無効化するステップと、L1およびL3データを使用して報告を生成するステップと、をさらに含む。
【０１７６】
第19の実施例では、モビリティイベントは、複数のビームの第1対の送信（Tx）および受信（Rx）ビームから複数のビームの第2対のTxおよびRxビームに切り替えることを含み、方法は、整列ビーム対を記述するL1データを生成するステップを含む。
【０１７７】
第20の実施例では、モビリティイベントは、複数のビームのうちの第1多周波ビームから第2多周波ビームに切り替えることを含み、方法は、L1データに基づいて第2多周波ビームで使用するために複数のビームのうちのビームを選択および結合することによってL2データを生成するステップを含む。
【０１７８】
第21の実施例では、方法は、L1データからL2データを生成するために、論理AND演算子、論理OR演算子、最大演算子、最大N演算子、および平均化演算子、閾値比較演算子、または相対比較演算子のうちの少なくとも1つを適用することによって複数のビームを集約、選択、またはフィルタリングするステップのうちの少なくとも1つを含む。
【０１７９】
第22の実施例では、RRMブロックおよび報告ジェネレータは、局所的に（UL）測定されたRRMメトリックと共に、ソースおよびターゲットTRP内のハイブリッドモビリティ決定ユニットへの入力としてDL測定値を提供する。決定ユニット（ソースにおける受付制御およびターゲットモビリティ意思決定者）は、L2またはL3または両方の測定に基づいて意思決定するために、UL、DL、または両方を考慮する。シグナリング、たとえばTRP／gNBの間またはUEとネットワークとの間のメッセージ交換は、決定を可能にする。
【符号の説明】
【０１８０】
100  モデル
110  L1フィルタ要素
115  L3フィルタ要素
120  報告基準要素、報告基準の評価要素
200  NRシナリオ、システム
215、240、420、422、440、450、503、504、505、506、507、610、925、930、1020  TRP
220、225、620、1015、1110  UE
230、235  TxまたはRxビーム
245、710、715  矢印
300、350、370、1000  フレームワーク
308、356  L3フィルタ、L3フィルタリング
310  経路、アップリンクブロック
315  経路、ダウンリンクブロック
325、326  L1フィルタリング
330、340  L2モジュール
335  L2モジュール、マルチビームL2フィルタリング
339  ハイブリッドモビリティモジュール
352  L1フィルタ、L1フィルタリング、層1フィルタ
354  L2モジュール、L2結合モジュール、L2結合処理
358、384  報告ジェネレータ
372  L1フィルタ、L1プロセス
374  L2モジュール、L2処理ブロック、L2結合モジュール
376  L2プロセス
378  モビリティ報告ジェネレータ
380  L3プロセス
400  システム
410、415、501、502、551、552、817  セル
424、425、426、427、430、431、432、433、441、442、443、444、451、452、453、454、524、525、526、527、530、531、541、542  ビーム
500  システム、グラフィック描写
510、511、512、513、514、820、822、824、935、940  位置
910、920  NRセル
1000  システム、フレームワーク
1010  gNB
1025  項目、セル
1030  論理アンテナ
1115  ソースノード
1120  ターゲットノード
1200  コンピュータ
1202  処理ユニット
1203  メモリ
1204  出力
1206  入力
1208  不揮発性メモリ
1210  リムーバブル記憶装置
1212  非リムーバブル記憶装置
1214  揮発性メモリ
1216  通信接続
【図１】
2020505821.tif 000005
【図２】
2020505821.tif 000006
【図３Ａ】
2020505821.tif 000007
【図３Ｂ】
2020505821.tif 000008
【図３Ｃ】
2020505821.tif 000009
【図４】
2020505821.tif 000010
【図５】
2020505821.tif 000011
【図６】
2020505821.tif 000012
【図７】
2020505821.tif 000013
【図８】
2020505821.tif 000014
【図９】
2020505821.tif 000015
【図１０】
2020505821.tif 000016
【図１１Ａ】
2020505821.tif 000017
【図１１Ｂ】
2020505821.tif 000018
【図１２】
2020505821.tif 000019
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
機械であって、
トランシーバと、
前記トランシーバに結合され、複数のビームを記述するL1報告を生成するために前記トランシーバを介して受信された前記複数のビームからダウンリンク（DL）基準信号を測定するように構成された、レベル1（L1）処理要素と、
前記L1報告に応答して、構成パラメータにしたがって、前記複数のビームの第1セットの1つ以上のビームに基づいて第1セルの、および前記複数のビームの第2セットの1つ以上のビームに基づいて第2セルの、前記機械におけるそれぞれのセル品質値を決定するように構成された、モビリティ管理処理要素と、
前記モビリティ管理処理要素と並行して動作するように構成されたビーム管理処理要素であって、前記ビーム管理処理要素は、前記L1報告に応答して、前記複数のビームの複数の選択されたセットのビームのそれぞれのビーム品質値を決定するように構成されており、前記複数の選択されたセットのビームの各選択されたセットのビームは、それぞれの送受信点（TRP）または前記第1セルのそれぞれの基地局に関連付けられた、ビーム管理処理要素と、
前記ビーム管理処理要素または前記モビリティ管理処理要素のうちの少なくとも1つに結合された少なくとも1つの報告ジェネレータであって、前記少なくとも1つの報告ジェネレータは、前記ビーム品質値に基づいて、または前記第1および第2セルの前記セル品質値のうちの少なくとも1つに基づいて、ビーム品質に関する報告またはセル品質に関する報告のうちの少なくとも1つを生成するように構成されている、少なくとも1つの報告ジェネレータと、
を備える機械。
【請求項２】
前記DL基準信号は、チャネル状態情報基準信号（CSI−RS）、同期信号ブロック（SSB）、復調基準信号（DMRS）一次同期信号（PSS）、または二次同期信号（SSS）のうちの少なくとも1つを含む、請求項1に記載の機械。
【請求項３】
前記モビリティ管理処理要素は、前記L1報告内の前記第1および第2セットのビームに論理AND演算子、論理OR演算子、最大演算子、最大N演算子、平均化演算子、閾値比較演算子、または相対比較演算子のうちの少なくとも1つを適用することによって前記それぞれのセル品質値を決定するために、前記第1および第2セットのビームを結合または集約および選択またはフィルタリングするように構成されている、請求項1または2に記載の機械。
【請求項４】
前記ビーム管理処理要素は、前記複数のビームの前記複数の選択されたセットのビームの前記ビーム品質値を決定するために、構成されたL2フィルタパラメータにしたがって前記L1報告をフィルタリングするように構成されており、
前記少なくとも1つの報告ジェネレータは、前記複数のビームの前記複数の選択されたセットのビームのビーム品質に関する前記報告を生成するように構成されている、
請求項1から3のいずれか一項に記載の機械。
【請求項５】
前記ビーム管理処理要素は、前記複数のビームの前記ビーム品質値を決定するために、構成されたL3パラメータにしたがって前記L1報告内の前記複数の選択されたセットのビーム内の前記複数の選択されたセットのビームをフィルタリングするように構成されており、
前記少なくとも1つの報告ジェネレータは、前記複数のビームのビーム品質に関する前記報告を生成するように構成されている、
請求項1から3のいずれか一項に記載の機械。
【請求項６】
前記ビーム管理処理要素は、
前記複数のビームの前記ビーム品質値を決定するために、構成されたL2またはL3パラメータのうちの少なくとも1つにしたがって前記L1報告内の前記複数の選択されたセットのビームをフィルタリングし、
前記ビーム品質値に基づいて前記複数の選択されたセットのビームの1つ以上のビームを選択する、
ように構成され、
前記少なくとも1つの報告ジェネレータは、前記フィルタリングされたL1報告のビーム品質に関する前記報告、または前記選択された1つ以上のビームの前記ビーム品質に関する前記報告のうちの少なくとも1つを生成するように構成されている、
請求項1から3のいずれか一項に記載の機械。
【請求項７】
前記L1報告は複数のビーム品質値を含み、前記ビーム管理処理要素は、前記複数の選択されたセットのビームの前記品質を決定するために、前記L1報告および前記構成パラメータに応答して前記複数の選択されたセットのビームのビームを集約および選択するように構成されている、請求項1から6のいずれか一項に記載の機械。
【請求項８】
前記ビーム管理処理要素は、
前記第1セットの1つ以上のビームが1セットの1つ以上のサービス提供ビームに適しているか否かを判断するために、前記構成パラメータにしたがって、前記第1セットの1つ以上のビームを評価するように、または
前記第1セットの1つ以上のビームおよび前記第2セットの1つ以上のビームを評価し、前記第1および第2セットの1つ以上のビームの前記それぞれのビーム品質値および前記構成パラメータに基づいて、前記機械を前記第1セットの1つ以上のビームから前記第2セットの1つ以上のビームに切り替えさせるように、
さらに構成されている、請求項1から7のいずれか一項に記載の機械。
【請求項９】
前記モビリティ管理処理要素は、前記第1および第2セルのそれぞれのセル品質測定値を決定するために前記L1報告内の前記第1セットの1つ以上のビームおよび前記L1報告内の前記第2セットの1つ以上のビームを集約または選択のうちの少なくとも1つを行うために、構成されたL2パラメータにしたがって前記複数のビームの前記L1報告をフィルタリングするように構成されており、
前記少なくとも1つの報告ジェネレータは、前記第1セルおよび前記第2セルのうちの少なくとも1つの前記決定されたセル品質測定値に応答して前記セル品質に関する報告を生成するように構成されている、
請求項1から8のいずれか一項に記載の機械。
【請求項１０】
前記モビリティ管理処理要素は、
構成されたL3パラメータにしたがって、第1セルおよび前記第2セルのうちの少なくとも1つについてそれぞれのセル品質測定値をフィルタリングし、
前記フィルタリングされたセル品質測定値に基づいて前記複数のセルの1つ以上の前記それぞれのセル品質値を取得し、
モビリティイベントを検出するために前記セル品質値を評価する、
ように構成されており、
前記少なくとも1つの報告ジェネレータは、セル品質に関する前記報告ならびに前記第1セルおよび前記第2セルに対応する評価報告を生成するように構成されている、
請求項9に記載の機械。
【請求項１１】
前記モビリティ管理処理要素は、ネットワークによって、
モビリティイベントを検出するために前記第1および第2セルのうちの少なくとも1つについてセル品質に関する前記報告を評価し、
前記機械にサービス提供するために前記第1または第2セルのうちの少なくとも1つを選択するか、または前記機械を前記第1セルと前記第2セルとの間で切り替えさせ、前記モビリティ管理処理要素は、前記機械にサービス提供するために前記第1または第2セルのうちのうちの少なくとも1つを選択するか、または前記決定されたセル品質値、前記検出されたモビリティイベント、前記評価された報告、および前記構成パラメータのうちの少なくとも1つに応答して前記機械を前記第1セルと前記第2セルとの間で切り替えさせるように構成される、
ように構成されている、請求項1から10のいずれか一項に記載の機械。
【請求項１２】
前記モビリティ管理処理要素は、ネットワークによって、前記第1および第2セルのうちの少なくとも1つの前記セル品質値を決定するために、構成されたL3パラメータにしたがって前記第1セルの前記第1セットの1つ以上のビームおよび前記第2セルの第2セットの1つ以上のビームの前記L1報告に対して集約、選択、またはフィルタリングのうちの少なくとも1つを行うように構成されており、
前記少なくとも1つの報告ジェネレータは、前記決定されたセル品質値に基づいて、セル品質に関する前記報告として前記第1および第2セルのうちの少なくとも1つについてL3報告を生成するように構成されている、
請求項1から11のいずれか一項に記載の機械。
【請求項１３】
前記モビリティ管理処理要素は、前記ネットワークによって、
評価結果を作成するために、前記第1セルの前記1つ以上のビームのうちの1つのビームまたは複数のビーム、および前記第2セルの前記1つ以上のビームのうちの前記第2セットの前記1つ以上のビームを選択するために前記L3報告を評価し、
前記選択された1つのビームまたは複数のビームおよびそれぞれのビーム品質値のうちの少なくとも1つ、ならびに前記第1セルおよび前記第2セルのうちの少なくとも1つの前記セル品質値に対応するモビリティイベントを検出する、
ように構成されており、
前記少なくとも1つの報告ジェネレータは、前記評価結果または前記検出されたモビリティイベントのうちの少なくとも1つを報告するようにさらに構成されている、
請求項12に記載の機械。
【請求項１４】
前記報告ジェネレータは、ビーム品質に関する前記報告およびセル品質に関する前記報告を生成するように構成されており、
前記モビリティ管理処理要素は、
前記機械にサービス提供するために、またはモビリティイベントを検出するために、前記第1セルの前記第1セットの1つ以上のビームから1つのビームまたは複数のビームを、および前記第2セルの前記第2セットの1つまたは複数のビームから1つのビームまたは複数のビームを選択し、
ビーム品質に関する前記決定された報告、前記セル品質、検出されたモビリティイベント、および前記構成パラメータに応答して、前記第1セルの前記第1セットのビームの前記選択された1つのビームまたは複数のビームと、前記第2セルの前記選択された1つのビームまたは複数のビームとの間の前記機械の切り替えを制御する、
ように構成されている、請求項1から13のいずれか一項に記載の機械。
【請求項１５】
前記機械は、端末装置に適用されることが可能なユーザ機器またはチップである、請求項1から14のいずれか一項に記載の機械。
【請求項１６】
トランシーバと、
前記トランシーバに結合され、複数のビームを記述するL1報告を生成するために前記トランシーバを介して1つ以上の機械から受信された前記複数のビームからアップリンク（UL）基準信号を測定するように構成された、レベル1（L1）処理要素と、
前記L1報告に応答して、構成パラメータと一致する第1セル内の前記複数のビームのうちの1つ以上に対応するL2報告を決定するように構成されたモビリティ管理処理要素であって、前記L2報告は、前記複数のビームの少なくとも第1セットの1つ以上のビームに基づいて1つ以上の機械のうちの第1の機械について、および前記複数のビームの第2セットの1つ以上のビームに基づいて前記1つ以上の機械のうちの第2の機械についてのそれぞれのチャネル品質値を含む、モビリティ管理処理要素と、
前記モビリティ管理処理要素と並行して動作するように構成されたビーム管理処理要素であって、前記ビーム管理処理要素は、前記L1報告に応答して、前記L1報告の前記複数のビームのそれぞれのビーム品質値を決定するように構成されている、ビーム管理処理要素と、
前記ビーム管理処理要素または前記モビリティ管理処理要素のうちの少なくとも1つに結合された少なくとも1つの報告ジェネレータであって、前記少なくとも1つの報告ジェネレータは、前記ビーム品質値に基づいて、または前記複数のビームの前記第1および第2セットの1つ以上のビームの前記機械チャネル品質値のうちの少なくとも1つに基づいて、ビーム品質に関する報告または機械チャネル品質に関する報告のうちの少なくとも1つを生成するように構成されている、少なくとも1つの報告ジェネレータと、
を備える、ネットワーク装置。
【請求項１７】
前記モビリティ管理処理要素は、前記L1報告に、論理AND演算子、論理OR演算子、最大演算子、最大N演算子、平均化演算子、閾値比較演算子、または相対比較演算子のうちの少なくとも1つを適用することによって前記それぞれのチャネル品質値を決定するために、前記複数のビームを結合または集約および選択またはフィルタリングするように構成されている、請求項16に記載のネットワーク装置。
【請求項１８】
前記ビーム管理処理要素は、前記複数のビームの前記ビーム品質値を決定するために、構成されたL2フィルタパラメータにしたがって前記L1報告をフィルタリングするように構成されており、
前記少なくとも1つの報告ジェネレータは、前記複数のビームのビーム品質に関する前記報告を生成するように構成されている、
請求項16または17に記載のネットワーク装置。
【請求項１９】
前記ビーム管理処理要素は、前記複数のビームの前記ビーム品質値を決定するために、構成されたL3パラメータにしたがって前記L1報告をフィルタリングするように構成されており、
前記少なくとも1つの報告ジェネレータは、前記複数のビームのビーム品質に関する前記報告を生成するように構成されている、
請求項16から18のいずれか一項に記載のネットワーク装置。
【請求項２０】
前記ビーム管理処理要素は、
前記複数のビームの前記ビーム品質値を決定するために、構成されたL2またはL3パラメータのうちの少なくとも1つにしたがって前記L1報告をフィルタリングし、
前記ビーム品質値に基づいて前記複数のビームの1つ以上のビームを選択する、
ように構成され、
前記少なくとも1つの報告ジェネレータは、前記フィルタリングされたL1報告のビーム品質に関する前記報告、または前記選択された1つ以上のビームの前記ビーム品質に関する前記報告のうちの少なくとも1つを生成するように構成されている、
請求項16から19のいずれか一項に記載のネットワーク装置。
【請求項２１】
前記モビリティ管理処理要素は、前記1つ以上の機械についてそれぞれの機械チャネル品質値を決定するために前記L1報告を集約または選択のうちのいずれか1つを行うために、構成されたL2パラメータにしたがって前記複数のビームの前記L1報告をフィルタリングするように構成されており、
前記少なくとも1つの報告ジェネレータは、前記1つ以上の機械について機械チャネル品質に関する報告を生成するように構成されている、
請求項16から20のいずれか一項に記載のネットワーク装置。
【請求項２２】
前記モビリティ管理処理要素は、
前記第1の機械のモビリティイベントを検出するために、前記第1セットのビームおよび第3セットのビームのうちの少なくとも1つの機械チャネル品質に関する前記報告を評価し、
前記第1の機械にサービス提供するために前記第1セットのビームまたは前記第3セットのビームのうちの少なくとも1つを選択するか、または前記第1の機械を前記第1セットのビームと前記第3セットのビームとの間で切り替えさせ、前記処理要素は、機械チャネル品質に関する前記生成された報告、前記検出されたモビリティイベント、前記評価された報告、および前記構成パラメータのうちの少なくとも1つに応答して選択するかまたは切り替えるように構成される、
ように構成されている、請求項16から21のいずれか一項に記載のネットワーク装置。
【請求項２３】
前記第1セットのビーム内のアップリンクビームのビーム品質値に関して前記ネットワーク装置によって生成された報告、または前記第1セットのビームのダウンリンクビーム品質または前記第1セットのビームを含むセルのセル品質に関して前記機械によって生成された報告のうちの少なくとも1つに応答して、前記第1セットのビームから第3セットのビームに切り替えるように前記第1の機械を制御することをさらに備える、請求項16から22のいずれか一項に記載のネットワーク装置。
【請求項２４】
機械のモビリティ管理方法であって、
複数のビームを記述するL1報告を生成するために、前記複数の受信したビームからのダウンリンク（DL）基準信号を処理するステップと、
前記L1報告に応答して、構成パラメータと一致する前記複数のビームを結合または集約および選択またはフィルタリングすることによって、前記複数のビームの第1セットの1つ以上のビームに基づいて第1セルの、および前記複数のビームの第2セットの1つ以上のビームに基づいて第2セルの、前記機械におけるそれぞれのセル品質値を取得するステップと、
前記L1報告に応答して、前記それぞれのセル品質値を取得する前記ステップと並行して、前複数の選択されたセットの前記複数のビームについてそれぞれのビーム品質値を決定するステップであって、前記複数の選択されたセットのビームの各選択されたセットのビームは、それぞれの送受信点（TRP）または前記第1セルのそれぞれの基地局に関連付けられている、ステップと、
前記セル品質値または前記ビーム品質値のうちの少なくとも1つに基づいて、ビーム品質に関する報告またはセル品質に関する報告のうちの少なくとも1つを生成するステップと、
を備える、モビリティ管理方法。
【請求項２５】
前記機械のモビリティイベントを検出するステップであって、セル品質に関する前記報告が、前記複数のビームの前記第1セットの1つ以上のビームから複数のビームの第3セットの1つ以上のビームに前記第1の機械を切り替えるための構成モビリティ基準を満たすと判断するステップを含む、ステップをさらに備える、請求項24に記載のモビリティ管理方法。
【請求項２６】
前記複数のビームを結合または集約および選択またはフィルタリングする前記ステップは、前記L1報告から前記セル品質値を取得するために論理AND演算子、論理OR演算子、最大演算子、最大N演算子、加重関数演算子、平均化演算子、閾値比較演算子、または相対比較演算子のうちの少なくとも1つを適用するステップを含む、請求項24または25に記載のモビリティ管理方法。
【請求項２７】
前記それぞれのビーム品質値を決定する前記ステップは、前記複数のビームの前記複数の選択されたセットのビームの前記ビーム品質値を決定するために、構成されたL2フィルタパラメータにしたがって前記複数の選択されたセットのビームの前記L1報告をフィルタリングするステップを含み、
ビーム品質に関する前記報告またはセル品質に関する前記報告のうちの前記少なくとも1つを生成する前記ステップは、前記複数のビームの前記複数の選択されたセットのビームのビーム品質に関する前記報告を生成するステップを含む、
請求項24から27のいずれか一項に記載のモビリティ管理方法。
【請求項２８】
前記それぞれのビーム品質値を決定する前記ステップは、前記複数のビームの前記複数の選択されたセットのビームの前記ビーム品質値を決定するために、構成されたL3パラメータにしたがって前記複数のビームの前記複数の選択されたセットのビームの前記L1報告をフィルタリングするステップを含み、
ビーム品質に関する前記報告またはセル品質に関する前記報告のうちの少なくとも前記少なくとも1つを生成する前記ステップは、前記複数のビームの前記複数の選択されたセットのビームのビーム品質に関する前記報告を生成するステップを含む、
請求項24から27のいずれか一項に記載のモビリティ管理方法。
【請求項２９】
前記複数のビームの前記複数の選択されたセットのビームの前記それぞれのビーム品質値を決定する前記ステップは、
前記複数のビームの前記複数の選択されたセットのビームの前記ビーム品質値を決定するために、構成されたL2またはL3パラメータのうちの少なくとも1つにしたがって前記複数の選択されたセットのビームの前記L1報告をフィルタリングするステップと、
前記ビーム品質値に基づいて前記複数のビームの前記複数の選択されたセットのビームの1つ以上のビームを選択するステップと、
を含み、
ビーム品質に関する前記報告またはセル品質に関する前記報告のうちの前記少なくとも1つを生成する前記ステップは、前記フィルタリングされたL1報告のビーム品質に関する前記報告または前記複数のビームの前記複数の選択されたセットのビームの前記選択されたビームの前記ビーム品質に関する前記報告のうちの少なくとも1つを生成するステップを含む、
請求項24から28のいずれか一項に記載のモビリティ管理方法。
【請求項３０】
前記L1報告に応答して、前記第1および第2セットの1つ以上のビームを結合または集約および選択またはフィルタリングする前記ステップは、前記それぞれのセル品質値を取得するために、前記第1セルの前記第1セットの1つ以上のビームの前記L1報告および前記第2セルの前記第2セットの1つ以上のビームの前記L1報告を集約または選択のうちの少なくとも1つを行うステップを含む、構成されたL2パラメータにしたがって前記複数のビームの前記L1報告をフィルタリングするステップを含み、
ビーム品質に関する前記報告またはセル品質に関する前記報告のうちの少なくとも1つを生成する前記ステップは、前記第1セルおよび前記第2セルのうちの少なくとも1つについてセル品質に関する前記報告を生成するステップを含む、
請求項24から29のいずれか一項に記載のモビリティ管理方法。
【請求項３１】
前記L1報告に応答して、前記第1および第2セットの1つ以上のビームを結合または集約および選択またはフィルタリングする前記ステップは、
モビリティイベントを検出するのに応答して、前記第1および第2セルのうちの少なくとも1つについてセル品質に関する前記報告を評価するステップと、
前記機械にサービス提供するため、または前記第1セルと前記第2セルとの間で前記機械を切り替えさせるために、前記第1または第2セルのうちの少なくとも1つを選択するステップであって、前記選択または切り替えは、前記取得したセル品質値、前記検出されたモビリティイベント、前記評価された報告、および前記構成パラメータのうちの少なくとも1つに応答する、
請求項24から29のいずれか一項に記載のモビリティ管理方法。
【請求項３２】
メモリ、プロセッサ、および前記メモリ上に記憶されて前記プロセッサ上で動作可能なコンピュータプログラムを備える装置であって、前記プロセッサは、実行されると、請求項24から30のいずれか一項に記載の方法を前記装置に実施させる、装置。
【請求項３３】
前記装置は、端末装置に適用されることが可能なユーザ機器またはチップである、請求項32に記載の装置。
【請求項３４】
請求項24から31のいずれか一項に記載の方法を実行するようにコンピュータを適合させるプログラム。
【手続補正２】
【補正対象書類名】明細書
【補正対象項目名】全文
【補正方法】変更
【補正の内容】
【発明の詳細な説明】
【技術分野】
【０００１】
本発明はモビリティ機構に関し、具体的には、ビーム形成セルラーおよびその他のビーム形成無線システムのためのハイブリッドモビリティおよび無線リソース管理（RRM）機構に関する。
【背景技術】
【０００２】
無線リソース管理（RRM）およびモビリティ機構は、互いに緊密に関係している。モビリティおよびRRMは、たとえばセルラーネットワーク、無線ネットワーク、および放送システムなど、無線通信システムにおける無線チャネルおよび同一チャネル干渉ならびにその他の無線伝送特性の無線レベル制御および測定のためのシステムである。RRMは、送信電力、ユーザリソース割り当て、ビーム形成、データレート、ハンドオーバ関連基準、変調方式、誤り符号化方式などなどのパラメータを測定および制御するための戦略およびアルゴリズムを伴う。目的は、限られた無線周波数スペクトルリソースおよび無線ネットワークインフラストラクチャを可能な限り有効に利用することである。ロングタームエボリューション（LTE）向け無線リソース管理（RRM）モデルは、全方向セルラーシステムに対して十分に確立されている。これらのシステムは、ネットワーク層メッセージング、たとえば開放システム相互接続（OSI）層3またはL3における無線リソース制御（RRC）メッセージングを使用する。
【０００３】
一般的に言えば、RRMは、ユーザ機器（UE）装置および／またはネットワークノード（たとえば、進化型ノードBまたはeNB）の両方における無線を介したエンドツーエンド動作、ならびにサービスエリア内で動作しているUE装置およびネットワークノードの間の相互作用を、伴う。RRMは、層1またはL1としても知られる物理層から、層2またはL2としても知られるメディアアクセス制御（MAC）RLC／PDCP層、および／またはRRC層、層3またはL3としても知られるネットワーク層にわたる、複数の層に存在する。異なる層において、RRMは、異なるタイムスケールで無線リソースを操作し、異なる機構を使用する。
【０００４】
たとえば、L1において、ネットワークノードは、UEによって作成されるダウンリンク（DL）基準信号（RS）（たとえば、LTEにおけるCRSまたはCSI−RS）の測定値に基づいてチャネル状態インジケータ（CSI）を使用してRRMを実施する。CSI要求に応答して、UEは、物理アップリンク制御チャネル（PUCCH）または物理アップリンク共有チャネル（PUSCH）フィードバック制御を使用して、測定値（たとえば基準信号受信電力（RSRP）および基準信号受信品質（RSRQ））をネットワークノードに送信する。これらの値は、ハイブリッド自動再送要求（HARQ）および／または電力制御に使用され得る。
【０００５】
L2において、スケジューリング要求（SR）に応答してPUSCHでMAC制御要素（MAC CE）を使用するLTEシステム内のバッファ状態報告（BSR）および電力ヘッドルーム報告（PHR）などのCSI関連フィードバック。L2 RRMはまた、ULおよびDLスケジューリング、ならびにリンク適応のためにPUCCHを使用してもよい。
【０００６】
L3において、RRMは、3GPP規格TS36．300によって定義された、L1フィルタリングされたRSRQ／RSRQ測定値、次いでL3フィルタリングされたRSRQ／RSRQ測定値を得るために、イベント駆動型または周期的トリガを使用する。L3 RRMは、モビリティ関連チャネル品質測定のためにUEから得られたDL RS（たとえば、セル固有RSまたはCRS）をフィルタリングし、UEからネットワークへのL3無線リソース制御（RRC）シグナリングメッセージを通じて得られた測定報告、および関連するHOトリガ（たとえば、3GPP TS36．331／TS36．133などによって定義されるA3、A2、A4、A6イベント）を使用する。L3 RRMは通常、RRC＿ACTIVE状態のネットワークによって、またはRRC＿IDLE状態のUEによって、制御される。
【発明の概要】
【課題を解決するための手段】
【０００７】
例示的実施形態は、トランシーバと、トランシーバに結合され、複数のビームを記述するL1データを生成するためにトランシーバを介して受信された複数のビームからダウンリンク（DL）基準信号を測定するように構成された、レベル1（L1）処理要素と、事前構成パラメータと一致する第1セル内の複数のビームのうちの1つ以上に対応するL2データを生成するために、L1データに応答して複数のビームを結合または集約するように、ならびに選択またはフィルタリングするように構成されたレベル2（L2）処理要素と、L1およびL2処理要素に結合され、第1セルおよび第2セルの各々の複数のビームのうちの1つ以上に対応するL3データを生成するように構成された、レベル3（L3）処理要素と、L1、L2、およびL3処理要素に結合され、モビリティイベント用の報告を生成するように構成された、報告ジェネレータと、を備えるユーザ機器（UE）を含む。
【０００８】
任意選択的に、上記実施形態の一態様において、モビリティイベントは、送受信点（TRP）の第1ビームからTRPの第2ビームにUEを切り替えることを含み、第1および第2ビームは複数のビームのうちのビームであり、UEは、L2処理要素の機能性をL3処理要素に統合するために、またはL2処理要素の機能性をL1処理要素に統合するために、L2およびL3処理要素を無効化するように構成されており、報告ジェネレータは、アクティブ処理ユニットの対応する層におけるデータに基づく報告として積層報告を生成するように構成されている。
【０００９】
任意選択的に、上記実施形態または態様の一態様において、モビリティイベントは、第1セル内の1つの送受信点（TRP）に関連する第1ビームから第1セル内の別のTRPに関連する第2ビームにUEを切り替えることを含み、第1および第2ビームは複数のビームのうちのビームであり、UEはL3処理要素を無効化するように構成されており、報告ジェネレータは、L1およびL2データに基づいて報告を生成するように構成されている。
【００１０】
任意選択的に、上記実施形態または態様の一態様において、第1および第2セルは単一の次世代ノードB（gNB）に関連付けられ、モビリティイベントは、第1セルの送受信点（TRP）に関連する第1ビームからgNBに関連する第2セルに関連する第2ビームにUEを渡すことを含み、第1および第2ビームは複数のビームのうちのビームであり、報告ジェネレータは、L2およびL3データに基づいて報告を生成するように構成されている。
【００１１】
任意選択的に、上記実施形態または態様の一態様において、第1および第2セルはそれぞれの第1および第2次世代ノードB（gNB）に関連付けられており、モビリティイベントは、第1セルの第1送受信点（TRP）に関連する第1ビームから第2セルの第2TRPに関連する第2ビームにUEを渡すことを含み、第1および第2ビームは複数のビームのうちのビームであり、UEはL2処理要素を無効化するように構成されており、報告ジェネレータは、L1およびL3データを使用して報告を生成するように構成されている。
【００１２】
任意選択的に、上記実施形態または態様の一態様において、モビリティイベントは、複数のビームの第1対の送信（Tx）および受信（Rx）ビームから複数のビームの第2対のTxおよびRxビームに切り替えることを含み、L1処理要素は整列ビーム対を記述するL1データを生成するように構成されている。
【００１３】
任意選択的に、上記実施形態または態様の一態様において、モビリティイベントは、複数のビームのうちの第1多周波ビームから第2多周波ビームに切り替えることを含み、L2処理要素は、L1データに基づいて第2多周波ビームで使用するために複数のビームのうちのビームを選択および結合するように構成されている。
【００１４】
任意選択的に、上記実施形態または態様の一態様において、DL基準信号は、少なくとも1つのxRSまたはxSS基準信号を含む。
【００１５】
任意選択的に、上記実施形態または態様の一態様において、L2処理要素は、論理AND演算子、論理OR演算子、最大演算子、最大N演算子、および平均化演算子のうちの少なくとも1つ、閾値比較演算子、または相対比較演算子をL1データに適用することによって、複数のビームを集約、選択、またはフィルタリングするように構成されている。
【００１６】
別の例示的実施形態は、トランシーバと、複数のビームを記述するL1データを生成するためにトランシーバを介して受信された複数のビームからアップリンク（UL）基準信号を測定するように構成された、レベル1（L1）処理要素と、所定のパラメータと一致する第1セル内の複数のビームのうちの1つ以上に対応するL2データを生成するために、L1データに応答して複数のビームを集約、選択、またはフィルタリングするように構成されたレベル2（L2）処理要素と、L1およびL2処理要素に結合され、第1セルおよび第2セルの各々の複数のビームのうちの1つ以上に対応するL3データを生成するように構成された、レベル3（L3）処理要素と、L1、L2、およびL3処理要素に結合され、モビリティイベント用の報告を生成するように構成された、報告ジェネレータと、ULおよびDL基準信号もしくはL2処理ユニットまたはL3処理ユニットのうちの少なくとも1つからのULおよびDL基準信号のハイブリッド測定値を組み込むように構成された決定ユニットと、ハイブリッドモビリティ決定を容易にするために、他のネットワーク装置またはユーザ機器（UE）とメッセージを交換するように構成されたシグナリングメッセージジェネレータと、を備えるネットワーク装置を含む。
【００１７】
任意選択的に、上記実施形態または態様の一態様において、モビリティイベントは、ユーザ機器（UE）の第1ビームからUEの第2ビームにTRPを切り替えることを含み、第1および第2ビームは複数のビームのうちのビームであり、TRPはL2およびL3処理要素を無効化するように構成されており、報告ジェネレータはL1データに基づいて報告を生成するように構成されている。
【００１８】
任意選択的に、上記実施形態または態様の一態様において、モビリティイベントは、複数のビームの第1対の送信（Tx）および受信（Rx）ビームから複数のビームの第2対のTxおよびRxビームに切り替えることを含み、L1処理要素は、整列ビーム対を記述するL1データを生成するように構成されている。
【００１９】
任意選択的に、上記実施形態または態様の一態様において、モビリティイベントは、複数のビームの第1多周波ビームから複数のビームの第2多周波ビームに切り替えることを含み、L2処理要素は、L1データに基づいて第2多周波ビームで使用するために複数のビームのうちのビームを選択および結合するように構成されている。
【００２０】
任意選択的に、上記実施形態または態様の一態様において、L2処理要素は、論理AND演算子、論理OR演算子、最大演算子、最大N演算子、および平均化演算子のうちの少なくとも1つ、閾値比較演算子、または相対比較演算子をL1データに適用することによって、複数のビームを集約、選択、またはフィルタリングするように構成されている。
【００２１】
別の例示的実施形態は、UE装置のためのモビリティ管理方法であって、複数のビームを記述するL1データを生成するために受信した複数からのダウンリンク（DL）基準信号を処理するステップと、事前構成パラメータと一致する第1セル内の複数のビームのうちの1つ以上に対応するL2データを生成するために、L1データに応答して複数のビームを集約、選択、またはフィルタリングするステップと、L3データを生成するために、第1セルおよび第2セルの各々のビームに対応するデータを処理するステップと、ネットワーク構成にしたがってUL信号を生成するステップと、ネットワーク構成、モビリティイベント、またはUEの優先度に応じて、L1、L2、またはL3データのいずれかを生成する処理を選択的に無効化するか、またはL1、L2、またはL3データのうちのいずれか2つを組み合わせられた処理に統合するステップと、生成されたデータからモビリティイベント用の報告を生成するステップと、を備える方法を含む。
【００２２】
任意選択的に、上記実施形態または態様の一態様において、モビリティイベントは、送受信点（TRP）の第1ビームからTRPの第2ビームにUEを切り替えることを含み、第1および第2ビームは複数のビームのうちのビームであり、方法は、L2およびL3処理を無効化するステップと、L1データに基づいて報告を生成するステップと、をさらに含む。
【００２３】
任意選択的に、上記実施形態または態様の一態様において、モビリティイベントは、第1セル内の1つの送受信点（TRP）に関連する第1ビームから第1セル内の別のTRPに関連する第2ビームにUEを切り替えることを含み、第1および第2ビームは複数のビームのうちのビームであり、方法は、L3処理を無効化するステップと、L1およびL2データに基づいて報告を生成するステップと、をさらに含む。
【００２４】
任意選択的に、上記実施形態または態様の一態様において、第1および第2セルはそれぞれの第1および第2次世代ノードB（gNB）に関連付けられており、モビリティイベントは、第1セルの第1送受信点（TRP）に関連する第1ビームから第2セルの第2TRPに関連する第2ビームにUEを渡すことを含み、第1および第2ビームは複数のビームのうちのビームであり、方法は、ネットワーク構成、モビリティイベント、またはUEの優先度に基づいて、L2データを生成する処理を、L1またはL3データを生成する処理のうちの1つに統合するステップと、L1データ、L3データ、またはL1およびL3両方のデータを使用して報告を生成するステップと、をさらに含む。
【００２５】
任意選択的に、上記実施形態または態様の一態様において、モビリティイベントは、複数のビームの第1対の送信（Tx）および受信（Rx）ビームから複数のビームの第2対のTxおよびRxビームに切り替えることを含み、方法は、整列ビーム対を記述するL1データを生成するステップを含む。
【００２６】
任意選択的に、上記実施形態または態様の一態様において、モビリティイベントは、複数のビームのうちの第1多周波ビームから第2多周波ビームに切り替えることを含み、方法は、L1データに基づいて第2多周波ビームで使用するために複数のビームのうちのビームを選択および結合することによってL2データを生成するステップを含む。
【００２７】
任意選択的に、上記実施形態または態様の一態様において、方法は、L1データからL2データを生成するために、論理AND演算子、論理OR演算子、最大演算子、最大N演算子、加重関数演算子、平均化演算子、閾値比較演算子、または相対比較演算子のうちの少なくとも1つを適用することによって複数のビームを集約、選択、またはフィルタリングするステップのうちの少なくとも1つを含む。
【図面の簡単な説明】
【００２８】
【図１】RRCの関与を伴う、標準化された全方向LTE L3モデルを示すブロック図である。
【図２】例示的実施形態による、1つのUEと1つまたは複数のTRP（Transmission and Reception Points、送受信点）との間に高周波（HF）整列ビームを有するセル内モビリティシナリオを示すブロック図である。
【図３Ａ】例示的実施形態による、モビリティ管理機能からビーム管理機能を論理的に分離して（ハイブリッド）モビリティ管理のためにDL、UL、およびハイブリッドRRM測定値を統合するための共通フレームワークを有する、例示的モデルのブロック図である。
【図３Ｂ】例示的実施形態による、モビリティ管理機能からビーム管理機能を論理的に分離して（ハイブリッド）モビリティ管理のためにDL、UL、およびハイブリッドRRM測定値を統合するための共通フレームワークを有する、例示的モデルのブロック図である。
【図３Ｃ】例示的実施形態による、モビリティ管理機能からビーム管理機能を論理的に分離して（ハイブリッド）モビリティ管理のためにDL、UL、およびハイブリッドRRM測定値を統合するための共通フレームワークを有する、例示的モデルのブロック図である。
【図４】例示的実施形態による、異なるシナリオに対する階層編成（TRP／セル内）ビーム管理および（TRP／セル間）モビリティ管理を示すチャートである。
【図５】例示的実施形態による、図4の階層ビーム／モビリティ管理シナリオのグラフィック図である。
【図６】例示的実施形態による、1つのUEと1つのTRPとの間の初期ビームアライメントを示すブロック図である。
【図７】例示的実施形態による、セル内またはTRP内ビーム切り替え／追跡を示すブロック図である。
【図８】例示的実施形態による、セル内TRP間モビリティを示すブロック図である。
【図９】例示的実施形態による、セル間TRP間モビリティを示すブロック図である。
【図１０】例示的実施形態による、ハイブリッドモビリティおよびRRMシステムフレームワークの提案されたさらなる実施形態を示すブロック図である。
【図１１Ａ】例示的実施形態による、提案されたハイブリッドマルチビームRRMモデルを使用するハイブリッドUL／DLモビリティフレームワークの制御フローを示す、提案されたタイミング図である。
【図１１Ｂ】例示的実施形態による、提案されたハイブリッドマルチビームRRMモデルを使用するハイブリッドUL／DLモビリティフレームワークの制御フローを示す、提案されたタイミング図である。
【図１２】例示的実施形態による、RFユニットを介したマルチビーム通信のための論理的に分離したビーム管理およびモビリティ管理方法ならびにアルゴリズムを実施するためのユーザ装置またはネットワークノードの回路を示すブロック図である。
【発明を実施するための形態】
【００２９】
以下の説明では、本明細書の一部を形成し、実践され得る特定の実施形態の説明によって示される、添付図面が参照される。これらの実施形態は、当業者を可能にするのに十分なほど詳細に説明されており、他の実施形態も利用されてもよいこと、ならびに本開示の範囲から逸脱することなく構造的、論理的、および電気的な変更がなされてもよいことは、理解されるべきである。したがって、以下の例示的実施形態の説明は限定的な意味で解釈されるべきではなく、本実施形態の範囲は添付請求項によって定義される。
【００３０】
本明細書に記載される機能またはアルゴリズムは、一実施形態においてソフトウェアで実装されてもよい。ソフトウェアは、ローカルまたはネットワーク接続のいずれかの、1つ以上の非一時的メモリまたは他の種類のハードウェアベースの記憶装置などのコンピュータ可読媒体またはコンピュータ可読記憶装置に記憶されたコンピュータ実行可能命令からなってもよい。さらに、このような機能は処理要素またはモジュールに対応し、これらはソフトウェア、ハードウェア、ファームウェア、またはこれらの任意の組み合わせであってもよい。必要に応じて1つ以上の処理要素内で複数の機能が実行されてもよく、説明される実施形態は単なる例である。処理要素は、パーソナルコンピュータ、サーバ、またはその他のコンピュータシステムなどのコンピュータシステム上で動作するデジタル信号プロセッサ、ASIC、マイクロプロセッサ、またはその他の種類のプロセッサ上で実行されて、このようなコンピュータシステムを特別にプログラムされた機械に変える、ソフトウェアを含み得る。
【００３１】
新無線（NR）と称される新興の第5世代（5G）無線システムでは、空間分割多元接続（SDMA）などの技術および単一周波数または多周波数の展開（たとえば、キャリアアグリゲーション（CA）およびデュアルコネクティビティ（DC）を含む、HF（高周波）およびLF（低周波）の両チャネル）を通じて無線リンクを実施するために、ビーム形成が使用される。既存の全方向（6GHz未満のLTE LF）実装と比較して指向性送受信が狭いため、ビーム形成システム用のRRMは、ビーム決定（たとえば、アライメント、選択、切り替え、調整、および追跡など）、ビーム測定、ビーム報告、およびビーム掃引などのような、ビーム管理（BM）機能を含む。これらの機能は通常、少なくともL1およびL2において実行される。BM関連の無線測定およびRRCは、新無線RRMの一部と見なされることが可能である。この新しいRRMは、アップリンク（UL）およびダウンリンク（DL）の両方において、セル固有およびユーザ固有信号の両方で、新しい基準信号を使用し得る。NR内の全ての類似のRRMおよびモビリティシナリオで均一なフレームワークを有することが望ましい。同様に、RRMおよびモビリティは、UE装置およびネットワークノード（たとえば、gNBまたは送受信点（TRP））ならびにこれらお相互作用を伴う無線によるエンドツーエンド動作である。
【００３２】
ビーム形成に加えて、5G無線システムは、同じ周波数帯域または異なる周波数帯域のいずれかにおいて全二重または半二重モードで動作し得る。送信機および受信機はいずれも、安定したまたは使用可能なビーム対リンク（BPL）を形成する整列した送信機（Tx）−受信機（Rx）ビーム対を定義するために、デジタル、アナログ、またはハイブリッドビーム形成技術を採用し得る。整列した対では、受信機のアンテナは、送信機からの対応するビームとほぼ同じビーム「軸」を有するビームを形成するように構成されている。アナログビーム形成は、それぞれのTxおよびRxビームの軸を揃える。デジタルビーム形成は、TxおよびRxビームの固有値／ベクトル計算を伴う数学的なものである。全二重モードでは、TRPおよびUEはいずれもビーム形成を採用することができ、その場合、UEとTRPとの間に2つのビーム対があり得る。1対のTxおよびRxビームは通常同じ周波数帯域を使用するが、しかしたとえばTRPおよび／またはUEがキャリアアグリゲーション向けに構成されているときには、異なる周波数を有する複数対のビームが同じUE−TRPによって同時に使用されることが可能である。本明細書で使用されるとき、ビーム対という用語は、Tx−Rx対のビームのみを指す。いくつかの例では、TRPまたはUEのいずれかはビーム形成を採用しなくてもよい。これらの例はまた、ビーム形成のために1つのビームが全方向性であって他方のビームが指向性であるビーム対を採用してもよい。本明細書で使用されるとき、ビームという用語は、1つの装置の複数のアンテナを使用して形成された単一のビーム、またはRx−Txビーム対を指すことができる。
【００３３】
5Gシステムが動作し得る異なるモードの数は、ハンドオーバ、ビーム切り替えなどのモビリティイベントの実装を複雑にする。現在のシステムでは、ハンドオーバは通常、eNB間である。上述のような5Gシステムでは、図4および図5を参照して以下に説明されるように、複数のハンドオーバシナリオがあり得る。5Gシステムにモビリティイベントを実装するための管理の役割を理解するためには、既存のシステム内でハンドオーバがどのように行われるかを理解することが役立つ。
【００３４】
3GPP TS36．842およびTS36．300規格は、HetNetデュアルコネクティビティ（DC）モビリティおよびDLモビリティRRMのためのRRMを定義する。このRRMは、イベントトリガ条件、小さいセルがL1でオンまたはオフになり得る、またはL3で接続を変更する、スレーブツーマスター（S2M）およびマスターツースレーブ（M2S）ハンドオーバなどのモビリティシナリオ向けの閾値との相対比較または比較を含む、RSRPまたはRSRQの測定値のメトリックのような基準を導入する。以下に説明されるように、5G RRMは、ビーム管理とモビリティ管理とを区別し、3GPP無線アクセスネットワークワーキンググループ2（RAN WG2またはRAN2）協定で定義された、異なるモビリティシナリオに対してRRMおよびモビリティの均一なフレームワークを提供する。さらに、以下に説明される例示的な5G RRMシナリオは、新しいモビリティシナリオ、ならびに同じTRP／セルからまたは異なるTRP／セルにわたる複数のビーム対の結合の操作に、適応可能である。これらの例の考察は、単一のビーム対または異なるビーム対によって定義されたチャネルの測定値を経時的にどのように平均化するか否かを含む。以下に説明される例は、ビームアライメント状態（アライメントの前または後）の知識のない、UEによる複数のビームの受信品質の時間平均のような一般的なRRM基準に限定されない。これらは、たとえばUL対DLモビリティ、セル内TRP間対セル間／gNB間モビリティなど、特定のシナリオ向けの具体的な測定基準を定義し、（たとえば、セル内TRP間（ULおよびDL）モビリティ（本明細書ではL2モビリティと呼ばれる）がない）多くのNRモビリティシナリオに適応するための適応型または均一なハイブリッドフレームワークを提供し、より高額で低速のL3モビリティの代わりにまたは濃度において新しいRRMフィルタおよび報告トリガを有する新しいL2モジュールを実装する。L2モジュールは、RRCの関与のないモビリティまたはL2ビーム管理のためにL3モジュール（たとえば、L3 RRMフィルタおよびL3 RRM報告）を交換してもよく、またはL2モジュールは、RRCの関与を伴うモビリティのためにL3モジュールと連結または統合してもよい。これらの例はまた、従来の（たとえば、DL測定ベース）または将来の（たとえば、DLおよびUL測定ベース）モビリティシナリオに同様に適合するハイブリッドRRM構成可能フレームワークも定義する。たとえば、ハイブリッドULおよびDLベースRSでは、LTEよりもNRにおいてあまりタイムリーではないDL RS（たとえば、DL RSの低頻度の送信）のためのDL RRMおよびモビリティを補償するため、したがってより良い消費電力制御を達成するために、以下に説明されるフレームワークの例におけるUL RRMおよびモビリティが使用され得る。
【００３５】
1つのeNBから別のeNBへの従来のハンドオーバに加えて、NRの階層アーキテクチャで動作する以下に説明される例示的なモビリティ管理フレームワークは、単なるビーム管理（BM）以外のモビリティ管理（MM）挙動として、「ビーム切り替え」（たとえば、TRP間、セル間、および／またはgNB間）などの他の種類のモビリティイベントを検討する。ビーム管理は、同じUEおよび異なるTRP／セル／gNBを有する対の間でのビーム切り替えが上層でまたはコアネットワークの内部での低速シグナリングを伴わずに機能できるとき、モビリティ管理にとって十分である。しかしながらこれは、ほとんどの場合、TRP／gNBが厳密に同期しているときにのみ起こるだろう。
【００３６】
図4は、RAN2協定によって定義された階層的編成においてTRP／セルレベルのMMおよびビームレベルビームの管理がどのように実施され得るかを示す例示的なシナリオを示すチャートである。システム400は、2つの物理的に隣接して部分的に重なり合うセル410および415を含む一例である。セル410は、TRP420および422を含む。TRP420は、ビーム424、425、426、および427を含む。TRP422は、ビーム430、431、432、および433を含む。セル415は、TRP440および450を含む。TRP440は、ビーム441、442、443、および444を含む。TRP450は、ビーム451、452、453、および454を含む。各TRPについて示されるビームの数は、簡素化された図解のためであり、TRPは図示されるよりもはるかに多くのビームを有してもよい。
【００３７】
図4に示されるものと類似のシステムが、セル501および502ならびにTRP503、504、505、506、および507と共に図5に500で図式的に示されている。なお、図4および図5の両方が、複数のビームおよび複数のTRP、ならびに510、511、512、513、および514で示される複数の位置の間を移動するUEを含むことに、留意されたい。セル501は、TRP503および504を含む。TRP503は、524、525、526、および527で示されるビーム1−4を含む。TRP504は、ビーム530および531を含む。セル502は、ビーム541、542を有するTRP505を含む。セル502は、セル551、552を有するTRP506も含む。なお、全てのビームがグラフィック描写500に示されているわけではないことに、留意されたい。
【００３８】
図4に示されるシナリオは、UEが異なる位置に移動する際にUEの複数のリンクが動的にどのように動くか（たとえば、同じまたは異なるTRPまたはセルで）に応じて、ビーム管理、モビリティ、またはビーム管理およびモビリティの両方を伴う。TRP内またはセル内ビーム管理およびTRPまたはセルレベルのモビリティ管理を伴ういくつかのケースが示されている。セル内またはTRP内ビーム管理の一例が、ケース1〜3によって示されている。ケース1では460において、UEは、ビーム425からビーム426にビームを切り替える。この切り替えは、ケース2の462で示されるようにTRP420で、ならびにケース3の464で示されるようにセル401で、行われる。ケース3は、TRP420がセル410とは異なって（たとえば、物理的に別個のgNB内に）固定された場合、L3モビリティ管理に関連付けられ得る。そうでなければケース3は、L2ビーム管理に関連付けられる。たとえば、ケース3は、TRP420に固定された狭帯域幅ビームからセル410に固定された全方向ビームへのフォールバックを表すことができる。同様に、ケース2は、L1のみ、またはL1およびL2の両方を伴うTRP内ビーム管理のケースと見なされることが可能である。ケース4は466において、UEがTRP420のビーム427からTRP422のビーム430に切り替える、セル内TRP間ビーム切り替えを示す。ケース5は、TRP422のビーム433からTRP440の全方向ビームへのビーム切り替えを示し、ここでセル410および415の両方が、gNB／CU／DUなどの単一のネットワーク装置に実装されている  ケース6は470において、TRP440および450の全方向ビームの間での切り替えを示す。ケース7は、セル410からセル415へのハンドオーバを示す。図5に示されるシステム500は、566、568、および570で示されるのと類似のケースを含む。図4に示されるケースは、図5および図7を参照して、以下により詳細に説明される。
【００３９】
たとえばCA（carrier aggregation、キャリアアグリゲーション）ベースのマルチ接続では、どのキャリアがどのTRPから発生するかに依存する。たとえば、両方のキャリアが1つのTRPから発生するとき、MMはビーム管理のみによって操作されてもよい。しかしながら、二次コンポーネントキャリア（CC）が別のTRPまたはセルから発生するとき、L2（異なるTRP）またはL3（異なるセル）モビリティが考慮され得る。
【００４０】
図3A、図3B、および図3Cは、図10に示されるシステム1000のようなシステム内で使用するためのマルチビーム無線リソース管理（RRM）用の共通フレームワークの例である。図3A、図3B、および図3Cに示される例示的実施形態は、様々なビーム形成ビームを使用するネットワークにおいてハイブリッドモビリティを実施する。共通フレームワークは、ユーザ機器（UE）および／またはTRPを介して、単一のビーム対または複数の整列ビーム対にわたるモビリティ管理（MM）のためにDLおよびUL両方の基準信号を測定する、分離可能なビーム管理（BM）プロセスを含み得る。装置（たとえばUEおよび／またはTRP）は、基準信号を測定し、次いで他の装置（たとえばTRPおよび／またはUE）に測定値を報告する。
【００４１】
一般に、同じかまたは異なるセル内のUEとTRPとの間の複数のビーム対が測定され、結果が組み合わせられてもよい。層2（L2）および層3（L3）のRRM測定基準およびフィルタ機能が定義され、シナリオ固有の設定のために報告トリガがチェックされる。TRP間またはセル／gNB間（次世代ノードB、5G、または他のシステム内の任意の等価ノード）のハイブリッド。本明細書に記載されるMMシナリオは、適応的かつ構成可能に操作される。新しい構成フローおよび制御メッセージは、無線を介してまたはネットワーク内で送信され得る。
【００４２】
以下に説明される例では、ビーム管理（BM）機能は、NRセルの定義内のビーム形成プロセスの一部として実行される。BMは、セル内のUEとTRPとの間のセル内ビーム切り替えを実施するために使用される。セル間ビーム切り替えおよび／またはセル内および／またはセル間サービスノード切り替えをもたらすより高レベル（たとえばL2またはL3）のモビリティ管理（MM）機能は、NRセル定義に基づいてL2またはL3で無線リソース管理（RRM）機能を実行すること、最良の安定したビーム対またはセルレベルチャネル品質を得るためにビーム（対）結合（たとえば集約／選択）を実行することを伴い、これはマルチビーム（対）測定、またはBMモジュールがUEと1つまたは複数のTRPとの間の安定した整列ビーム対を識別した後のセル固有測定を伴う。以下に説明される例では、BMおよびMM機能は互いに論理的に分離可能であり、論理RRM機能はBMとMMとの間に分散している。
【００４３】
以下の例の各々は、以下の特徴を有し得る、マルチビームRRMおよびハイブリッドモビリティのためのフレームワークを含む。UEおよびTRPの各々は、TRPとUEとの間の単一または複数の整列ビーム対を介して、MMのために互いの他方のTRPおよびUEからの基準信号（RS）を測定する。これらの測定値は、分離可能なBMプロセスで報告される。同じセル内または異なるセル内のUEとTRPとの間の複数のビーム対が測定され、MM目的のためのセルレベルまたはTRPレベルのRRM測定値を得るために、L2（同じセル）および／またはL3（異なるセル）で結果が組み合わせられる。フレームワークの特定の実施は、L2およびL3 RRM測定基準、結合方法（たとえばマルチビーム集約、選択、およびフィルタリング）、および報告トリガを定義する。
【００４４】
TRP間またはセル／gNB間のハイブリッドであるMMシナリオと共にフレームワークが使用されるとき、以下のMMシナリオは適応的に操作され、フレームワークは、以下を含む構成プロトコルフローを使用して構成される：ハイブリッドUL／DLモビリティ、純粋にDLまたはULモビリティ；セルあたり1つまたは複数のTRP、gNBあたり1つまたは複数のセルなど；LFおよび／またはHF、シングルキャリアまたはマルチキャリア、もしくはシングルバンドまたはマルチバンド；DCまたはCAによるシングル接続またはマルチ接続；BMおよびMMの、およびそこでの明確な分離があるまたはない、異なるネットワークノードにおけるL2のみ、L3のみ、またはL2およびL3両方のフィルタリングエンティティ；具体的なL3および／またはL2（フィルタリング）機能、ならびにネットワークノードを有するL2およびL3エンティティの位置、もしくはこれらのハイブリッド結合のいずれか；任意の直交的に定義されたL2／L3シグナリング（たとえば、LFアンカーノードからのデュアルコネクティビティRRCシグナリングによる、またはMAC層制御要（CE）、MAC層アップリンク制御情報（UCI）、MACダウンリンク制御情報（DCI）などによる）；および／または加重関数または任意の列挙された構成可能関数および／または連結サブモジュールによる上記の任意の組み合わせ。
【００４５】
例示的フレームワーク300、350、および370（図3A、図3B、および図3Cに示される）におけるL2の概念に関する様々な実施形態では、異なる仮定は定義に影響を及ぼす可能性があるが、フレームワークの一般性には影響しない。マルチビームハイブリッドモビリティ動作のためのモビリティ管理（MM）対ビーム管理（BM）では、ビームレベルBMプロセス（たとえば、UEと同じTRPとの間のビームアライメント、ビーム対選択、ビーム切り替え、およびビーム追跡）は、TRPまたはセルレベルでMMに関連付けられるかまたはMMから独立することができる。なお、L2 BMは、RRCの関与のないMMと見なされてもよいことに留意されたい。これらの実施形態では、L2 BMはL2 MMとしても知られている。彼の種類のビーム切り替えのMMは、あまり厳密ではなく同期したノード（TRP／セル／DU／CU／gNB）の変更によって特徴付けられてもよい。BMのためのRRMは、RRMプロセスによって、使用したRS（たとえば、CSR0RSを含むxSS／xRS、復調RSまたはDMRS、SSブロック、PSS／SSS）によって、ならびに測定、フィルタリング、および報告基準などによって、MMのためのRRMから分離可能であると想定される。図3Cの実施形態によって示されるように、BMおよびMM RRMプロセス（374から376／378、または374から380および382／384）における違いは構成可能であり得、プロセス374、376、380、および382の各々は、選択的に無効化され（たとえばオンまたはオフになる）、もしくはモビリティイベントに応じて独立してまたは同時に他のプロセスと適応的に統合されることが可能である。一実施形態では、L1プロセス372によって提供されたデータがモビリティイベントはTRP内ビーム切り替えであることを示すとき、L1プロセス372はL2およびL3プロセス374、376、380、および382を無効化し得る。同様に、モビリティイベントがgNB／CU間ハンドオーバであるとき、L1プロセス372および／またはL3プロセス380および382はL2プロセス376を選択的に無効化し得る。あるいは、フレームワーク350は、特定のモビリティイベントに応答して上述のようにL2および／またはL3プロセスを選択的に無効化する制御プロセッサによって制御されてもよい。
【００４６】
しかしながら、測定プロセス、フィルタリング、および報告プロセスは、図3Aに示される同じ均一なRRMフレームワークならびに図3Bおよび図3Cに示されるその派生的な実施形態において、可能な限り2つの間で共有され得る。以下に説明される例は、無線アクセスネットワーク（RAN）構造および展開シナリオの特定の実施形態を用いてセルおよびL2 MMおよびBMを定義する。これらのシナリオは非限定的であり、フレームワークの例300、350、および370において他のシナリオが実施されてもよい。
【００４７】
図3A、図3B、および図3Cに示されるフレームワークの例300、350、および370は、各々複数のブロックを含む。これらのブロックは、プログラムされたプロセッサ、特殊用途のプロセッサ（たとえば特定用途向け集積回路（ASIC）、フィールドプログラマブルゲートアレイ（FPGA）、プログラマブルロジックアレイ（PLA）など）として、および／または単一のプロセッサまたはプロセッサのグループ（たとえばマルチコアプロセッサ）上で動作するプログラムモジュールとして実装される処理要素を表す。例示的なプロセッサは、図12を参照して以下に説明される。
【００４８】
「セル」の概念は、5Gではまだ完全には定義されていない。「セル」は、対応する「L2」の定義の実施形態につながる1つ以上の実施形態について、以下のように定義される。セルの例示的な定義は、各セルが一意の「セル」IDおよび1つまたは複数の同期したTRPを有する、gNB、CU、および／またはDUベースの定義を想定する。1つのgNBまたはCUは1つまたは複数のDUを操作でき、各DUは別個のセルに対応し得る。定義はまた、RRCがL3「セル」レベルにある、すなわちgNB／CUに固定されていることも想定している。以下の資料では、gNBへの言及はCUも指すことがある。さらに、定義は、1つのセル内または異なるセル内の単一のUEと異なるTRPとの間のビーム対が、何らかの物理ID、RS定義によって、またはこれらの構成などによって区別可能であることを想定している。この事例では、セル内TRP間またはCU内DU間／TRP間「ビーム切り替え」は、L1 BMのみではなく、DU／TRP間コンテキストまたはデータ転送を伴うL2 TRPレベルのMM挙動と見なされる。異なる実施形態または仮定にかかわらず、本明細書で使用されるとき、L2は無線リソース制御（RRC）を伴わない。本明細書で使用されるとき、L3はRRCを伴う。
【００４９】
一般に、MMのためのRRMは、gNB内およびセル間切り替えではL2（たとえばgNBが複数のセルを含むとき）、またはgNB間ノード切り替えではL3であってもよい。以下に説明される実施形態では、TRPは1つのセル内で区別不可能である。この例では、TRPは（たとえば、協調マルチポイントTx／Rxを使用して）単一の仮想TRPに効果的に組み込まれるので、L2セル内TRP間切り替え（すなわちL2 MM）は純粋にL1 BMに後退する。以下の実施形態は、ビーム結合（たとえば、集約／選択、フィルタリング）のための新しいL2モジュール（図3Aの330、335、340、図3Bの354、図3Cの374）に示されるように、L2で操作されるBMに関し、ネットワーク側ノード間コンテキストまたはデータ転送を伴うMM（L2またはL3 MM）の一部、もしくはこのようなコンテキストまたはデータ転送のない純粋なL2 BMと見なされることが可能である。
【００５０】
したがって、L2 MM手順は、セルおよびTRPが特定のRANアーキテクチャ内でどのように実装されるかに応じて、セル内TRP間またはセル間となり得る。L2 MM手順はまた、RAN内で使用されるTRP固有またはセル固有の基準信号にも依存し得る。異なる実施形態では、L2 RRMはMAC層またはMAC／RLC／PDCP層にあってもよく、もしくは消失するかまたは純粋なL1またはPHY層に後退してもよい。
【００５１】
簡潔にするために、以下に提供される例の説明は頭字語を使用する。表1は、これらの頭字語の意味を示す。
【００５２】
【表１Ａ】
2020505821.tif 000020
【表１Ｂ】
2020505821.tif 000021
【００５３】
図1は、100におけるL3 RRC構成およびL3 RRC測定報告を有する全方向（すなわちビーム形成なし）LTE RRMモデルを示すブロック図である。モデル100は、L1フィルタ要素110、L3フィルタ要素115、および報告基準の評価要素120を含む。L3フィルタ要素115および報告基準要素120は、リソースを管理するために、各それぞれの層（たとえばL1および／またはL3）でネットワークからのDL基準信号を操作（受信、測定、および報告）するためのネットワーク構成パラメータを利用する。
【００５４】
以下の例は、いくつかの異なる種類の基準信号を使用する。3GPP規格は、セル固有RS（CRS）、マルチキャスト放送単一周波数ネットワークRS（MBSFN RS）、UE固有復調RS（DMRS）、UE固有RS、位置決めRS、チャネル状態情報（CSI）RSなどを含むいくつかの物理層基準信号を記載しており、これらはまとめてxRSと称される。例示的な基準信号はまた、一次同期信号（PSS）、二次同期信号（SSS）、拡張同期信号（ESS）、SSブロック、SSバースト、SSバーストセットなども含み、これらはまとめてxSSと称される。さらなるL1基準信号は、物理放送チャネル（xPBCH）、ビーム基準信号（BRS）、ビーム調整基準信号（BRRS）などを含んでもよい。このリストは網羅的であるように意図されない。3GPP規格または新興5G規格の下で知られる他の基準信号もまた使用され得る。
【００５５】
NRでは、RRMは、LFおよびHFの両方またはこれらのハイブリッド、および／またはULおよびDL両方のモビリティまたはハイブリッドについて、1つ以上のビーム形成リンクのL1−L3特性を考慮に入れるべきである。RRMは、ビーム固有の無線品質に基づいてTRPレベルまたはセルレベルの無線品質を提供するために、各ビーム内の基準信号を分析する。RRMは、TRP内ビーム切り替え、TRP間ビーム切り替え、gNB内および／またはgNB間ハンドオーバをトリガするために、フィルタリングモデル、測定構成と共にこの情報を使用する。
【００５６】
上述のように、「セル」の概念は、新興5G NR RANではまだ定義されていない。したがって、5Gセルは、中央ユニット（CU）および1つまたは複数の分散ユニット（DU）を有するように論理的に分割され得るgNB内の1つまたは複数のTRPを含んでもよく、これらの各々がgNB内のTRPのうちの1つ以上を制御する。さらに、5Gで発展しているCN（コアネットワーク）があると、少なくともセル間／gNB間（RRCの関与を伴う）、セル内TRP間（RRCの関与なし）、およびまだ定義されていないセル間gNB間（RRCありまたはなし）などを含む多くの異なるモビリティシナリオが存在する。これらのモビリティシナリオの各々は、スタンドアロンNR（LTEに関する）、非スタンドアロン（NSA）NR、スタンドアロンHF UDN（超高密度ネットワーク）、および／またはLF支援HFなどのシナリオ依存ネットワーク展開に適用できる。要するに、新しいRRMおよびモビリティ方式は、（基礎となる）ビーム管理、新しいRAN／CNアーキテクチャ、および具体的な展開シナリオに適合または適応する。
【００５７】
NRモビリティシナリオ内のL1におけるビーム形成チャネル（CH）および基準信号（RS）の使用、ならびに図2に示されるシステム200に示されるような層2（L2）モビリティ（支援TRPのグループを有する単一のgNBカバレッジによって具現化されるように、セル内）、ULモビリティ、デュアルコネクティビティ／キャリアアグリゲーション（DC／CA）などによるNR HFおよびLFマルチ接続の必要性のため、例示的フレームワークは、RRMを操作するように、ならびにハイブリッド（たとえば、UL＋DL、HF＋LF、L2＋L3）モビリティのために、設計される。ここでのL2は、大まかにはメディアアクセス制御（MAC）に関するが、これに限定されない。
【００５８】
図2に示されるNRシナリオ200は、示される斜視図において楕円（上面図では円）として示されるカバレッジエリアを有するHF TRPとして示される複数のTRP215と通信しているgNB210を含む。UEは、220および225によって示されるように、ある場所から別の場所に移動する。HFビームもまた、UEおよびTRPからのHFビームと整列して示されている。たとえば、220におけるUEからのTxまたはRxビーム230は、TRP240からの対応するRxまたはTxビーム235と同じ方向に（たとえばほぼ同じビーム軸に沿って）配向されている。ビーム230および235は、整列ビームまたは整列ビーム対と称される。整列ビームの他のいくつかの事例もまた、図2に示されている。なお、この例では、220におけるUEは、可能であれば同時に、3つの異なるTRPを用いて、5G NRのいわゆる「複数接続またはマルチ接続」シナリオを反映する、3つの整列ビームを有することに留意されたい。一実施形態の225におけるUEは、矢印245で表されるように、220におけるUEの異なる位置へのシフトとして示されている。図示されるように、このシフトは、同じ（たとえばビーム切り替え）または異なる（たとえばモビリティ発生）TRPを有する、異なるセットの整列ビームをもたらす。
【００５９】
LTEにおける現在の比較的高いオーバヘッド（サブフレームあたり）セル固有RS（CRS）は、より低いオーバヘッドのRSに置き換えられ得ると考えられる。進行中の5G開発は、RANまたはCNでのシグナリングを含む、新しいNR RSアーキテクチャをもたらすだろう。同じUEだが異なるサービングTRP、セル、またはgNB／DU／CUを有するNRのTRPレベルモビリティまたはセルレベルモビリティのためのRRMアーキテクチャは、複数のビーム形成セル向けのRRMおよびモビリティを効率的に操作するために、新しいLTEベースのフレームワークを使用する。
【００６０】
様々な実施形態では、5G NRビーム形成は、RRMおよびモビリティがまだ明確に定義されていない、新しいモビリティシナリオをもたらす。実施形態は、CA（シングルキャリアまたは複数キャリア）またはDCによって集約された共存LFおよびHF、動的設定またはモビリティ修正中に関与する複数のTRPまたは複数のセルとの同じUEのマルチ接続、新興ULモビリティ、ならびにハイブリッドULおよびDLモビリティなどを利用する。
【００６１】
各「セル」または各TRPは、図2に示されるように、その滞留時間（TOS）の間、UEに対する複数の（サービスまたは実現可能な）ビーム対を有してもよい。UEにとって、セルまたはTRPの全体的なチャネル品質は、既存のLTE実装のように単一の全方向無線リンクではなく、複数のTx−Rxビーム対に依存することが多い。
【００６２】
例示的フレームワークを実施するために、一方向LTEモデルと類似のモデルをサンプリングするL1マルチビーム基準信号を利用して、L2−L3 RRM測定トリガ、メトリック、構成、測定モデル、および報告プロセスが再定義されてもよい。ビーム管理とモビリティとを一緒に混合することは、高モビリティHOF／ピンポンおよびシグナリングオーバヘッドを含む性能上の不利益をもたらし得ることに留意されたい。
【００６３】
例示的フレームワークは、各レベル（L1−L3）について論理的に別個の機能を定義する。これらの機能は、図3Aの300でブロックフロー図に示されるように、全方向LTEモデルに対する拡張として、マルチビームNR RRMおよびハイブリッドモビリティのために共通フレームワークを利用して、論理的に分離されている。アップリンクおよびダウンリンクRRMおよびモビリティ処理は、各々が複数のビーム対を操作する、2つの経路310および315にそれぞれ分割される。アップリンクブロック310は、UEから送信される基準信号に基づいて、ネットワーク側でL1 RSサンプリングを実行する。ダウンリンクブロック315は、ネットワークから送信された基準信号のためにUE側でL1 RSサンプリングを実行する。両方の経路は、通常のBM動作（決定、アライメント、調整、回復、およびビーム切り替えなどを含む）、ならびにセル内またはTRP内L1／L2 RRMのための新しい（L2 RRM）フィルタリングモジュールを使用するL1／L2ビーム管理ブロック330による使用のために測定結果を提供するため、325および326において全てのビーム対にビーム毎のL1フィルタリングを提供する。
【００６４】
本明細書で使用されるとき、用語「フィルタリング」は、それによって複数の接続のチャネル品質が閾値または互いに対して比較され、および／または要約または平均化される、分析および選択プロセスを示す。フィルタリングの結果は、使用に適しているであろう1つ以上の接続を示すモビリティ報告である。選択されたビームおよび／または品質測定値は、ビームまたはビーム対が切り替えまたはハンドオーバを実施するように構成されているネットワーク側に、報告において送信される。報告は、接続選択プロセスを完了するために、他の装置に提供されてもよい。たとえば、UEによって生成された報告がTRPに送信されてもよく、その逆でもよい。
【００６５】
モビリティ管理およびRRM機能は、ビーム管理向けのものとは論理的に分離され得る。ブロック335、337、および338では、L2／L3機能は、セル内TRP間ビーム切り替え、セル間gNB間ハンドオーバ、および／またはgNB間ハンドオーバに適応し得る、UL RRM／モビリティ関連L2／L3構成パラメータによって制御されてもよい。図3Aに示されるフレームワークでは、ブロック335は、マルチビームL2フィルタリング335（個々のビーム対に対するチャネル品質のフィルタリング、またはより一般的には、MM目的のために最良の使用可能なビームを見出すためのマルチビーム集約／選択を含む、マルチビーム結合のためのマルチビーム「フィルタリング」動作）を実行する。ブロック337はマルチビームL3フィルタリングを実行し、ブロック338は評価およびネットワーク側L2／L3報告生成を実行する。
【００６６】
DL L2／L3モビリティ管理およびRRMは、ブロック340、342、および344を使用して実施される。ブロック340は、ブロック335と類似の機能を有する、マルチビームL2フィルタリングを実施し、ブロック343はマルチビームL3フィルタリングを実施し、ブロック344は、L2／L3データの評価および報告生成を実施する。ブロック340、342、および344は、セル内TRP間ビーム切り替え、セル間gNB内ハンドオーバ、および／またはgNB間ハンドオーバのケースに適応可能である。
【００６７】
ブロック335および340で実行されるL2フィルタリングは、L2マルチビームおよびモビリティ管理に対処する。フレームワークアーキテクチャは、L2／L3モビリティ管理（MM）のためにTRPレベルまたはセルレベルRRMから、ビームレベルRRM L1／L2ビーム管理（BM）を論理的に分離する。L2フィルタリングは、RRCの関与を伴わずに、しかし可能であればRRC構成を使用して、TRP／セル／gNBの変更を操作する。
【００６８】
一実施形態では、ブロック335および340によって実行されるフィルタリングは、整列ビーム対のみを考慮している。「セル」が1つのTRPを有する場合、これらのブロックは、選択的に無効化される可能性があり、またはこれらはそれぞれのセルレベルL3フィルタリング337および342と適応的に統合されてもよい。図3Aのプロセスの無効化および／または統合は、図3Cを参照して上述したのと同じ方法で行われてもよい。セルがUEによって区別不可能な複数のTRPを有する場合、たとえば、ブロック335および340は、ブロック330でのBMのL2フィルタリングと統合されてもよい。他の実施形態では、L2フィルタリング機能はL3フィルタリング機能と統合されてもよい（たとえば、ブロック335とブロック337、ブロック340とブロック342、ブロック330とブロック335およびブロック337、またはブロック330とブロック340およびブロック342）。L2（およびL3）フィルタリング基準は、従来のL1またはL3フィルタリングと類似であってもよい。あるいは、複数のビーム対およびハイブリッド（たとえばULまたはDL）メトリックの新しい機能が定義されてもよい。BMは、全方向LTE MMモジュールの場合と同じかまたは異なる（RS）入力、L2フィルタリング機能、ならびに測定報告および評価基準を有することができる。異なる実施形態では、BM用およびMM用のL2 RRMは、相間、連結（図3Aに示されるように）、または独立、分離、または並列であってもよい。
【００６９】
図3Bは、別の例示的フレームワーク350のブロック図である。この実施形態では、全ての検出可能なビーム対の各ビーム対は専用のL1フィルタ352を有するが、L3フィルタリング356は、L2結合処理354の後に結合された単一または複数のビームに適用される。処理354は、L1フィルタリング352の後だがL3フィルタリング356の前に実行される。結合処理354は、L1フィルタリング352によって提供されたビーム対の少なくともビーム集約／選択を実行する。図3Bに示されるように、この選択肢では、各ビーム（対）の層1フィルタ352の結果は、ビームレベルの測定結果を得るために結合処理354に入力される。結合の後、1つの集約ビームまたはセル品質結果が、L3フィルタ356に入力される。例示的な結合処理354は、たとえばビーム切り替えおよびビーム追跡など、L1／L2ビーム管理の一部であり得るが、これはまた、たとえばRRM目的のためのマルチビーム集約および選択などのビーム結合のような、新たに追加された動作を実行してもよい。L1フィルタ352、L2結合モジュール354、および／またはL3フィルタ356によって生成されたデータは、モビリティ報告を提供するために報告ジェネレータ358によって処理される。
【００７０】
あるいは、DLまたはULベースのRRM測定のために機能する、図3Bに示される例示的フレームワークにおいて。各ビーム対は、専用のL1フィルタを有する。しかしながら、L3フィルタリングは、L1フィルタリングの前だがL3フィルタリングの前に構成され、ビーム集約／選択を少なくとも実行する新しい（L2）結合モジュールの後に、結合ビームに適用される。L2結合処理354は、N個の（最良の）ビーム対のみを処理し得る（たとえば、処理354は、最も高いRSRP／RSRQを有するN個のビームを整列、切り替え、および追跡し、1つの仮想ビームをL3フィルタ356に提供する代わりにこれらN個のビームに関する情報を提供してもよい）。フレームワーク350のこの構成は、たとえば高周波システムにおいて有利であり得る。これらのシステムでは、TRPとUEとの間の経路内で1つ以上の障害物によって断続的に発生し得るビーム遮断のため、チャネル変動が比較的大きく、個々のビームはUEによって一貫して検出されないことがある。これらの状況では、L3フィルタリング356は、遮断されたビームによって引き起こされる断続的なL1フィルタリング結果のため、うまく機能しない可能性がある。加えて、検出およびL1フィルタリングされたビーム対は過渡的CHダイナミクスのため振動する可能性があり、これは、個別にフィルタリングされたビームまたはビーム対がモビリティ決定のために直接使用された場合に、ビーム間でピンポンを引き起こす可能性がある。図3Bに示されるフレームワークは、UE装置内、またはTRP、eNB、gNB／CUなどのネットワークノード装置内に実装されてもよい。
【００７１】
図3Cは、各ビーム対が専用のL1フィルタを有する、DLまたはULベースのRRM測定のためのさらに別の例示的フレームワーク370のブロック図である。L1フィルタリングの後、新しい（L2）結合モジュールは、たとえばRRCの関与を伴わずにモビリティ（報告）のために独立して、または他のモビリティシナリオのためのL3フィルタリングを伴ってコヒーレントに、ビームを集約／選択／フィルタリングするために適用され得る。このフレームワークでは、たとえばDL RRMを使用して、各ビーム対は専用のL1フィルタ372を有する。ビーム毎のL1フィルタリングの後、ブロック374においてL2結合処理が適用されてもよい。ブロック374によって適用された結合処理は、ターゲットモビリティがgNB／CU内であるかgNB／CU間であるかに依存する。gNB／CU内モビリティでは、ブロック374は、L1フィルタ372によって出力されたビームを集約、選択、および／またはフィルタリングしてもよい。ブロック374によって実行されるフィルタリングは、RRCの関与を伴わないモビリティ報告ジェネレータ378のために、独立して機能することができる。L2処理374はまた、ブロック380および382を参照して以下に説明されるL3フィルタリングおよび報告生成とコヒーレントに動作してもよい。図3Cに示されるフレームワークは、UE装置内、またはTRP、eNB、gNB／CUなどのネットワークノード装置内に実装されてもよい。
【００７２】
上述のように、図3Cに示されるRRMフレームワークは構成可能な入力信号、測定パラメータ、測定プロセス、および測定報告形式を有するので、UE側の測定プロセスは、対応する入力基準信号（たとえばxRS／xSS）を有するBMまたはMMのために使用されてもよい。いくつかの実施形態では、このモデルは、ハンドオーバ／ビーム切り替えの安定性を向上させるために、広く採用されているLTE RRMモデルを強化することができる。
【００７３】
図3Aから図3Cのフレームワークを用いて、少なくとも以下の特徴の新しい均一なRRMモジュールを得る。
新しい（L2）RRMモジュールは、RRCの関与を伴わずにモビリティ（測定および報告）のために独立して、または他のモビリティシナリオのためのL3フィルタリングを伴ってコヒーレントに、ビームを結合するためにL1フィルタリングとL3フィルタリングとの間に採用される。
（L2）RRMビーム結合モジュールは、ビーム集約／選択のみならず、少なくともRRCの関与を伴わないモビリティのためのビーム測定の（L2）フィルタリングのための機能性も含む。
RRCの関与がないかまたはある異なるモビリティシナリオでは、構成可能なxRS／xSS入力、フィルタリングパラメータ、および報告プロセスと共に、均一なRRMモデルが採用され得る。
【００７４】
図3Cに示される例示的フレームワーク370は、UEにおいて複数のビームを受信し得る。L1フィルタ372への入力は、複数のTx／Rxビーム対のxRS／xSS測定値（サンプル）であり得る。展開シナリオ、UE状態、および対応する構成に基づいて、L2処理ブロック374は、L2のより高レベルの機能を実装することができる（たとえばgNB内ビーム切り替え／モビリティのためのビーム対の評価）。ブロック380は、L3の低レベル機能（たとえばフィルタリング）を実装することができる。ブロック374およびブロック380は両方とも、入力データとしてL1フィルタ372の出力データを有する。例示的フレームワークは、RRCの関与を伴わずにgNB内モビリティを実装するための機構を提供する。ブロック374は、RRC処理よりも高速であり得るL2フィルタリングおよび報告を使用する。RAN2協定に述べられているように、具体的なBM動作（ビーム切り替えなど）はこのモデルではRRMに対して透過的であるが、これらは、たとえばブロック374によって実行される（L2）マルチビームフィルタリングおよび結合（統合／選択）など、この新しいモジュールの新しいRRM機能の基礎である。
【００７５】
例示的フレームワーク370はまた、L3フィルタリングを実行し、RRCの関与を伴わずにgNB間モビリティを実装するための報告を生成する。図3Cに示されるフレームワークでは、ブロック380はL3フィルタリングを実行し、ブロック382は、報告384のためのデータを生成するために、フィルタリングされたビームおよびL3報告基準を評価する。したがって、図3Cに示されるRRMモデルフレームワークの下部は、gNB間ハンドオフに適用され得る。
【００７６】
L2結合モジュール374は、通常のBM挙動（たとえば、ビームアライメント、ビーム切り替え、およびビーム回復など）を超えてモビリティ目的のため安定したセルレベル品質を得るために、マルチビーム結合（たとえば、ビーム統合／選択）の一般的に使用される平均化／フィルタリングに後退するか、またはマルチビーム結合を実施してもよい。報告ジェネレータ378によって提供されるL2報告および／または報告ジェネレータ384によって提供されるL3報告は、ネットワーク側へのDL RRM報告を生成するために、相応に使用されることが可能である。
【００７７】
図3Cのインターフェース「B」から「D」、「E」、「F」までのデータパスの数の減少は、ビームまたはビーム対をフィルタリングした結果である。このフィルタリングは、ビーム切り替えまたはハンドオーバのために「N」個の最良のビームを識別および選択するなどの結合機能を含んでもよく、もしくは合計または時間平均などによって全ての認識されたビームからセルレベル品質を得ることを含んでもよい。選択されたビームおよび／または品質測定値は、ビームまたはビーム対が切り替えまたはハンドオーバを実施するように構成されているネットワーク側に、報告において送信される。
【００７８】
一構成では、図3Cの点「D」において、セルレベル品質に基づいて使用すべきN個の最良のビームを表す、L3フィルタ308へのN個の入力データパスがあってもよい。
【００７９】
一構成では、図3Cの点「E」におけるビームまたはビーム対の各々は、得られたセルレベル品質のための事前構成された数のビームに対応する。あるいは、点「E」におけるビームまたはビーム対は、特定の相対的または絶対的閾値より上のフィルタリングされたビームを表し得る。いずれの場合も、点「E」におけるビームは、ネットワーク側に報告すべきビームである。図示されないものの、点「E」におけるインターフェースは、全方向LTE向けに定義されたCおよびC’イベントのような異なる入力イベントに適合することができる。
【００８０】
図3Aから図3Cに示されるフレームワークの異なる実施形態では、L2結合／統合／選択処理354および／または374へのMM基準信号入力は、上述の、L1フィルタリングブロック352および372によって使用されるのと同じ基準信号である。あるいは、L2処理は、全方向LTE MMに使用される基準信号と同じようにまたは異なるように定義された基準信号を使用してもよく、および／または全方向LTE MMに使用されるフィルタリングとは異なるL1フィルタリングを使用してもよい。一実施形態では、新しいマルチビーム（L3／L2）RRMモデルおよびNR TRP／セルレベルモビリティ用のハイブリッドモビリティフレームワークの例300、350、および370は、NRセル構造、層分離BMおよびMM、共存ULおよび／またはDLモビリティ、シングル接続、およびマルチ接続の異なるシナリオに適応する。ハイブリッドモビリティモジュール339およびそのRRM機能は、ハンドオーバまたはTRP選択の目的のため、（報告されたDLおよび収集されたUL）測定値を組み合わせてもよい。例示的フレームワーク350の報告ジェネレータ358からの報告、または例示的フレームワーク370の報告ジェネレータ378および384からの報告を受信するために、ブロック339と類似のブロックが結合されてもよい。図3Bおよび図3Cに示される例示的実施形態のためにブロック339、または類似のブロックに提供された報告は、たとえばPUCCHまたはPUSCHを使用して、ネットワーク側に配置された1つ以上のハイブリッド決定ユニット（たとえばTRP／gNB／CU）に送信されてもよい。ハイブリッド決定ユニットは、均一なセル品質を得るため、対応する層でモビリティアクションをトリガするために、L1、L2、および／またはL3処理要素から報告されたデータを処理する。
【００８１】
いくつかの実施形態では、MMから独立してBMを操作することで、選択的に無効化され得る新たに定義されたL2フィルタの使用を可能にできる。RRMは（L2／L3）セル内TRP選択またはセル間ハンドオーバのために使用されてもよく、ビームレベルまたはサブセルレベルまたはTRP内（L1／L2）ビーム管理のために使用されるRRMから論理的に分離することができる。この分離は、タイムスケール、ビームアライメント状態、ビーム形勢RRM測定信号、ビームメトリック、ビーム構成、および使用フローの違いのため、有益であり得る。たとえば、L3処理はRRCを使用するので、L1／L2処理は通常、L3処理よりも高速である。
【００８２】
様々な実施形態において、図3A、図3B、および図3Cを参照して上述されたように、マルチビームRRMモデルおよびハイブリッドモビリティフレームワークは、各UEおよび／またはTRPの複数の整列（同期および管理）ビーム対の信頼できる測定および組み合わせを提供する。しかしながら、フレームワークのこれらの例は、BMプロセス中に整列／訓練／調整されるビーム対を使用することに限定されない。フレームワークのモデルおよび例300、350、および370は、TRPまたはセルレベル品質を得るために複数の認定および整列された候補ビーム対のRRM測定に焦点を合わせ、行われているビーム切り替え／ハンドオーバの種類（たとえば、ULのみ、DLのみ、ハイブリッド；LFのみ、LFおよびHF；L2のみ、L3のみ、またはL2およびL3フィルタリングおよび報告）に応じて、ならびにビーム切り替え／ハンドオーバが行われるシステム環境（たとえば、セル内TRP間またはセル間）に応じて、特定のモジュールが選択的に無効化または統合されることを可能にする。
【００８３】
一実施形態では、RRMは、フレームワークの例300、350、および370によって使用されるL2／L3機能（たとえば、報告トリガ、フィルタリング規則、ハイブリッドメトリック、加重規則のためのマルチビーム測定）を同様に定義する、MMの測定基準を定義する。
【００８４】
TRP選択またはTRP間／セル内モビリティでは、たとえば、MMのRRM測定基準は、トリガ条件をチェックするL2機能、加重結合を生成する機能、および／またはUEと単一のTRPとの間または同じセル内の異なるTRP間の複数対のTx／Rxビームを結合する機能を含み得る。セル間またはgNB／eNB間ハンドオーバでは、フレームワークの例300、350、および370は、セル内のUEと1つまたは複数の（マルチ接続）TRPとの間のビーム切り替え／ハンドオーバの候補を識別するための、複数の整列ビーム対の類似のL2＋L3機能を含む。
【００８５】
一実施形態では、上述のフレームワークの例300、350、および370など、ハイブリッドモビリティのためのハイブリッドRRMフレームワークは、1つのネットワークノード（たとえばTRP、gNB、CU、DUなど）または異なるネットワークノードにおいて、ハイブリッドL2−L3 RRM基準およびエンティティを分散および統合する。たとえば、L1−L3 UL RRM信号測定はネットワーク側で行われてもよく、L1−L3 DL RRM信号測定はUE側で行われてもよい。フレームワークの例は、たとえばマルチ接続（CA、DCなど）、複数の周波数帯域（LFおよび／またはHF）、異なる層（L2対L3）などの、異なるモビリティシナリオをも操作する。これらのシナリオを実施するために使用される基準信号および構成パラメータは、柔軟で効率的なRRMを実装するために組み合わせられて適応される。
【００８６】
適応マルチビームRRMおよびハイブリッドモビリティのための例示的な構成可能フレームワーク300、350、および370はまた、マルチビーム形成された、ハイブリッドモビリティプロセスを可能にするL1−L3シグナリングフローを、無線を介して、またはネットワーク内で、提供してもよい。たとえば、フレームワークの例は動的にハイブリッドなモビリティシナリオに適応するために、UEの優先度の有無にかかわらず、ネットワークからL2、L3、または両方の構成パラメータを取得する。たとえば、UEは、（L2 OR L3）または（L2 AND L3）の、またはビーム、TRP、またはセルレベルフィルタリングの報告を、自動的に生成し得る。UEは、マルチビームRRMモデルで動作しながら、特定のサブモジュールをオンまたはオフにすることができる。構成可能フレームワークの例300、350、および370はまた、たとえばL2処理およびUL処理を無効化することによって、従来のシングルキャリア全方向DLモビリティ実装との前方および後方互換性を維持することもできる。フレームワークのこれらの例はまた、たとえばULおよびDL両方のモビリティ処理を可能にすることによって、将来開発されるであろうマルチビームハイブリッドモビリティ方式とも互換性がある。
【００８７】
例示的な構成可能フレームワーク300、350、および370、ならびに図10を参照して以下に説明される構成は、少なくとも以下の特徴を有する。
BMまたはMMまたは両方の目的のためのULまたはDLまたは両方の異なる測定対象（たとえば、xRS／xSS信号）の採用、ならびに測定対象、ビーム結合、フィルタリング基準、トリガ基準、報告、およびMMプロセスを含む構成可能な動作を、全てが可能にする。
均一なRRMおよびモビリティフレームワークにおけるこの柔軟な測定およびモビリティ構成可能性によって、以下が実現可能になる。gNB／TRPは、柔軟で構成可能な方法を通じて異なる目的（すなわちBM対MM）のために共通の対象（xSS／xRS）のUE側測定値を再利用することができる。
UE測定の構成は、RRCの関与を伴うMMではL3に、もしくはたとえばL2／MACまたはL1など、それ以外ではより低い層にあり得る。
同じ測定対象が与えられた場合、隣接するgNB／TRPは、RRMフィルタリング基準、制御またはデータビーム、報告トリガ、および（RX／TX）ビームパターンなどの構成を含む、これらのMM測定構成において整合および整列することができる。
BMのRRM測定報告はL1／L2にあってビームレベル品質を含むことができ、その一方でMMのためのRRM測定報告はL3（RRCの関与あり）またはL2（RRCの関与なし）にあってサービングおよび隣接セルからのセルレベルまたは結合ビーム品質のみを含むことができる。
【００８８】
なお、ハイブリッドモビリティを有するマルチビームRRMならびに分離したビーム管理およびハイブリッドモビリティを実施する、上述の構成可能フレームワークの例300、350、および370は、他の実施形態に適用可能であることに留意されたい。たとえば、フレームワークのこれらの例は、ビーム形成を採用し得る非5G／NRセルラー無線システムに、もしくは全方向Wi−Fiシステム、または4G＋5G、4G＋Wi−Fiなどのその他いずれかの組み合わせに、適用され得る。なお、類似の概念は、マルチビーム無線リンク測定（RLM）および無線リンク障害（RLF）を含むがこれらに限定されない、NRシステム設計の他の実施形態または領域にまで拡張され得ることに、留意されたい。
【００８９】
（ULまたはDL）MMおよびBMのためのRRM基準信号（RS）は、測定すべきビームで搬送され得る。例示的なRSは、ビーム固有、UE固有、TRP固有、またはセル固有であり得る。MMおよびBMのためのRRM RSは、異なる実施形態、定義、または構成などによって、同じでも異なってもよい。
【００９０】
さらに、L1 RRMメトリックのL1サンプリングまたはフィルタリングは、測定されたRS品質に基づいてもよく、ベンダー固有であってもよい。サンプリングまたはフィルタリングは、TRPレベルMM RRMまたはセルレベルMM RRMと見なされてビームレベルBM RRMを含む入力を提供する。RS設計の実施形態に応じて、RRM RSの同じかまたは異なるL1フィルタリングがMMおよびBMに使用され得る。
【００９１】
フレームワークの例300、350、および370に示される実施形態では、UL信号ベースのRRMが採用され、ここでULモビリティのために提案された（ビーム形成）UL信号がネットワークによって測定され得る。したがって、ハイブリッドULおよびDL RRM／MM処理が説明される。別の実施形態においてULモビリティが採用されない場合には、本明細書に記載されるハイブリッド実施形態は、不要な処理を選択的に無効化することによって、DL MMおよびRRMのみを適切に低減することができる。
【００９２】
フレームワークの第3の実施形態は、マルチビームハイブリッドRRM測定基準を定義および利用する。RRM測定基準は、TRP選択またはTRP間／セル内モビリティシナリオに関する以下の例による新たなハイライトと共に、（測定および報告トリガ、フィルタリング規則、測定のメトリック、マルチビームまたはUL−DL結合／比較／加重方法）を定義し、ここで新たに定義されたL2フィルタが使用される。基準は、モビリティ決定のために、報告生成、トリガチェック、または整列ビーム対と（同じセル内であってもなくても）他のTRPからのものとの比較に使用される。
【００９３】
L2フィルタリング機能は、TS38．133またはTS38．331などのNR RRMのために提案された他のL1／L3フィルタリングと類似であり得る。しかしながら、記載された実施形態では、フィルタリングは同じTRPまたはセルの整列ビーム対を有する新しいL2入力に適用され得る。L2フィルタはたとえば、そのサービス時間にわたる、またはL2においてFDM／TDM／CDMによって整列および多重化された複数のビーム対にわたる、同じビーム対のメトリック（たとえば、チャネル品質またはRSRQ／RSRQ）の平均であり得る。あるいは、これは、ビーム対の品質と閾値（たとえばdBmまたはdBでのRSRP／RSPQの絶対値、または同じセルまたは隣接するセル間の相互の相対値）との比較を含み得る。L2フィルタリング機能はまた、クロスビーム（対）結合、最大ビーム対の選択、または選択された1つまたは複数のメトリックについて最大値を有するN個のビーム対の選択を含む、ビーンペアの間の比較も含み得る。サービス準備中または既にサービス中のビーム対は、整列され／または多重化（たとえばFDM／TDM／CDM）され得る。
【００９４】
セル間またはgNB／eNB間ハンドオーバシナリオでは、L3フィルタが使用され得る。L3フィルタリングは、3GPP TS38．133、TS38．331提案などの既存のNR RMM提案と類似であり得る。しかしながら、記載された実施形態は、たとえば1つのUEから1つまたは複数のTRPへの複数の整列ビーム対（サービス準備中または既にサービス中）など、新しい入力を適用する。そしてTRPは、異なるセルまたはgNB（CU、DU）／eNBに属し得る。
【００９５】
ハイブリッドRRMシナリオでは、フレームワークの例300、350、および370は、異なるシナリオに適応可能なL2および／またはL3フィルタリングを採用し得る。本明細書で使用されるとき、特定のシナリオは、フィルタへの入力パラメータでもあり得る。たとえばシナリオがハイブリッドULおよびDLモビリティを伴い、セル内のTRPはUEからの1つ以上のUL基準信号を監視し、および／またはDL基準信号をUEに送信するとき、ハイブリッド基準は、UL／DLメトリックに従来のおよび／または新しいフィルタリング機能を採用し、次いでこれらのメトリックを動作させることができる。メトリックに対する例示的な動作は、フィルタリングされたULまたはDL RRMメトリックの選択的な使用（たとえばAND／OR論理演算による）を含む。たとえば、ULビーム切り替え／ハンドオーバは、新しいビーム対のUL RSRPが閾値よりも大きい場合に限って起こり得る。ビーム切り替え／ハンドオーバ決定はまた、たとえばDLビーム対とULビーム対の（たとえば、DLよりも加重されたULを用いた加重合計平均による）フィルタリングされたメトリックに基づいてもよく、または干渉比に対する最大チャネルの比例比較（MAX−C／I）、または最大−最小公平性基準によってもよい。フィルタリングされたRRMメトリックの使用の代わりに、またはこれに加えて、上記のいずれもがULおよびDLモビリティ決定を使用または組み合わせるために適用され得る。
【００９６】
DLモビリティ／RRMのための単一のビーム対および複数のビーム対のメトリックの従来基準およびL1／L3フィルタの例は、以下を含む。
（a）AND、OR、最大、最大−N｛｝などの論理演算を含む選択的なもの、
（b）時間履歴における（整列または非整列）ビーム対の平均、
（c）互いに対する相対比較、
（d）たとえばS2M A2またはM2S A4など、アルファベースのLTE従来L3フィルタリングおよびHetNetトリガと類似の、特定の期間にわたる閾値に対する絶対比較（たとえば、LTE TTTまたはT＿再選択）、
（e）従来セル／gNBレベルの測定または報告トリガ、ただし同じセル内のUEおよび全てのTRPを用いて検出されるかまたはサービスしている全てのビーム対にわたって適用される、および／または
（f）従来測定または報告機構、ただしTRPレベルで（すなわち、同じTRPを用いて検出されるかまたはサービスしている全てのビーム対にわたって）適用される。
【００９７】
ハイブリッドUL／DLと同様に、類似のL2／L3ハイブリッド基準が他のシナリオに適用されてもよい（たとえば、選択的または加重公平性）。たとえば、
（a）CA（キャリア）またはDC（LFおよびHF）によって統合された異なる周波数からのメトリックを有するマルチ接続モビリティ／RRM、
（b）セルあたり単一のTRP、またはセルあたり複数のTRP、または異なるセル／gNBからの複数の整列ビーム対、
（c）L2およびL3からの直列連結または並列結合、および／または
（d）同じRAT内または異なるRAT間のアグリゲーション。
【００９８】
上述のように、L2および／またはL3フィルタリングは、非ハイブリッドまたはハイブリッドRRMのための新しい基準（たとえば、上述の加重結合関数）を適用し得る。これらの基準は、式（1）によって説明されるようなTRPレベルまたはセルレベル品質関数を使用するL2および／またはL3フィルタを含み得る。
Func（t）＝Func＿｛i，j｝［ビーム対メトリック＿｛i，j｝（t）｜｛i，j｝（t）いくつかの入力基準を満たす］．．．（1）
ここでi（t）およびj（t）は、UEと可能であれば1つのTRP（L2）もしくは同じまたは異なるセル／gNBを有する異なるTRP（L3）との間の時間tにおけるBMフィルタリングによって整列／選択される候補またはサービングRx−Txビーム対のインデックスである。関数およびフィルタの異なる実施形態は、同じフレームワーク内で以下に存在し得る。
【００９９】
例示的なL2フィルタへの入力は、式（2）によって与えられ得る。
L2＿フィルタ入力｛i，j｝（t）＝arg＿｛i，j｝BM＿出力［｛i，j｝（t）］．．．（2）
ここでBM＿出力［］は、経時的な｛i，j｝対がビームレベルBM基準によって選択されるように、たとえばUE側ビーム識別子iおよびTRP側ビーム識別子jの組み合わせが時間tにおける整列ビーム対を定義し、特定の閾値よりも大きいチャネルメトリック（たとえば、RSRP、RSPQ）を有するように、BMレベルRRM関数を含む。
【０１００】
L3フィルタへの入力は、式（3）または（4）のいずれかによって与えられ得る。
L3フィルタ入力｛i，j｝（t）＝arg＿｛i，j｝BM＿出力［｛i，j｝（t）］．．．（3）
L3フィルタ入力｛i，j｝（t）＝arg＿｛i，j｝L2＿フィルタリング［｛i，j｝（t）］．．．（4）
【０１０１】
以下は、式（1）で使用され得るFunc＿｛i，j｝［］の例である。
Func＿｛i，j｝［］＝ビーム対メトリック＿｛i，j｝（t），｜｛i，j｝．．．（5）
これは（L2またはL3）RSの直接測定を意味する。
Func＿｛i，j｝［］＝従来基準関数のいずれか、たとえばmax＿｛i，j｝またはmax＿N＿｛i，j｝、またはビーム対メトリック＿｛i，j｝（t），｜｛i，j｝、閾値よりも大きいビーム対メトリックを有する．．．（6）
Func＿｛i，j｝［］＝加重＿公平性＿｛i，j｝［ビーム対メトリック＿｛i，j｝（t）］．．．（7）
関数（6）および（7）では、BM（L2フィルタリング用）を使用して、またはL2（またはL3フィルタリング）用のMMフィルタリングを使用して（たとえば、比例または最大−最小公平性の効用関数を使用して）、複数のビーム対が選択／整列され得る。
Func＿｛i，j｝［］＝加重合計平均＿｛i，j｝［ビーム対メトリック＿｛i，j｝（t）］．．．（8）
ここで、たとえばmax［RSRP＿｛i，j｝（t）］により、ビーム対メトリック＝BM＿出力＝全候補ビーム対の最大値である場合には、Func［］は、経時的に集約されたピーク特性を有する整列ビーム対をいつも必ず選択するL2マルチビームダイバーシティを提供する。これはマルチユーザMAX−C／Iスケジューリングと似ている。
【０１０２】
チャネルの｛i，j｝（TRPおよびUEのID）が経時的に変化しない場合には、L2フィルタは、単一のビーム対によるチャネル履歴の時間平均を提供する。ある特殊なケースは、全方向LTE RRMで定義されるようなアルファベースの移動平均である。
【０１０３】
なお、基準関数またはフィルタの上記実施形態の全てについて、整列ビームはサービス中、サービス準備中、または確実に確立した状態であり得ることに留意されたい。（何も整列せず確実に受信される信号がない）ヌルビーム対は、基準において0または「さらに悪い」メトリックと見なされる。
【０１０４】
フレームワークの例300、350、および370は、ハイブリッドUL／DLモビリティシナリオを使用するハイブリッドRRM基準を有するL2／L3においてハイブリッドフィルタも使用し得る。このようなハイブリッドフィルタの例が、以下に記載される。
Func（t）＝Func＿｛i，j｝［ビーム対メトリック＿｛i，j｝（t），｜｛i，j｝（t）、（L2／L3において）ULまたはDLの入力基準を満たす］．．．（9）
Func（t）＝加重合計平均＿func｛Func＿｛i，j｝［ビーム対メトリック＿｛i，j｝（t），｜｛i，j｝（t）UL用］．．．（10）
Func（t）＝Func＿｛i，j｝［ビーム対メトリック＿｛i，j｝（t），｜｛i，j｝（t）DL用］（加重結合用）．．．（11）
Func（t）＝加重＿公平性＿func｛Func＿｛i，j｝［ビーム対メトリック＿｛i，j｝（t），｜｛i，j｝（t）UL用］．．．（12）
Func（t）＝Func＿｛i，j｝［ビーム対メトリック＿｛i，j｝（t），｜｛i，j｝（t）DL用］（加重公平性用）．．．（13）
【０１０５】
このように、ハイブリッドRRMモジュールのハイブリッドフィルタリング関数は、既存のL2／L3またはUL／DLフィルタリング関数およびモジュールを繰り返し統合することができ、またはAND／OR選択によってこれらを組み合わせることができる。他のハイブリッドシナリオを組み込むためにここで類似の考えを使用するその他いずれの関数も採用され得る。
【０１０６】
なお、L2、L3、および／またはハイブリッドフィルタリング関数を用いる実施形態の基準と比較すると、既存の基準はビーム管理とモビリティ管理とを文字通り混合することに留意されたい。
【０１０７】
フレームワークの例示的実施形態300、350、および／または370におけるビーム管理（BM）は、他のNR提案で定義されたようなセルまたはビームレベルでの混合または不可分のビーム切り替えとは異なる。フレームワークの例300、350、および／または370のBMは、TRP610がビームをUE620に揃えようとしているように示される図6の600に示されるような初期ビームアライメントと、図7の700に示されるようなビーム切り替え／追跡とを伴う。図6では、640で示されるような（1つまたは複数の）整列ビーム対を識別するために、630によって示されるようなDLビーム掃引（たとえば、TRP側ビームが1から4まで規則的に変化する）、および635によって示されるようなULビーム掃引（たとえば、UE側ビームが1から3まで規則的に変化する）が実行される。この例では、整列ビーム対は、UE620からの645における1と、TRP610からの650におけるビーム2とを含む。
【０１０８】
フレームワークの例300、350、および／または370のBMは、通常はL1、L2、または両方において定義される。これらの例では、L1ビーム管理は、DLまたはUL RS送信、受信、構成、測定、ビーム掃引、ペアリング、および場合により既存の全方向LTEと類似のベンダー固有のL1フィルタリングを含む、ビーム固有の動作を指すフレームワークの例300、350、および／または370のL2におけるビーム管理は、TRP内ビーム決定、アライメント／取得、ビーム切り替え、調整（ビームレベルおよびビーム幅調整）、およびUEと単一のTRPとの間の追跡に関するいずれかのシグナリングまたは制御動作を指す。L2におけるビーム管理は具体的に特定のTRPの複数のビーム（対）に対する動作を指し、実施形態におけるL1は、単一のビーム（対）に対する動作を指す。L1／L2ビーム管理は共に、図6の600および図7の700で示されるようなUE／TRPのためのセル内TRP内ビーム関連のPHY／MAC動作を指す。図6のTRPは610として、UEは620として記されている。700では、TRPおよびUEからの異なるビーム対の間のビーム切り替えが、矢印710および715を介して示されている。このようなビーム切り替えは、たとえば信号強度、品質測定値、またはUE620の動きの結果であり得る。
【０１０９】
例示的実施形態では、L1／L2 BMは、少なくとも実行されるRRM測定に関してL2／L3（またはTRP／セルレベル）MMと区別される。BMのL1／L2 RRM測定は、TRP／セル変更および隣接するTRP／セル測定および／または選択を伴わないビーム動作の目的のため、同じセルまたは同じTRPからの同じかまたは異なるレベルのビーム幅の測定および比較である。しかしながら、L2／L3におけるRRMモビリティ管理は、TRP／セル変更および隣接TRP／セル測定および／または選択を伴ってもよい。L1／L2 RRMビーム管理処理は、ビームアライメントおよび（初期）セル選択など（たとえば非モビリティ動作）を直接支援する。加えて、L1／L2 RRM BM処理は、ハンドオーバまたはセル再選択（すなわち、モビリティ）に寄与し得る。
【０１１０】
図8および図9は、セル内の隣接するTRPの間または隣接するgNB／セルの間のノード切り替えのための階層的に編成されたセルおよびそのモビリティ管理におけるモビリティ管理シナリオの実施形態を示す。これらの実施形態では、「セル」はgNB、CU、またはDUに基づいて定義され、各セルは1つまたは複数の同期TRPを有し、一意の「セルID」を有する。セルあたり1つのRRC制御エンティティ（たとえば、gNB／CU）のみを想定して、L2モビリティは図8に800で示されている。3つのTRP810、812、814が、各々セル817内に複数のビームを有して示されている。UEは、セル817内の3つの位置820、822、および824の間で移動するように示されている。図8の830および835における矢印は、図4を参照して上記で説明されたケース4またはケース6を示す。図8に示されるようなセル内TRP間モビリティは、UEが移動するときにそれによってサービングTRP（セット）が変化するL2モビリティとして知られている。L2モビリティは、RRCの関与なしにL2測定および報告のみを伴う。
【０１１１】
図9は900において、別の例示的なMMシナリオ、セル間TRP間またはL3モビリティを示す。2つの隣接するNRセル910および920は、925および930においてそれぞれのTRPを含む。UEは、セル910内の位置935からセル920内の位置940に移動する。ここでのセル間またはgNB間モビリティは、基礎となるL2およびL3測定および報告と共に、RRCシグナリングを伴う隣接するセル910および920間のハンドオーバまたはTRP選択である。UEが935から940までNRセルを横切って移動するとき、UEによって送信されたアップリンク基準信号は、それぞれのセル910および920のTRP925および930によって受信および測定される。TRP925および930は、同期および／またはID割り当てに使用されるリソースアクセスチャネル（RACH）のようなプロセスを使用して、UEを一意に識別することができる。UEがNRセルを横切って移動するとき、隣接するセルのTRPから送信され得るダウンリンク基準信号は、UEによって受信および測定される。TRPが同期されなくても、TRPはUEによって一意に識別され得る。TRP925と930との間の矢印によって示されるように、図9は、図4を参照して上記で説明されたケース5およびケース7を示す。
【０１１２】
フレームワークの例示的実施形態300、350、および370では、ビーム管理（BM）およびモビリティ管理（MM）は、タイムスケールおよび機能性によって論理的に分離されている。セル内TRP選択またはセル間ハンドオーバを伴う、L2／L3 TRP／セルレベルモビリティおよびRRMは、より過渡的な、（サブセルレベル）（L2／L1）TRP内BMのための動作およびRRM測定から分離されている。この分離は、タイムスケール、ビームアライメント状態、測定信号、メトリック、および使用モデルの観点からである。モビリティ管理はより長期的なTRP／セルレベルダイナミクスに基づくので、モビリティ管理はビーム管理とは異なる。モビリティ管理は、たとえば、さらなるフィルタリングのための入力として、RRM測定およびビーム対選択など、BMの結果を採用してもしなくてもよい。モビリティ管理は、モビリティ目的のため、ビーム管理動作によってペアリング、整列、および選択されてきた、安定したUE−TRPビーム対に基づく。
【０１１３】
異なるタイムスケールおよびダイナミクスのため、チャネルおよびビームは、特にUEがTxビームまたはRxビームのためのHFリンクを遮断する傾向がある環境で使用されるとき、急速に変動する可能性がある。これらの環境では、UEは、過渡的チャネル変動に迅速に反応するために、リアルタイムでTRPによるビーム管理を実行する。分離可能なBM処理のため、失敗したビーム（対）は上層を透過するようにBMによって回復され得るので、いずれかの単一のビーム（対）の障害は、必ずしもUEへの全体的なTRPリンクの障害もTRP／セルレベル信号品質全体の障害も意味しない。フレームワークの例示的実施形態300、350、および370は、過渡的な個々のビーム対障害に基づくRLFおよびRLM報告を回避する。これらの報告は誤ったハンドオーバをトリガし、ビーム（対）間のHOFおよびピンポンを引き起こし、さらなるUE−ネットワークオーバヘッドをもたらす。例示的実施形態は、L3シグナリングを低減し、ひいてはビームレベルの高速ダイナミクスによるRLF／RLM報告を低減することによって、この追加のオーバヘッドを回避する。
【０１１４】
MMからのBMの分離は、揮発性の過渡的なチャネル／ビームレベルダイナミクスを安定した上層から覆い隠し、モビリティ設計を無駄なく安定したものにする。例示的フレームワークを使用すると、高速チャネル／ビームレベルダイナミクスは、L1またはL1／L2において局所的に迅速に操作されることが可能であり、上層（L2またはL2／L3）において実行される処理および／または隣接するTRP／セルによって実行される処理に対する影響を低減する。より大きいタイムスケールでのTRP／セルレベルダイナミクスのみが、複数のTRP、したがってL2／L3におけるはるかに多いシグナリングオーバヘッド、および潜在的により大きいサービス割り込みを伴う、一連の低速モビリティ／ハンドオーバ挙動をトリガできる。分離はまた、BMおよびMMのためのRSおよびRRMの相関または独立した定義を可能にする。
【０１１５】
上述のタイムスケールの分離は、L2において行われ得る。BMおよびMM動作は、各々が独自のL2 RRMを有し得る。BMおよびMM L2 RRMは、たとえば共有RSを有して、またはMM RRMへの入力として使用されているBM RRMの出力によって、互いに関連付けられてもよい。あるいは、BMおよびMM RRMは、たとえば異なるRSまたは異なるL2フィルタリング方法を使用して、比較的独立していてもよい。たとえば、同じセル内のL2 MMまたはTRP選択は、1つのセル内のL2／L1 BMに減少し得る。これは、セル内のTRPの全てが区別されないとき、たとえばセル内の全てのTRPが一意のPCI、同じ最小SIを有し、単一の共有MACエンティティ（理想的バックホール）と、または厳密に整合されたMACエンティティ（非理想的バックホール）と厳密に同期しているときに、起こり得る。さらに、TxおよびRxビームは、全てのTRPの間で厳密に整合される。
【０１１６】
L2 RRM測定は、L1／L2ビーム管理のためのRRMをL2／L3モビリティ管理のためのRRMから分離するために新たに導入されたL2フィルタリングを伴うことができる。L2測定は、両方のBMのため、L2処理（たとえば、セル内またはTRP間）のため、およびL3処理（たとえば、セル間またはgNB間）MMのために行われ得る。L2測定は、別個の測定信号、信号使用モデル、フィルタリングパラメータ、メトリック（たとえば、CH品質、予想スループット、ブロック誤り率（BLER）など）を含み得る。これらの別個の測定は、たとえば、サービングTRPまたはセルの変更中に、使用され得る。
【０１１７】
例示的実施形態におけるレベル2のBMは、UEを意識したサービングノード変更を伴わないビーム固有の動作を指す。セル内のTRPのうちの1つについて、L2 RRM測定は、TRP内のRS測定またはビーム固有のビームアライメント／取得、ビーム切り替え、ビーム幅を含むビームレベル調整、およびUEとTRPとの間のビーム調整を含むBMを指す。
【０１１８】
例示的実施形態は、TRPレベルまたはセルレベルモビリティのためのマルチビームL2（およびL3）RRMを実行するように構成されてもよい。MMのためのL2 RRMは、複数の整列ビームを使用する。ここでのマルチビームは、UEと（1つ以上の）TRPとの間のBMによって整列された複数のTx／Rxビーム対を指す。L2 RRMおよびモビリティは、たとえばセル内TRP間モビリティなど、セル内のTRPレベル動作を指し、厳密に同期して時間オフセットを補償されたTRPの集合は、同じ物理的「ID」を共有する。これらのTRPは、単一の「セル」として振る舞うことができる。
【０１１９】
例示的実施形態では、L3 RRMおよびモビリティは、セルレベル動作を指す。L3モビリティはセル間またはgNB間（またはCU／DU間）モビリティを指し、各セルは、同期しているが異なるセル間で必ずしも厳密には同期していないTRPの集合を有する。通常、L3（RRC）シグナリングはL3モビリティに包含されている。
【０１２０】
他の例示的実施形態では、マルチビームRRMおよびハイブリッドモビリティモデルは、図3A、図3B、および図3Cに示されるような、論理的に分離可能なBMおよびMMを提供する。これらの実施形態は、UE1と称される特定のUEを前提としたハイブリッドMMの全てのシナリオについて共通のマルチビームRRMモデルを提供する。図3Aを参照すると、L1フィルタリング325、326は、依然として実装固有のものであってもよく、主にビーム固有のL1 RRMまたはリアルタイムBMのために使用され得る。所与のUEおよびそのサービング／候補TRPでは、モデルは、整列（同期＆選択）されたTx／Rxビーム対を測定することによって確実なTRP（L2）またはセル（L2／L3）レベル品質メトリックを提供するが、BMプロセス中に整列／訓練／調整されたビーム対は提供しない。（BMおよび）MMのためのL2モジュールは、異なる設定に応じて論理的に分離され、一緒に統合され、またはL3に統合されてもよい。ブロック372ではビーム（対）が個別にフィルタリングされるので、図3Cに示される実施形態はこの区別をさらに協調している。
【０１２１】
共通マルチビームRRMおよびハイブリッドMMモデルは、異なるモビリティシナリオに合わせて自動的に構成または適応され得る。L1 BMは別個であるので、RRM／MMモデルは、L2処理のみを実行するようにシステムを再構成するために、L2処理またはL3処理、L2＋L3処理、またはL3処理のみを選択的に無効化することができる。特定のシナリオでは、モデルは、セル内TPR間MMのためのRRMを実装するために、L2フィルタリングおよび報告のみを採用することができる。このMMは、単一のセル内に1つまたは複数の候補TRPを有する複数のビーム対を使用する。
【０１２２】
モデルは、L1／L2 BMによって使用されるのと同じ（DLまたはUL）RSを使用してもよく、またはRAN1によって定義されたものなど、異なるRSを使用してもよい。フレームワークの例300、350、および／または370は、実装されたBMに基づいて、L2処理への入力として整列Tx／Rxビーム対のみを使用し得る。異なるシナリオでは、例示的フレームワークはL3フィルタリングおよび報告のみを採用し得る（すなわち、MMのためのL2フィルタリングは無効化されてもよい）。たとえば、セルのビーム対が同じセル内のTRPによって区別され得ないとき（したがってL2動作はセル内BMのみに限定され得る）、または「セル」が1つのTRPのみを有し、したがってRRCの関与の有無にかかわらずセル間またはgNB間モビリティのみを有するとき、L2処理は無効化され得る。当然ながら、図3A、図3B、および図3Cに示されるように、L2およびL3フィルタリングおよび報告の両方は、RRM構成に応じて同時にオンにされ得る。
【０１２３】
いくつかの実施形態では、加重結合または比較基準によるマルチビーム動作は、BMからMMへ、L2 MMからL3 MMへの次元控除、またはハイブリッドメトリックの統合をもたらし得る。図3Aにおいて大文字A、B、C、D、E、およびFで識別されるモジュール間インターフェースは、ビーム（対）の数、または処理によってなされた特定の結合の後のメトリックの数など、メトリックの次元が減少している場合がある。ネットワークアーキテクチャの物理ノードへの論理モジュールのローカライゼーションに応じて、インターフェースは内蔵（装置またはネットワークノードに対して）、無線、またはネットワークの内部にあってもよい。
【０１２４】
RANアーキテクチャに応じて、たとえばセルあたり1つのTRPがあるとき、例示的実施形態は、単一ビーム動作、単一周波数（全方向LFのみ）、および具体的なBM／MM基準（たとえば、最良のビームのみを選択および使用する）に縮小され得る。例示的実施形態はまた、チャネル、付加、およびスループット情報などの異なる入力およびハイブリッドメトリックを、フレームワークの例300、350、および370に示されるMMモジュールのシーケンスに組み込むこともできる。ULおよびDL RRMメトリック（または決定）は、加重され、一意の結果を得るために互いにまたは特定の閾値と比較され得る。フレームワークの例300、350、および370はまた、異なる報告構造を有することもできる。MMのためのL2／L3メトリックの報告は、ビーム固有であり得るか、またはたとえばビームあたりのRSRP／RSRQまたはTRPまたはセル内の複数のビーム対にわたるRSRP／RSRQの集約であり得る。通常、CSI（LTEの場合など）およびUCIのようなL1／L2メトリックのBM報告は、ビーム（対）固有のメトリックを含んでいる。
【０１２５】
MM／RRMの例示的実施形態では、図10のハイブリッドRRMおよびモビリティシステムレベルアーキテクチャ／フレームワーク1000は、論理的に分離したBMおよびMM機能を提供する。たとえばエンドツーエンドモビリティシステム内のハイブリッドULおよびDL RRMを前提とすると、ネットワーク側（たとえば、gNB1010）に配置されたハイブリッドRRMモジュールは、モビリティ決定のために図3A（またはここでは1010）のハイブリッドMM／RRMモジュール内に統一された入力を提供するために、ネットワーク（内の異なるTRP）によって行われるUL信号測定とUEから報告されるDL RS測定とを組み合わせる。
【０１２６】
フレームワーク1000は、RRM機能の論理エンティティをネットワーク内の物理エンティティ（ノード）に分散または統合する。RRMモデル（図3A）内のL1、L2、L3フィルタリングモジュールの論理エンティティ、およびこれらの位置または存在は、実施形態によって異なる可能性がある。フレームワーク1000は、論理アンテナ1030を有するセル1025内の1つ以上のTRP1020と通信しているUE1015に、RRCエンティティおよびマルチビームDL RRM（L1−L3に）を含む。
【０１２７】
特定の層、モジュール、もしくはULまたはDL機能は、構成およびシナリオに基づいて、このフレームワーク1000内ではオフにされてもよい。
【０１２８】
UE1015、TRP1020、および／またはネットワークgNB1010での基準関数は、ULおよびDLメトリックの任意の合意された従来のまたは提案された基準関数または異なる層（L1、L2、L3、または両方）での入力による決定であり得る。
【０１２９】
TRP1020またはUE1015によるL1 xRS／xSS測定は、L1−L3 RRM結果を生成し、たとえば、全方向LFチャネルを介して直接的に、または最初にTRPへの指向性HFリンクを通じて、または、MAC CEピギーバック、物理アップリンク制御チャネル（PUCCH）または物理アップリンク共有チャネル（PUSCH）のようなCHを介したダウンリンク制御情報（DCI）およびアップリンク制御情報（UCI）の何らかの形式を含むがこれらに限定されないいずれかのL2−L3シグナリングによって、これらを1つの中央ユニット（たとえば、gNB1010、またはCU／DU、またはソースTRP）に報告し得る。
【０１３０】
第4の実施形態では、ハイブリッドRRM／モビリティは、従来の非ハイブリッドモビリティまたは純粋なDLモビリティ／RRMよりも多くの利点を提供し得る。たとえば、LF＋HFとDL＋ULのハイブリッドモビリティシナリオを考えると、HF無線リンクは根本的に信頼できず、潜在的により多くの電力を消費するという事実による。たとえば、少なくともHFまたはLF高速列における従来のDLモビリティはUEにとって非常に電力集約的であり、したがってUE中心のULモビリティは、おそらくDLモビリティよりも有利である。DLまたはULモビリティが各々その利点を有することができる異なるシナリオに対処するために、実際のシステムは両方のハイブリッド展開を含むことができ、類似の概念は、LFカバレッジ下のHF UDNおよびD2D、またはLFセルを保護するためのHFスループットの上昇を含む、他のハイブリッドシステムにまで拡張され得る。
【０１３１】
ビーム掃引またはスケジューリング間隔におおよそ揃えられたTX間隔を有するTRPからのビーム形成DL xRS／xSSのため、ならびにNR内のCRSの除去の可能性を前提とすると、RRMのためのNR DL RSは、LTE CRSよりもはるかに頻繁であり、場合によっては不規則であり得る。その結果、RLF／RRMはCH変化にあまり反応せず、したがってDLモビリティおよび測定は、これを補償するためのUL信号（およびRRM／モビリティ）を必要とする。ハイブリッド設計によって、UL信号は、場合により除去されるかまたはあまり頻繁ではないDL CRSまたはその相当物に適合するために、またはDL測定のための電力を節約するために、ならびにULおよびDLの無線チャネルまたはトラフィック負荷非対称にかかわらずにより信頼できる統一された結果を提供するために、使用されることが可能である。
【０１３２】
3GPPのLF＋HFのHetNetモビリティのための既存のDCと類似の、異なる層（タイムスケール）および／または異なる周波数でのインタラクティブなBMおよびMMを使用する例示的な実施では、DCは、例示的実施形態のためのLF支援HFに適用可能である。フレームワークの例300、350、および370では、DCは、LFマクロセルおよびHFスモールセル（マイクロセル、ピコセル、またはフェムトセル）と共に使用され得る。この構成は、（LFを使用する）カバレッジおよび（HFを使用する）より高速なマルチポイントデータリンクのより良い制御を提供し得る。
【０１３３】
さらに、例示的な実施では、混合DL（LF）およびUL（HF）RRMのハイブリッドモビリティを可能にするために、LF（DLおよびULシグナリング）支援UL（HF）モビリティRRMが使用され得る。ULおよびDLの組み合わせの異なる実施形態は、DLおよびULモビリティ切り替え、または同時のULおよびDLモビリティを伴う。
【０１３４】
また、例示的な実施では、信号を組み合わせるためにハイブリッドRRM／モビリティ基準が使用されてもよく、たとえばHFおよびLFは、UL／DL RSに基づいて、L2またはL3のいずれか、またはL2およびL3の両方で組み合わせられることが可能である。これらの実施は、ビーム形成HF L3／L2／L1リンク形成（BM）のための基準規則を構成するために、LFにおける低速L3制御を提供してもよく、UE中心のセル形成（モビリティ）を提供してもよい。その結果、これらの実施は、セル間DLおよびUL MM（たとえば、クロスセル／gNB／eNB HO）、ならびにRRCシグナリングありまたはなしのマルチビームRRM基準の使用を可能にする。これらの実施は、ULおよびDL RRM内のメッセージフローを柔軟に設定するために、HFまたはLFまたは両方において高速のL2および／またはL1制御およびデータを提示し得る。したがって、これらの実施形態は、低速タイムスケールのセル内TRP選択、セル内MM RRM／RLMまたはセル間MMおよびRRM／RLMによるCSI／UCI／ULビーコンシグナリング、同期、およびリンク適応と調和的にリアルタイムBMを統合する。これらの実施形態は、ULモビリティのための省電力RRM（たとえばCRSなし）を用いたUE中心の設計または「仮想セル」形成を可能にし、これはハイブリッドUL−DL RRM／RLMおよびモビリティ機構に発展する。
【０１３５】
図11Aおよび図11Bは、1100における例示的な通信活動タイミング図を示す。このタイミング図によって説明されるシステムの制御フローは、たとえば、ハイブリッドUL／DLモビリティを使用し得る。図示される通信は、UE1110、ソースノード（たとえばTRP／gNB）1115、およびターゲットノード（たとえばTRP／gNB）1120の間のものである。図3AのRRMブロック、または図11Aの1044および図11Bの1046の対応するブロック；報告ジェネレータ（図3A／3B／3Cの報告モジュール）は、図11Aの項目1054および1056ならびに図11Bの項目1048に対応する。ハイブリッドモビリティ決定ユニットはネットワーク側に分散している。これらは、ネットワーク側の図11Aの項目1058（ハイブリッドMM意思決定者）または図11Bの項目1062（受付制御）で言及されるRRMとは異なっており、L2、L3、または両方におけるハイブリッド意思決定のためのRRMの（DL測定フィードバック）報告またはローカル（UL）測定を考慮している。ハイブリッドモビリティ決定ユニットは、シグナリングサポート（たとえば、図11Aおよび図11BのTRPs／gNBの間、またはUEとネットワークとの間のメッセージ交換）を前提として、L2および／またはL3測定にしたがって意思決定するために、UL、DL、または両方を考慮する。
【０１３６】
制御フロー1100は、1つの例示的実施形態のみを表す。図示されるように、他の例示的実施形態は、ステップ0（項目1025）で示されるように、UE1110とソースノード1115との間のULまたはDLモビリティオン／オフ要求応答メッセージを使用する。オン／オフ要求応答メッセージは、たとえば、シナリオパラメータ、ネットワーク構成パラメータ、ネットワークポリシー、および／またはユーザ優先度情報によってトリガされてもよく、これらを搬送してもよい。異なる実施形態では、ステップ0の1025は、デフォルト構成、事前定義構成、放送（たとえば、SIB／MIB）、専用一方向シグナリング、または要求応答（REQ−RSP）交換などであり得る。
【０１３７】
1028のステップ1は、ソースノード1115からUE1110へのRRC接続再構成メッセージであり、ULおよび／またはDL RSならびにRRM構成情報をUE1110に搬送している。異なる実施形態では、ステップ1は、代案として、L3（RRC）メッセージを使用する代わりにL1またはL2シグナリングを使用して、よりリアルタイムで行われることが可能である。1030のステップ1（図11Bに示される）は、ソースノード1115からターゲットノード1120へのものであり、UL RSおよびRRM構成メッセージを伴い、UL RRM測定および報告構成情報をソースノード1115からターゲットノード1120に搬送する。
【０１３８】
ステップ2は、UE1110、ソースノード1115、およびターゲットノード1120の間に1032、1034、1036、1038、1040、および1042で示されるUL基準信号を伴い、ここで3つの別個の線は、複数のUL RSを送信する例示的実施形態のみを表し、RSの数は3より少なくても多くてもよい。ステップ3では、1044および1045において、UL RS検出、RRM測定、および基準チェックが実行され、UL測定報告はステップ4で1048においてターゲットノード1120からソースノード1115に提供される。
【０１３９】
異なる実施形態では、ULモビリティがオフになっているとき、ステップ2〜4およびUL RS測定に関するものは何も存在し得ない。
【０１４０】
ステップ5では1050および1052において、DL基準信号がソースノード1115およびターゲットノード1120によってUE1110に提供される。UE1110は、ステップ6で1054においてDLマルチビームRRM測定を実行し、モビリティ管理基準をチェックし、ステップ7で1056においてソースノード1115に結果を報告する。異なる実施形態では、L1、L2、および／またはL3シグナリングメッセージを使用して報告が実施され得る。ステップ8で1058において、ULおよび／またはDL RRM結果に基づいて、ソースノード1115によってハイブリッドMM決定がなされる。ステップ9で1060では、ソースノード1115からターゲットノード1120へのハンドオーバまたはノード追加／削除要求がなされてもよい。
【０１４１】
ステップ10では1062において、ターゲットノード1120は受付制御処理を実行し、ステップ9の1060での要求に応答して受付（たとえば、追加またはハンドオーバの）が認められた場合、ステップ11で1064においてターゲットノード1120によってハンドオーバまたは要求の確認応答が送信される。この後に、モビリティ制御情報を含むUE1110とソースノード1115との間のRRC接続再構成メッセージを伴うステップ12の1066が続いてもよい。ステップ13で1068において、データパスは、マルチ接続の有無にかかわらず、関連するコンテキスト転送と共に、ハンドオーバの結果として追加されたターゲットノード1120にソースノード1115から分割または転送されてもよい。これは、バッファリングされた／転送中のデータおよびコンテキスト1072と共に、1070で示されている。
【０１４２】
ステップ14で1073において、UE1110は、古いセル（ソースノード1115）から分離し、UE1110からソースノード1115を通じてターゲットノード1120へのRACHおよび／またはUL基準信号通信を使用して、ステップ15で1074、1076、および1078において示されるように、新たに追加された新しいノード（ターゲットノード1120）と同期および整列してもよく、ここで3つの線は複数のRACHおよび／またはUL RS信号の例示的実施形態に過ぎず、この数は3より多くても少なくてもよい。
【０１４３】
図11Aおよび図11Bに示される順序は例示的なものに過ぎない。ステップ1〜3（UL部）およびステップ4〜7（DL部）は、時間的にシャッフルされて並べ替えられてもよい。RRM測定用のL1／L2／L3フィルタの論理エンティティは、たとえば（UEのL1−L3プラスTRPのL1／L2プラスgNBのL3）、または（UEのL1−L3プラスTRP  のL1プラスgNB  のL2／L3）、または（全てUE、TRP、およびgNBのL1／L2／L3）など、異なる物理ネットワークエンティティに配置されてもよい。これらの論理エンティティの存在、正確な位置、およびL1−L3の分離は、「セル」定義、具体的な構成、および展開に基づくことができる。
【０１４４】
例示的実施形態の異なる実施は、図11Aおよび図11Bに示されるフローに記載されるように構成され得る異なるRRM基準を使用してもよい。ソースおよびターゲットノードは、具体的なモビリティシナリオ（セル内TRP間、またはセル間gNB内、またはgNB間など）、およびネットワークアーキテクチャに応じて、たとえばTRP（たとえば、L1ベースバンドおよびL2 MACありまたはなしのリモートラジオヘッド（RRH））、CUまたはDUまたはgNBなど、異なる装置タイプであってもよい。
【０１４５】
例示的実施形態では、例示的な実施において異なるハイブリッドシナリオがある。（プロセスおよび構成内容について）異なる可能性のある実施形態を用いる類似の論理、測定シグナリング、および構成フローは、ハイブリッドUL／DLモビリティ、純粋なDLまたはULモビリティ、セルあたり1つまたは複数のTRPを有するシステム、またはgNBあたり1つまたは複数のセルを有するシステムなどにも依然として機能する。
【０１４６】
実施のためのさらなるハイブリッドシナリオは、ハイブリッドLFおよび／またはHF、シングルキャリアまたはマルチキャリアまたはハイブリッド、またはシングルバンドまたはマルチバンド、DCまたはCAによるシングル接続またはマルチ接続、BMおよびMMの、およびそこでの明確な分離があるまたはない、異なるネットワークノードにおけるL2またはL3のみまたはL2およびL3両方のフィルタリングエンティティ、具体的なL3および／またはL2フィルタリング機能の異なる形式、および異なる物理ネットワークノードにおけるL2およびL3論理RRMエンティティの異なる位置、またはこれらのハイブリッド組み合わせのいずれか、または任意の直交的に定義されたL2／L3シグナリング（たとえば、LFアンカーノードからのデュアルコネクティビティRRCシグナリングによる、またはMAC層CE／UCI／DCI．．．などによる）、または上記シナリオのいずれかの組み合わせを含む。
【０１４７】
上記の組み合わせはたとえば、ULおよびDLの結果を組み合わせるためのRRM基準における機能を含み、任意の方向で、方向を超えて（たとえば、候補TRPを有するULおよびDL両方の結果は特定の閾値を超えなければならない）、（セル内モビリティについて）同じUE−TRP対から、または同じ所与のUEについて（たとえば、各セルがカバレッジ内に異なるセットのTRPを有するセル間ハンドオーバについて）UE−TRP対を超えて、（同じ）周波数内または（LFおよびHFにわたる）周波数間として構成され得る。
【０１４８】
たとえば、DLおよびUL結果のUL RRMおよびハイブリッド組み合わせがなされ得るネットワーク側へのDL測定のUEフィードバック報告によって、DL RRMおよびUL RRM測定結果をまとめてプールするアプローチもまた構成可能である。ネットワーク側が異なるTRPによる同じUE UL信号のUL RRM測定値をプールし、これらを後処理し、および／または統一されたMM決定のためにこれらを交換する方法および場所の異なるケースは、たとえば新たに導入されたインターフェースによって、またはサービングノードへのXnによって、または中央ノードへのS2のようなインターフェースによって、またはその他いずれかの公的または独自のインターフェースによって、構成可能である。
【０１４９】
RRM信号、L1−L3 Tx／Rxおよび測定およびフィルタリング、またはチャネルメトリックの報告周波数は、ネットワークによって構成可能であり得る。たとえば、以下の例示的なシナリオのために、モビリティのL2 RRMは、BMのL2 RRMと一緒に統合されてもよく、またはMMのL3 RRMに統合されてもよい。たとえば、DL（またはUL）信号または測定周波数が0のとき、ハイブリッドRRMは純粋なUL（またはDL）RRMとなる。たとえば、HF（またはLF）信号または測定周波数が0のとき、ハイブリッドRRMは純粋なLF（またはHF）RRMとなる。たとえば、LF支援HF、UL支援DL、またはこれらの逆を使用するとき、またはUEに特定のRRMを決定させるために、自律的に構成する。
【０１５０】
図12は、ビーム管理をモビリティ管理から分離するフレームワークを実施するための1つ以上の実施形態を実施し、例示的実施形態による方法を実行するための回路を示すブロック図である。様々な実施形態において全ての構成要素が使用される必要はない。たとえば、UE、TRP、およびgNBは、異なる構成要素のセットを各々使用することができる。
【０１５１】
コンピュータ1200の形態の1つの例示的な計算装置は、処理ユニット1202、メモリ1203、リムーバブル記憶装置1210、および非リムーバブル記憶装置1212を含み得る。例示的な計算装置はコンピュータ1200として図示および説明されているが、計算装置は、異なる実施形態では異なる形態であってもよい。たとえば、計算装置は代わりに、スマートフォン、タブレット、スマートウォッチ、基地局（eNBまたはgNBまたはCUまたはDU）、TRP、リモートラジオヘッド（RRH）、または図12に関連して図示および説明されるものと同じかまたは類似の要素を含むその他の計算装置であってもよい。スマートフォン、タブレット、およびスマートウォッチなどの装置は、一般的にまとめてモバイル装置またはユーザ機器と称される。基地局（eNBまたはgNBまたはCUまたはDU）、TRP、リモートラジオヘッド（RRH）などのその他の装置は、一般的にまとめてTRP、またはネットワークノード、またはネットワーク機器と称される。さらに、様々なデータ記憶要素がコンピュータ1200の一部として示されているが、記憶装置はさらにまたは代わりに、インターネットまたはサーバベースの記憶装置など、ネットワーク経由でアクセス可能なクラウドベースの記憶装置を含んでもよい。
【０１５２】
メモリ1203は、揮発性メモリ1214および不揮発性メモリ1208を含み得る。コンピュータ1200は、揮発性メモリ1214および不揮発性メモリ1208、リムーバブル記憶装置1210および非リムーバブル記憶装置1212などの様々なコンピュータ可読媒体を含んでもよく、またはこれらを含む計算環境を有してもよい。コンピュータ記憶装置は、ランダムアクセスメモリ（RAM）、読み出し専用メモリ（ROM）、消去可能プログラマブル読み出し専用メモリ（EPROM）および電気的消去可能プログラマブル読み出し専用メモリ（EEPROM）、フラッシュメモリまたはその他のメモリ技術、コンパクトディスク読み出し専用メモリ（CD ROM）、デジタル多用途ディスク（DVD）、またはその他の光ディスク記憶装置、磁気カセット、磁気テープ、磁気ディスク記憶装置またはその他の磁気記憶装置、またはコンピュータ可読命令を記憶することができるその他の媒体を含む。
【０１５３】
コンピュータ1200は、入力1206、出力1204、および通信接続1216を含む計算環境を含むか、またはこれへのアクセスを有することができる。出力1204は、入力装置としても機能し得る、タッチスクリーンなどの表示装置を含み得る。入力1206は、タッチスクリーン、タッチパッド、マウス、キーボード、カメラ、1つ以上のデバイス特有のボタン、コンピュータ1200に組み込まれるかまたは有線または無線接続を介してこれに結合された1つ以上のセンサ、およびその他の入力装置のうちの1つ以上を含み得る。コンピュータは、データベースサーバまたは基地局など1つ以上の遠隔コンピュータに接続するために通信接続を使用して、ネットワーク接続環境で動作し得る。遠隔コンピュータは、パーソナルコンピュータ（PC）、サーバ、ルータ、ネットワークPC、基地局、ピアデバイスまたはその他の一般的なネットワークノードなどを含み得る。通信インターフェースおよび接続は、ローカルエリアネットワーク（LAN）、広域ネットワーク（WAN）、セルラー、Wi−Fi、Bluetooth（登録商標）、またはその他のネットワークとのインターフェースまたはこれらによる接続を含み得る。
【０１５４】
コンピュータ可読媒体に記憶されたコンピュータ可読命令は、コンピュータ1200の処理ユニット1202によって実行可能である。ハードドライブ、CD−ROM、およびRAMは、記憶装置などの非一時的なコンピュータ可読媒体を含む物品のいくつかの例である。コンピュータ可読媒体および記憶装置という用語は、搬送波が一時的すぎると見なされる程度にまで搬送波を含まない。記憶装置はまた、1220で示されるストレージエリアネットワーク（SAN）などのネットワーク接続された記憶装置も含むことができる。
【０１５５】
請求項または概念は、ビーム形成を伴う4GシステムであれWi−Fiシステムであれ4G＋5G、4G＋Wi−Fiなどのその他いずれかの組み合わせであれ、NRにおけるマルチビームRLM／RLFなどの他のNR設計問題と同様に、非5G／NRセルラー無線システムなどのその他の実施形態にも同様に適用され得る。
【０１５６】
実施例：
【０１５７】
第1の実施例は、トランシーバと、トランシーバに結合され、複数のビームを記述するL1データを生成するためにトランシーバを介して受信された複数のビームからダウンリンク（DL）基準信号を測定するように構成された、レベル1（L1）処理要素と、事前構成パラメータと一致する第1セル内の複数のビームのうちの1つ以上に対応するL2データを生成するために、L1データに応答して複数のビームを集約、選択、またはフィルタリングするように構成されたレベル2（L2）処理要素と、L1およびL2処理要素に結合され、第1セルおよび第2セルの各々の複数のビームのうちの1つ以上に対応するL3データを生成するように構成された、レベル3（L3）処理要素と、L1、L2、およびL3処理要素に結合され、モビリティイベント用の報告を生成するように構成された、報告ジェネレータと、を含むユーザ機器（UE）に関する。
【０１５８】
第2の実施例では、モビリティイベントは、送受信点（TRP）の第1ビームからTRPの第2ビームにUEを切り替えることを含み、第1および第2ビームは複数のビームのうちのビームであり、UEはL2およびL3処理要素を無効化するように構成されており、報告ジェネレータはL1データに基づいて報告を生成するように構成されている。
【０１５９】
第3の実施例では、モビリティイベントは、第1セル内の1つの送受信点（TRP）に関連する第1ビームから第1セル内の別のTRPに関連する第2ビームにUEを切り替えることを含み、第1および第2ビームは複数のビームのうちのビームであり、UEはL3処理要素を無効化するように構成されており、報告ジェネレータは、L1およびL2データに基づいて報告を生成するように構成されている。
【０１６０】
第4の実施例では、第1および第2セルは単一の次世代ノードB（gNB）に関連付けられ、モビリティイベントは、第1セルの送受信点（TRP）に関連する第1ビームからgNBに関連する第2セルに関連する第2ビームにUEを渡すことを含み、第1および第2ビームは複数のビームのうちのビームであり、報告ジェネレータは、L2およびL3データに基づいて報告を生成するように構成されている。
【０１６１】
第5の実施例では、第1および第2セルはそれぞれの第1および第2次世代ノードB（gNB）に関連付けられており、モビリティイベントは、第1セルの第1送受信点（TRP）に関連する第1ビームから第2セルの第2TRPに関連する第2ビームにUEを渡すことを含み、第1および第2ビームは複数のビームのうちのビームであり、UEはL2処理要素を無効化するように構成されており、報告ジェネレータは、L1およびL3データを使用して報告を生成するように構成されている。
【０１６２】
第6の実施例では、モビリティイベントは、複数のビームの第1対の送信（Tx）および受信（Rx）ビームから複数のビームの第2対のTxおよびRxビームに切り替えることを含み、L1処理要素は整列ビーム対を記述するL1データを生成するように構成されている。
【０１６３】
第7の実施例では、モビリティイベントは、複数のビームのうちの第1多周波ビームから第2多周波ビームに切り替えることを含み、L2処理要素は、L1データに基づいて第2多周波ビームで使用するために複数のビームのうちのビームを選択および結合するように構成されている。
【０１６４】
第8の実施例では、DL基準信号は、少なくとも1つのxRSまたはxSS基準信号を含む。
【０１６５】
第9の実施例では、L2処理要素は、論理AND演算子、論理OR演算子、最大演算子、最大N演算子、および平均化演算子のうちの少なくとも1つ、閾値比較演算子、または相対比較演算子をL1データに適用することによって、複数のビームを集約、選択、またはフィルタリングするように構成されている。
【０１６６】
第10の実施例は、トランシーバと、トランシーバに結合され、複数のビームを記述するL1データを生成するためにトランシーバを介して受信された複数のビームからアップリンク（UL）基準信号を測定するように構成された、レベル1（L1）処理要素と、所定のパラメータと一致する第1セル内の複数のビームのうちの1つ以上に対応するL2データを生成するために、L1データに応答して複数のビームを集約、選択、またはフィルタリングするように構成されたレベル2（L2）処理要素と、L1およびL2処理要素に結合され、第1セルおよび第2セルの各々の複数のビームのうちの1つ以上に対応するL3データを生成するように構成された、レベル3（L3）処理要素と、L1、L2、およびL3処理要素に結合され、モビリティイベント用の報告を生成するように構成された、報告ジェネレータと、を含む送受信点（TRP）に関する。
【０１６７】
第11の実施例は、TRPであって、モビリティイベントは、ユーザ機器（UE）の第1ビームからUEの第2ビームにTRPを切り替えることを含み、第1および第2ビームは複数のビームのうちのビームであり、TRPはL2およびL3処理要素を無効化するように構成されており、報告ジェネレータはL1データに基づいて報告を生成するように構成されている、TRPに関する。
【０１６８】
第12の実施例は、TRPであって、モビリティイベントは、複数のビームの第1対の送信（Tx）および受信（Rx）ビームから複数のビームの第2対のTxおよびRxビームに切り替えることを含み、L1処理要素は整列ビーム対を記述するL1データを生成するように構成されている、TRPに関する。
【０１６９】
第13の実施例は、TRPであって、モビリティイベントは、複数のビームのうちの第1多周波ビームから複数のビームのうちの第2多周波ビームに切り替えることを含み、L2処理要素は、L1データに基づいて第2多周波ビームで使用するために複数のビームのうちのビームを選択および結合するように構成されている、TRPに関する。
【０１７０】
第14の実施例は、TRPであって、L2処理要素は、論理AND演算子、論理OR演算子、最大演算子、最大N演算子、および平均化演算子のうちの少なくとも1つ、閾値比較演算子、または相対比較演算子をL1データに適用することによって、複数のビームを集約、選択、またはフィルタリングするように構成されている、TRPに関する。
【０１７１】
第15の実施例は、UE装置のためのモビリティ管理方法であって、複数のビームを記述するL1データを生成するために受信した複数からのダウンリンク（DL）基準信号を処理するステップと、事前構成パラメータと一致する第1セル内の複数のビームのうちの1つ以上に対応するL2データを生成するために、L1データに応答して複数のビームを集約、選択、またはフィルタリングするステップと、L3データを生成するために、第1セルおよび第2セルの各々のビームに対応するデータを処理するステップと、L1、L2、およびL3データからモビリティイベント用の報告を生成するステップと、を含むモビリティ管理方法に関する。
【０１７２】
第16の実施例では、モビリティイベントは、送受信点（TRP）の第1ビームからTRPの第2ビームにUEを切り替えることを含み、第1および第2ビームは複数のビームのうちのビームであり、方法は、L2およびL3処理を無効化するステップと、L1データに基づいて報告を生成するステップと、をさらに含む。
【０１７３】
第17の実施例では、モビリティイベントは、第1セル内の1つの送受信点（TRP）に関連する第1ビームから第1セル内の別のTRPに関連する第2ビームにUEを切り替えることを含み、第1および第2ビームは複数のビームのうちのビームであり、方法は、L3処理を無効化するステップと、L1およびL2データに基づいて報告を生成するステップと、をさらに含む。
【０１７４】
第18の実施例では、第1および第2セルはそれぞれの第1および第2次世代ノードB（gNB）に関連付けられており、モビリティイベントは、第1セルの第1送受信点（TRP）に関連する第1ビームから第2セルの第2TRPに関連する第2ビームにUEを渡すことを含み、第1および第2ビームは複数のビームのうちのビームであり、方法は、L2処理要素を無効化するステップと、L1およびL3データを使用して報告を生成するステップと、をさらに含む。
【０１７５】
第19の実施例では、モビリティイベントは、複数のビームの第1対の送信（Tx）および受信（Rx）ビームから複数のビームの第2対のTxおよびRxビームに切り替えることを含み、方法は、整列ビーム対を記述するL1データを生成するステップを含む。
【０１７６】
第20の実施例では、モビリティイベントは、複数のビームのうちの第1多周波ビームから第2多周波ビームに切り替えることを含み、方法は、L1データに基づいて第2多周波ビームで使用するために複数のビームのうちのビームを選択および結合することによってL2データを生成するステップを含む。
【０１７７】
第21の実施例では、方法は、L1データからL2データを生成するために、論理AND演算子、論理OR演算子、最大演算子、最大N演算子、および平均化演算子、閾値比較演算子、または相対比較演算子のうちの少なくとも1つを適用することによって複数のビームを集約、選択、またはフィルタリングするステップのうちの少なくとも1つを含む。
【０１７８】
第22の実施例では、RRMブロックおよび報告ジェネレータは、局所的に（UL）測定されたRRMメトリックと共に、ソースおよびターゲットTRP内のハイブリッドモビリティ決定ユニットへの入力としてDL測定値を提供する。決定ユニット（ソースにおける受付制御およびターゲットモビリティ意思決定者）は、L2またはL3または両方の測定に基づいて意思決定するために、UL、DL、または両方を考慮する。シグナリング、たとえばTRP／gNBの間またはUEとネットワークとの間のメッセージ交換は、決定を可能にする。
【符号の説明】
【０１７９】
100  モデル
110  L1フィルタ要素
115  L3フィルタ要素
120  報告基準要素、報告基準の評価要素
200  NRシナリオ、システム
215、240、420、422、440、450、503、504、505、506、507、610、925、930、1020  TRP
220、225、620、1015、1110  UE
230、235  TxまたはRxビーム
245、710、715  矢印
300、350、370、1000  フレームワーク
308、356  L3フィルタ、L3フィルタリング
310  経路、アップリンクブロック
315  経路、ダウンリンクブロック
325、326  L1フィルタリング
330、340  L2モジュール
335  L2モジュール、マルチビームL2フィルタリング
339  ハイブリッドモビリティモジュール
352  L1フィルタ、L1フィルタリング、層1フィルタ
354  L2モジュール、L2結合モジュール、L2結合処理
358、384  報告ジェネレータ
372  L1フィルタ、L1プロセス
374  L2モジュール、L2処理ブロック、L2結合モジュール
376  L2プロセス
378  モビリティ報告ジェネレータ
380  L3プロセス
400  システム
410、415、501、502、551、552、817  セル
424、425、426、427、430、431、432、433、441、442、443、444、451、452、453、454、524、525、526、527、530、531、541、542  ビーム
500  システム、グラフィック描写
510、511、512、513、514、820、822、824、935、940  位置
910、920  NRセル
1000  システム、フレームワーク
1010  gNB
1025  項目、セル
1030  論理アンテナ
1115  ソースノード
1120  ターゲットノード
1200  コンピュータ
1202  処理ユニット
1203  メモリ
1204  出力
1206  入力
1208  不揮発性メモリ
1210  リムーバブル記憶装置
1212  非リムーバブル記憶装置
1214  揮発性メモリ
1216  通信接続
【国際調査報告】
2020505821.tif 000022
2020505821.tif 000023